(57)【要約】  本発明は、物理アップリンクデータチャンネルで制御情報を多重化する方法及び装置を提供する。ユーザー装置(ＵＥ)の方法は、値の第１のセットに対する構成を受信するステップと、リソースエレメント(ＲＥ)のセットを通じて物理アップリンク共有データチャンネル(ＰＵＳＣＨ）の送信をスケジューリングし、インデックスを提供するフィールドを含むダウンリンク制御情報(ＤＣＩ)フォーマットを受信するステップを有する。上記方法は、インデックスに基づいて値の第１のセットから第１の値を決定するステップと、第１の値に基づいて第１のアップリンク制御情報(ＵＣＩ)を多重化するためにＲＥのセットからＲＥの第１のサブセットを決定するステップと、ＰＵＳＣＨで第１のＵＣＩを送信するステップとを有する。
2020501456.tif 000002
【特許請求の範囲】
【請求項１】
値の第１のセットに対する構成を受信し、リソースエレメント(ＲＥ)のセットを通じて物理アップリンク共有データチャンネル(ＰＵＳＣＨ）の送信をスケジューリングし、インデックスを提供するフィールドを含むダウンリンク制御情報(ＤＣＩ)フォーマットを受信するように構成される受信器と、
前記インデックスに基づいて前記値の第１のセットから第１の値を決定し、前記第１の値に基づいて第１のアップリンク制御情報(ＵＣＩ)を多重化するために前記ＲＥのセットからＲＥの第１のサブセットを決定するように構成されるプロセッサと、
前記ＰＵＳＣＨで前記第１のＵＣＩを送信するように構成される送信器と、
を含むことを特徴とするユーザー装置(ＵＥ)。
【請求項２】
前記受信器は、値の第２のセットに対する構成及び値の第３のセットに対する構成を受信するようにさらに構成され、前記値の第２及び第３のセットは前記値の第１のセットと同一のサイズを有し、
前記プロセッサは、
前記インデックスに基づいて前記値の第２のセットから第２の値を決定し、
前記インデックスに基づいて前記値の第３のセットから第３の値を決定し、
前記第２の値に基づいて第２のＵＣＩを多重化するために前記ＲＥのセットからＲＥの第２のサブセットを決定し、
前記第３の値に基づいて第３のＵＣＩを多重化するために前記ＲＥのセットからＲＥの第３のサブセットを決定するようにさらに構成され、
前記送信器は、前記ＰＵＳＣＨで前記第２のＵＣＩ及び第３のＵＣＩを送信するようにさらに構成されることを特徴とする請求項１に記載のＵＥ。
【請求項３】
前記第１のＵＣＩはハイブリッド自動再送要求確認応答(ＨＡＲＱ-ＡＣＫ)情報であり、
前記第２のＵＣＩはチャンネル状態情報(ＣＳＩ)の第１のパートであり、
前記第３のＵＣＩは２個のパートを含むＣＳＩの第２のパートであることを特徴とする請求項２に記載のＵＥ。
【請求項４】
前記ＣＳＩの第１のパートは所定の第１の個数の情報ビットを含み、前記ＣＳＩの第２のパートは前記ＣＳＩの第１のパートにより指示される個数の情報ビットを含むことを特徴とする請求項３に記載のＵＥ。
【請求項５】
前記情報ビットの所定の第１の個数が情報ビットの所定の第２の個数より小さい場合、前記所定の第２の個数と所定の第１の個数との間の差と同一であり、所定の値を有する個数の追加的なビットが前記ＣＳＩの第１のパートに含まれることを特徴とする請求項４に記載のＵＥ。
【請求項６】
前記ＤＣＩフォーマットはＨＡＲＱ-ＡＣＫ情報コードワードの再送信を指示するフィールドを含み、
前記ＵＣＩは前記ＨＡＲＱ-ＡＣＫ情報コードワードを含むことを特徴とする請求項１に記載のＵＥ。
【請求項７】
前記ＲＥのセットに対する同一のマッピングが前記ＲＥの第１のサブセット、前記ＲＥの第２のサブセット、及び前記ＲＥの第３のサブセットのために使用され、
前記マッピングは、１番目に周波数ドメインで、２番目に時間ドメインで順次的であり、前記ＲＥの第１のサブセットから始まり、前記ＲＥの第２のサブセットで続き、前記ＲＥの第３のサブセットで終了することを特徴とする請求項２に記載のＵＥ。
【請求項８】
値の第１のセットに対する構成を送信し、リソースエレメント(ＲＥ)のセットを通じて物理アップリンク共有データチャンネル(ＰＵＳＣＨ)の受信をスケジューリングし、インデックスを提供するフィールドを含むダウンリンク制御情報(ＤＣＩ)フォーマットを送信するように構成される送信器と、
前記インデックスに基づいて前記値の第１のセットから第１の値を決定し、前記第１の値に基づいて第１のアップリンク制御情報(ＵＣＩ)を逆多重化するために前記ＲＥのセットからＲＥの第１のサブセットを決定するように構成されるプロセッサと、
前記ＰＵＳＣＨで前記第１のＵＣＩを受信するように構成される受信器と、
を含むことを特徴とする基地局。
【請求項９】
前記送信器は、値の第２のセットに対する構成及び値の第３のセットに対する構成を送信するようにさらに構成され、前記値の第２及び第３のセットは前記値の第１のセットと同一のサイズを有し、
前記プロセッサは、
前記インデックスに基づいて前記値の第２のセットから第２の値を決定し、
前記インデックスに基づいて前記値の第３のセットから第３の値を決定し、
前記第２の値に基づいて第２のＵＣＩを逆多重化するために前記ＲＥのセットからＲＥの第２のサブセットを決定し、
前記第３の値に基づいて第３のＵＣＩを逆多重化するために前記ＲＥのセットからＲＥの第３のサブセットを決定するようにさらに構成され、
前記受信器は、前記ＰＵＳＣＨで前記第２のＵＣＩ及び第３のＵＣＩを受信するようにさらに構成されることを特徴とする請求項８に記載の基地局。
【請求項１０】
前記第１のＵＣＩはハイブリッド自動再送要求確認応答(ＨＡＲＱ-ＡＣＫ)情報であり、
前記第２のＵＣＩはチャンネル状態情報(ＣＳＩ)の第１のパートであり、
前記第３のＵＣＩは２個のパートを含むＣＳＩの第２のパートであることを特徴する請求項９に記載の基地局。
【請求項１１】
前記ＣＳＩの第１のパートは所定の第１の個数の情報ビットを含み、前記ＣＳＩの第２のパートは前記ＣＳＩの第１のパートにより指示される個数の情報ビットを含むことを特徴とする請求項１０に記載の基地局。
【請求項１２】
前記情報ビットの所定の第１の個数が情報ビットの所定の第２の個数より小さい場合、前記所定の第２の個数と所定の第１の個数との間の差と同一であり、所定の値を有する個数の追加的なビットが前記ＣＳＩの第１のパートに含まれることを特徴とする請求項１１に記載の基地局。
【請求項１３】
前記ＤＣＩフォーマットはＨＡＲＱ-ＡＣＫ情報コードワードの再送信を指示するフィールドを含み、
前記ＵＣＩは前記ＨＡＲＱ-ＡＣＫ情報コードワードを含むことを特徴とする請求項８に記載の基地局。
【請求項１４】
前記ＲＥのセットに対する同一のマッピングが前記ＲＥの第１のサブセット、前記ＲＥの第２のサブセット、及び前記ＲＥの第３のサブセットのために使用され、
前記マッピングは、１番目に周波数ドメインで２番目に時間ドメインで順次的であり、前記ＲＥの第１のサブセットから始まり、前記ＲＥの第２のサブセットで続き、前記ＲＥの第３のサブセットで終了することを特徴とする請求項９に記載の基地局。
【請求項１５】
請求項１乃至請求項１４のいずれか１項に記載の前記ＵＥにより動作されるステップを有することを特徴とする方法。
【発明の詳細な説明】
【技術分野】
【０００１】
本発明は、一般的に無線通信システムに関して、特にアップリンクデータチャンネルにおいて制御情報を多重化する送信をサポートすることに関する。
【背景技術】
【０００２】
４Ｇ(4th-Generation)通信システムの商用化以降、増加の傾向にある無線データトラフィック需要を満たすために、改善された５Ｇ通信システム又はＰｒｅ-５Ｇ通信システムを開発するための努力が注がれている。そのため、５Ｇ通信システム又はＰｒｅ-５Ｇ通信システムは、４Ｇネットワーク以後の通信システム又はＬＴＥシステム以後(post  LTE）のシステムと呼ばれている。
【０００３】
より高いデータ伝送率を達成するために、５Ｇ通信システムは、高い周波数帯域、例えば６０ＧＨｚ帯域での実現が考慮されている。これら無線波形の電波の損失を減少させ、送信カバレッジを増加させるために、５Ｇ通信システムではビームフォーミング、大規模ＭＩＭＯ(massive Multi-Input Multi-Output)、全次元ＭＩＭＯ(ＦＤ-ＭＩＭＯ)、アレイアンテナ、アナログビームフォーミング、及び大規模アンテナ技術が論議されている。
【０００４】
さらに、システムのネットワークの改善のために、５Ｇ通信システムでは進化した小型セル、改善された小型セル、クラウド無線アクセスネットワーク(cloud RAN)、超高密度ネットワーク、機器間(Ｄ２Ｄ)通信、無線バックホール通信、移動ネットワーク、協力通信(cooperative communication)、ＣｏＭＰ(Coordinated Multi-Points)送信及び受信、及び干渉緩和及び除去のような技術開発が行われている。
【０００５】
その他にも、５Ｇシステムでは進歩したコーディング変調(Advanced Coding Modulation：ＡＣＭ)技術であるＦＱＡＭ(hybrid FSK and QAM modulation)及びＳＷＳＣ(Sliding Window Superposition Coding）と、進歩した接続技術であるＦＢＭＣ(Filter Bank Multi Carrier)、ＮＯＭＡ(Non-Orthogonal Multiple Access)、及びＳＣＭＡ(Sparse Code Multiple Access)などが開発されている。
【０００６】
ユーザー装置(ＵＥ)は、一般的に端末、あるいは移動局と称され、固定又は移動され、またセルラー電話、個人用コンピュータデバイス、又は自動化デバイであり得る。ｇＮＢは、一般的に固定局であり、また基地局、アクセスポイント、又は他の等価用語として称される。通信システムは、基地局又は一つ以上の送信ポイントからＵＥへの送信を示すダウンリンク(ＤＬ)とＵＥから基地局又は一つ以上の受信ポイントへの送信を示すアップリンク(ＵＬ)を含む。
【発明の概要】
【発明が解決しようとする課題】
【０００７】
本発明は、ＬＴＥ(Long  Term  Evolution)のような４世代(４Ｇ)通信システムより高いデータレートをサポートするために提供されるプレ５Ｇ又は５Ｇ通信システムに関する。本発明は、物理アップリンク共有チャンネル(ＰＵＳＣＨ)にアップリンク制御情報(ＵＣＩ)を多重化することに関する。また、本発明は、データ伝送ブロック(ＴＢ)又はデータＴＢの適応的再送信を搬送するＰＵＳＣＨでＵＣＩタイプの送信に対する階層別コーディングされたシンボルの個数を決定することに関する。本発明は、追加的にデータコードブロック(ＣＢ)の適応的再送信を搬送するＰＵＳＣＨでＵＣＩタイプの送信に対する階層別コーディングされたシンボルの個数を決定することに関するものであって、ここで適応的再送信は、データＣＢの初期送信と異なるデータＣＢを含む。さらに、本発明は、ＰＵＳＣＨがＵＣＩのみを搬送する場合、ＰＵＳＣＨでＵＣＩタイプの送信に対する階層別コーディングされたシンボルの個数を決定することに関する。本発明は、追加的にデータ受信の信頼性に対する影響を最小化しＵＣＩ受信信頼性が改善されるようにＰＵＳＣＨで多様なＵＣＩタイプに対するコーディングシンボルを多重化することに関する。また、本発明は、予め定められた値より大きいＵＣＩペイロードに適用可能な符号化方法を使用して所定値より小さいかあるいは等しいＵＣＩペイロードの符号化をサポートすることに関する。本発明は、追加的にｇＮＢがＵＥからのハイブリッド自動再送要求確認応答(ＨＡＲＱ-ＡＣＫ)コードワードの再送信をスケジューリング可能にすることに関する。本発明は、コードブロックグループごとにＨＡＲＱ-ＡＣＫ情報の送信を可能にすることに関する。本発明は、追加的にＵＣＩ又はＳＲＳ多重化を有するスロットでＵＥからＰＵＳＣＨ送信のパラメータに対してＵＣＩ又はＳＲＳ多重化がないスロットと異なる調整を適用し、潜在的に異なる可変ＤＭＲＳリソースを考慮することに関する。
【課題を解決するための手段】
【０００８】
上記のような目的を達成するために、本発明の一態様によれば、ＵＥは、値の第１のセットに対する構成を受信し、リソースエレメント(ＲＥ)のセットを通じて物理アップリンク共有データチャンネル(ＰＵＳＣＨ）の送信をスケジューリングし、インデックスを提供するフィールドを含むダウンリンク制御情報(ＤＣＩ)フォーマットを受信するように構成される受信器を含む。上記ＵＥは、インデックスに基づいて値の第１のセットから第１の値を決定し、第１の値に基づいて第１のアップリンク制御情報(ＵＣＩ)を多重化するためにＲＥのセットからＲＥの第１のサブセットを決定するように構成されるプロセッサをさらに含む。なお、上記ＵＥは、ＰＵＳＣＨで第１のＵＣＩを送信するように構成される送信器を含む。
【０００９】
本発明の他の態様によれば、基地局は、値の第１のセットに対する構成を送信し、ＲＥのセットを通じてＰＵＳＣＨの受信をスケジューリングし、インデックスを提供するフィールドを含むＤＣＩフォーマットを送信するように構成される送信器を含む。上記基地局は、インデックスに基づいて値の第１のセットから第１の値を決定し、第１の値に基づいて第１のＵＣＩを逆多重化するためにＲＥのセットからＲＥの第１のサブセットを決定するように構成されるプロセッサと、ＰＵＳＣＨで第１のＵＣＩを受信するように構成される受信器とを含む。
【００１０】
本発明の他の態様によれば、ＵＥの方法は、値の第１のセットに対する構成を受信するステップと、リソースエレメント(ＲＥ)のセットを通じて物理アップリンク共有データチャンネル(ＰＵＳＣＨ）の送信をスケジューリングし、インデックスを提供するフィールドを含むダウンリンク制御情報(ＤＣＩ)フォーマットを受信するステップを有する。上記方法は、インデックスに基づいて値の第１のセットから第１の値を決定するステップと、第１の値に基づいて第１のアップリンク制御情報(ＵＣＩ)を多重化するためにＲＥのセットからＲＥの第１のサブセットを決定するステップと、ＰＵＳＣＨで第１のＵＣＩを送信するステップとをさらに有する。
本発明の他の態様によれば、ユーザー装置(ＵＥ)は、データ伝送ブロック(ＴＢ)ごとに
【数１】
2020501456.tif 000003
個のハイブリッド自動再送要求確認応答(ＨＡＲＱ-ＡＣＫ)情報ビットに対する構成を受信し、データＴＢの受信をスケジューリングするダウンリンク制御情報(ＤＣＩ)フォーマットを受信し、
【数２】
2020501456.tif 000004
個のデータコードブロック(ＣＢ)を含むデータＴＢを受信するように構成される受信器と、複数のＣＢグループ(ＣＢＧ)の各々に対するＨＡＲＱ-ＡＣＫ情報ビットの個数
【数３】
2020501456.tif 000005
を決定し、最初の
【数４】
2020501456.tif 000006
最後の
【数５】
2020501456.tif 000007
のＨＡＲＱ-ＡＣＫ情報ビットを含むＨＡＲＱ-ＡＣＫコードワードを生成するように構成されるプロセッサと、物理アップリンク制御チャンネル(ＰＵＣＣＨ)又は物理アップリンク共有データチャンネル(ＰＵＳＣＨ)でＨＡＲＱ-ＡＣＫコードワードを送信するように構成される送信器とを含む。ここで、
【数６】
2020501456.tif 000008
ｍｏｄはモジュロ(modulo)関数である。
本発明の他の態様によれば、ＵＥにおいて、上記プロセッサは
【数７】
2020501456.tif 000009
として決定するようにさらに構成され、ここでｍｉｎは最小関数である。
本発明の他の態様によれば、ＵＥにおいて、
【数８】
2020501456.tif 000010
より小さい場合、ＨＡＲＱ-ＡＣＫコードワードは否定応答(ＮＡＣＫ)値を有する最後の
【数９】
2020501456.tif 000011
個のＨＡＲＱ-ＡＣＫ情報ビットをさらに含む。
本発明の他の態様によれば、ＵＥにおいて、ＤＣＩフォーマットは、
【数１０】
2020501456.tif 000012
より小さい場合、データＴＢのＣＢＧが新たなＣＢＧであるかあるいは以前のＣＢＧであるかを示す
【数１１】
2020501456.tif 000013
個のビットを含む。
本発明の他の態様によれば、ＵＥにおいて、プロセッサは、
【数１２】
2020501456.tif 000014
として決定するようにさらに構成され、ＴＢＳはデータＴＢのサイズであり、ＣＢＳmaxはデータＣＢの予め定められた最大サイズである。
【００１１】
本発明の他の態様によれば、ＵＥにおいて、ＤＣＩフォーマットは、スロットインデックス又はセルインデックスの昇順にＣＢＧの個数をカウントするフィールドを含む。
【００１２】
本発明の他の態様によれば、ＵＥにおいて、受信器は、ＰＵＳＣＨでデータＴＢの送信をスケジューリングし、データＴＢに対する変調及びコーディング方式に対する第１のインデックスを提供するフィールドを含むＤＣＩフォーマットを受信するようにさらに構成され、プロセッサは、ＨＡＲＱ-ＡＣＫコードワードがＰＵＳＣＨで送信される場合に第１のインデックスから第１のインデックスより小さい第２のインデックスを決定するようにさらに構成され、送信器は、第２のインデックスに対応する変調及びコーディング方式を使用してＰＵＳＣＨでデータＴＢを送信するようにさらに構成される。
【００１３】
本発明の他の態様によれば、基地局は、データ伝送ブロック(ＴＢ)ごとに
【数１３】
2020501456.tif 000015
個のハイブリッド自動再送要求確認応答(ＨＡＲＱ-ＡＣＫ)情報ビットに対する構成を送信し、データＴＢの送信をスケジューリングするダウンリンク制御情報(ＤＣＩ)フォーマットを送信し、
【数１４】
2020501456.tif 000016
個のデータコードブロック(ＣＢ)を含むデータＴＢを送信するように構成される送信器と、複数のＣＢグループ(ＣＢＧ)の各々に対するＨＡＲＱ-ＡＣＫ情報ビットの個数
【数１５】
2020501456.tif 000017
個のＨＡＲＱ-ＡＣＫ情報ビットを含むＨＡＲＱ-ＡＣＫコードワードを決定するように構成されるプロセッサと、物理アップリンク制御チャンネル(ＰＵＣＣＨ)又は物理アップリンク共有データチャンネル(ＰＵＳＣＨ)でＨＡＲＱ-ＡＣＫコードワードを受信するように構成される受信器とを含む。ここで、
【数１６】
2020501456.tif 000018
ｍｏｄはモジュロ(modulo)関数である。
【００１４】
本発明の他の態様によれば、基地局において、上記プロセッサは
【数１７】
2020501456.tif 000019
として決定するようにさらに構成され、ここでｍｉｎは最小関数である。
【００１５】
本発明の他の態様によれば、基地局において、
【数１８】
2020501456.tif 000020
より小さい場合、ＨＡＲＱ-ＡＣＫコードワードは否定応答(ＮＡＣＫ)値を有する最後の
【数１９】
2020501456.tif 000021
個のＨＡＲＱ-ＡＣＫ情報ビットをさらに含む。
【００１６】
本発明の他の態様によれば、基地局において、ＤＣＩフォーマットは、
【数２０】
2020501456.tif 000022
より小さい場合、データＴＢのＣＢＧが新たなＣＢＧであるかあるいは以前のＣＢＧであるかを示す
【数２１】
2020501456.tif 000023
個のビットを含む。
【００１７】
本発明の他の態様によれば、基地局において、プロセッサは、
【数２２】
2020501456.tif 000024
として決定するようにさらに構成され、ＴＢＳはデータＴＢのサイズであり、ＣＢＳmaxはデータＣＢの予め定められた最大サイズである。
【００１８】
本発明の他の態様によれば、基地局において、ＤＣＩフォーマットは、スロットインデックス又はセルインデックスの昇順にＣＢＧの個数をカウントするフィールドを含む。
【００１９】
本発明の他の態様によれば、基地局において、送信器は、ＰＵＳＣＨでデータＴＢの送信をスケジューリングし、データＴＢに対する変調及びコーディング方式に対する第１のインデックスを提供するフィールドを含むＤＣＩフォーマットを送信するようにさらに構成され、プロセッサは、ＨＡＲＱ-ＡＣＫコードワードがＰＵＳＣＨで送信される場合に第１のインデックスから第１のインデックスより小さい第２のインデックスを決定するようにさらに構成され、受信器は、第２のインデックスに対応する変調及びコーディング方式を使用してＰＵＳＣＨでデータＴＢを受信するようにさらに構成される。
【００２０】
本発明の他の態様によれば、方法は、データ伝送ブロック(ＴＢ)ごとに
【数２３】
2020501456.tif 000025
個のハイブリッド自動再送要求確認応答(ＨＡＲＱ-ＡＣＫ)情報ビットに対する構成を受信するステップと、データＴＢの受信をスケジューリングするダウンリンク制御情報(ＤＣＩ)フォーマットを受信するステップと、
【数２４】
2020501456.tif 000026
個のデータコードブロック(ＣＢ)を含むデータＴＢを受信するステップと、複数のＣＢグループ(ＣＢＧ)の各々に対するＨＡＲＱ-ＡＣＫ情報ビットの個数
【数２５】
2020501456.tif 000027
を決定するステップと、最初の
【数２６】
2020501456.tif 000028
のＣＢを決定するステップと、
最初の
【数２７】
2020501456.tif 000029
のＨＡＲＱ-ＡＣＫ情報ビットを生成するステップと、
最後の
【数２８】
2020501456.tif 000030
のＨＡＲＱ-ＡＣＫ情報ビットを生成するステップと、
【数２９】
2020501456.tif 000031
のＨＡＲＱ-ＡＣＫ情報ビットを含むＨＡＲＱ-ＡＣＫコードワードを生成するステップと、物理アップリンク制御チャンネル(ＰＵＣＣＨ)又は物理アップリンク共有データチャンネル(ＰＵＳＣＨ)でＨＡＲＱ-ＡＣＫコードワードを送信するステップとを有する。ここで、
【数３０】
2020501456.tif 000032
ｍｏｄはモジュロ(modulo)関数である。
【００２１】
本発明の実施形態の他の特徴は、添付した図面、以下の詳細な説明、及び特許請求の範囲の記載により明らかになる。
【００２２】
本発明の詳細な説明に先立って、本明細書の全般にわたって使用される特定の単語及び語句の定義を説明することが好ましい。“接続（結合）する(couple)”という語句とその派生語は、２個以上の構成要素の間で、相互に物理的な接触状態にあるか否か、それら間の任意の直接的又は間接的通信を称する。“送信する(transmit)”、“受信する(receive)”、及び“通信する(communicate)”という用語だけでなく、その派生語は、直接及び間接的な通信の両方ともを含む 。“含む（include）”及び “備える（comprise）”という語句だけではなく、その派生語（derivatives thereof）は、限定ではなく、含みを意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“通信する（be communicable with）”、“協力する（cooperate with）”、“相互配置する（interleave）”、“並置する（juxtapose）”、“近接する（be proximate to）”、“接する（be bound to or with）”、“有する（have）”、及び“特性を有する（have a property of）”などを意味することができる。“制御部(controller)”は、少なくとも１つの動作を制御する装置、システム又はその部分を意味するもので、ハードウェア、ファームウェア、ソフトウェア、又は、それらのうちの２つ以上の組合せで実現することができる。ある特定の制御器に関連した機能性は、ローカルでも遠隔でも、集中するか又は分散することができることに留意しなければならない。“少なくとも一つの(at least one of)”とい
う語句は、項目のリストとともに使用される時に、リストされた項目のうち一つ以上の異なる組み合せが使用され、そのリスト内の一つの項目のみが必要とされることができることを意味する。例えば、“Ａ、Ｂ、及びＣのうち少なくとも一つ”は、次のような組み合せのうちいずれか一つを含む：Ａ、Ｂ、Ｃ、Ａ及びＢ、Ａ及びＣ、Ｂ及びＣ、及びＡとＢとＣ。
【００２３】
さらに、以下に記述される様々な機能は、１つ以上のコンピュータプログラムにより具現されるか又はサポートされ、そのプログラムの各々は、コンピュータ読み取り可能なプログラムコードで構成され、コンピュータ読み取り可能な媒体で実施される。“アプリケーション”及び“プログラム”という用語は、一つ以上のコンピュータプログラム、ソフトウェアコンポーネント、命令語セット、手順、関数、オブジェクト、クラス、インスタンス、関連データ、又は適したコンピュータ読み取り可能なプログラムコードの実現に適合したそれらの一部を称する。“コンピュータ読み取り可能なプログラムコード”という語句は、ソースコード、オブジェクトコード、及び実行コードを含むすべてのタイプのコンピュータコードを含む。“コンピュータ読み取り可能な媒体”という語句は、ＲＯＭ（Read Only Memory）、ＲＡＭ（Random Access Memory）、ハードディスクドライブ、ＣＤ（Compact Disc）、ＤＶＤ（Digital Video Disc）、又は任意の他のタイプのメモリのように、コンピュータによりアクセス可能なすべてのタイプの媒体を含む。“非一時的(non-transitory)”なコンピュータ読み取り可能な媒体は、一時的な電気又は他の信号を転送する有線、無線、光学、又は他の通信リンクを除外する。非一時的なコンピュータ読み取り可能な媒体は、データが永久的に記憶されることができる媒体、及び再記録可能な光学ディスクや削除可能なメモリ装置のようにデータが記憶され、後でオーバーライティングされ得る媒体を含む。
【００２４】
特定の単語及び語句に関する定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００２５】
本発明の態様、特徴、及び利点は、本発明を遂行するための最良の形態を含む複数の特定実施形態及び実現を簡単に示すことによって、下記の詳細な説明から容易に明らかになる。また、本発明は、その他及び異なる実施形態も可能であり、そのさまざまな詳細は本発明の精神及び範囲を逸脱することなく多様で明白な側面で変更されることができる。したがって、図面及び説明は、本来の例示として見なされ、限定的なものと見なされない。本発明は、添付の図面において限定的でなく、例として示される。
【００２６】
以下で、周波数分割複信(ＦＤＤ)及び時分割複信(ＴＤＤ)は、両方ともＤＬ及びＵＬシグナリングに対するデュプレックス方法として考慮される。
【００２７】
例示説明及び実施形態が直交周波数分割多重化(ＯＦＤＭ)又は直交周波数分割多重アクセス(ＯＦＤＭＡ)を仮定するとしても、本発明は、フィルタリングされたＯＦＤＭ(Ｆ-ＯＦＤＭ)又はゼロサイクリックすプレフィックスを有するＯＦＤＭのような他のＯＦＤＭベースの送信波形又は多重アクセス方式に拡張されうる。
【００２８】
本発明は、共に又は相互に組み合わせて使用されるか、あるいは独立(standalone)方式で動作されるいくつかのコンポーネントを含める。
【００２９】
本発明のより完全な理解及びそれに従う利点は、添付された図面とともに考慮すれば、後述する詳細な説明を参照してより容易に理解できる。また上記図面で同一の参照番号は同一の構成要素を示す。
【図面の簡単な説明】
【００３０】
【図１】本発明の実施形態による無線ネットワークの例を示す図である。
【図２】本発明の実施形態によるｇＮＢの例を示す図である。
【図３】本発明の実施形態によるＵＥの例を示す図である。
【図４Ａ】本発明の実施形態による直交周波数分割多重アクセス送信経路のハイレベルブロック図である。
【図４Ｂ】本発明の実施形態による直交周波数分割多重アクセス受信経路のハイレベルブロック図である。
【図５】本発明の実施形態によるＰＤＳＣＨ送信又はＰＤＣＣＨ送信のためのＤＬスロット構造の一例を示す図である。
【図６】本発明の実施形態によるＰＵＳＣＨ送信又はＰＵＣＣＨ送信のためのＵＬスロット構造の一例を示す図である。
【図７】本発明の実施形態によるＯＦＤＭを使用する送信器構造の一例を示す図である。
【図８】本発明の実施形態によるＯＦＤＭを使用する受信器構造の一例を示す図である。
【図９】本発明の一実施形態によるＰＵＳＣＨに含まれているデータ情報及びＵＣＩのための送信器の一例を示すブロック図である。
【図１０】本発明の一実施形態によるＰＵＳＣＨに含まれているデータ情報及びＵＣＩのための受信器の一例を示すブロック図である。
【図１１】本発明の一実施形態により、ＰＵＳＣＨがデータＴＢの再送信の初期送信を搬送するか否かに従ってＰＵＳＣＨに含まれているコーディングされた変調シンボルの個数を決定するために適用する
【数３１】
2020501456.tif 000033
値をＵＥが決定するプロセスの一例を示す図である。
【図１２】本発明の一実施形態により、関連されたＵＬ  ＤＣＩフォーマットに含まれているシグナリングに基づいてＰＵＳＣＨ送信でコーディングされた変調シンボルの個数を決定するために適用する
【数３２】
2020501456.tif 000034
値を決定するプロセスの一例を示す図である。
【図１３】本発明の一実施形態により、ＨＡＲＱ-ＡＣＫ、ＲＩ/ＣＲＩ(ＣＳＩパート１)、データを伝送するコーディングされた変調シンボルのＰＵＳＣＨ上のサブキャリアへのマッピングの一例を示す図である。
【図１４】本発明の一実施形態により、ＨＡＲＱ-ＡＣＫ、ＲＩ/ＣＲＩ(ＣＳＩパート１)、データを伝送するコーディングされた変調シンボルのＰＵＳＣＨ上のサブキャリアへのマッピングの一例を示す図である。
【図１５】本発明の一実施形態により、ＨＡＲＱ-ＡＣＫ、ＲＩ/ＣＲＩ(ＣＳＩパート１)、データを伝送するコーディングされた変調シンボルのＰＵＳＣＨサブキャリアへのマッピングの一例を示す図である。
【図１６】本発明の一実施形態により、ＨＡＲＱ-ＡＣＫ、ＲＩ/ＣＲＩ(ＣＳＩパート１)、データを伝送するコーディングされた変調シンボルのＰＵＳＣＨサブキャリアへのマッピングの一例を示す図である。
【図１７】本発明の一実施形態により、利用可能なＰＵＳＣＨスロットシンボルにわたってＵＣＩコーディングされた変調シンボルをマッピングする第１のオプションによってＨＡＲＱ-ＡＣＫ、ＲＩ/ＣＲＩ(ＣＳＩパート１)、データを伝送するコーディングされた変調シンボルのＰＵＳＣＨサブキャリア上のマッピングの一例を示す図である。
【図１８】本発明の一実施形態により、基準ＣＳＩペイロード(ＣＳＩパート１)に基づいたＣＳＩコーディングされた変調シンボルの個数に対する決定の一例を示す図である。
【図１９】本発明の一実施形態により、ＣＳＩをＰＵＳＣＨ送信のサブキャリアにマッピングする第１のアプローチの一例を示す図である。
【図２０】本発明の一実施形態により、ＣＳＩをＰＵＳＣＨ送信のサブキャリアにマッピングする第２のアプローチの一例を示す図である。
【図２１】本発明の一実施形態により、ＵＣＩがＰＵＳＣＨ送信で多重化される場合に追加的ＤＭＲＳの存在の例を示す図である。
【図２２】本発明の一実施形態により、オリジナル情報ペイロードより長い長さを有するコードワードの使用によるオリジナル情報ペイロードに対するマッピング及び符号化プロセスの一例を示す図である。
【図２３】本発明の一実施形態により、オリジナル情報ペイロードより長い長さを有するコードワードの使用によるオリジナル情報ペイロードに対する復号化及びデマッピングプロセスの一例を示す図である。
【図２４】本発明の一実施形態によるＨＡＲＱ-ＡＣＫコードワード再送信に対するスケジューリングを示す図である。
【図２５】本発明の一実施形態により、データコードブロックのデータコードブロックグループへの適応的分割及び所定長さのＨＡＲＱ-ＡＣＫコードワードの各適応的生成の一例を示す図である。
【図２６】本発明の一実施形態により、ＰＵＳＣＨに含まれているデータ情報及びＵＣＩに対する受信器の一例を示すブロック図である。
【図２７】本発明の一実施形態により、ＵＣＩ多重化によるコードレートでの増加を考慮するためのＵＥがＵＬ  ＤＣＩフォーマットでシグナリングされるＭＣＳインデックスを調整し、調整されたＭＣＳインデックスを決定するプロセスの一例を示す図である。
【図２８】本発明の一実施形態により、ＰＵＳＣＨでＵＣＩ又はＳＲＳ多重化によるコードレートでの増加を考慮するためのＵＥがデータＴＢＳを決定するためにＵＬ  ＤＣＩフォーマットでシグナリングされるＲＢの個数を調整するプロセスの例を示す図である。
【発明を実施するための形態】
【００３１】
以下、本発明の望ましい実施形態を添付の図面を参照して詳細に説明する。
【００３２】
後述される図１〜図２８及び、本発明の原理を説明するために使用される多様な実施形態は、単にその実施例を示すものに過ぎず、本発明の範囲を限定するものとして捉えてはならない。本発明の原理が適切に配列されたシステム又はデバイスで実現できることは、当該技術分野で通常の知識を有する者には明らかである。
【００３３】
ここで、次のような文書及びスタンダードの説明が完全に記載されるように本発明に参照することにより組み込まれる。
【００３４】
3GPP TS 36.211 v13.2.0，“E-UTRA，Physical channels and modulation;” 3GPP TS 36.212 v13.2.0，“E-UTRA, Multiplexing and Channel coding;”3GPP TS 36.213 v13.2.0，“E-UTRA,Physical Layer Procedures;” 3GPP TS 36.321 v13.2.0,“E-UTRA，Medium Access Control(MAC) protocol specification;”and   3GPP TS 36.331v13.2.0，“E-UTRA,Radio Resource Control(RRC) Protocol Specification.”
【００３５】
４Ｇ通信システムの商用化以後に増加傾向にある無線データトラフィックに対する需要を満たすために、改善された５Ｇ又はプレ５Ｇ(pre-5G)通信システムを開発するための努力がなされている。したがって、５Ｇ又はプレ５Ｇ通信システムは、“４Ｇ以降のネットワーク((Beyond 4G Network)”又は“ポストＬＴＥシステム(Post LTE System)”と呼ばれる。
【００３６】
より高いデータレートを達成するために、５Ｇ通信システムは、高い周波数帯域、例えば６０ＧＨｚ帯域での実現が考慮される。これら無線波形の伝搬損失を減少させ、送信カバレッジを増加させるために、５Ｇ通信システムではビームフォーミング、大規模ＭＩＭＯ(massive Multi-Input Multi-Output)、全次元ＭＩＭＯ(ＦＤ-ＭＩＭＯ)、アレイアンテナ、アナログビームフォーミング、及び大規模アンテナ技術が論議されている。
【００３７】
さらに、５Ｇ通信システムでは、システムネットワークの改善のための開発が進化された小型セル、改善された小型セル、クラウド無線アクセスネットワーク(cloud  RAN)、超高密度ネットワーク、デバイス間(Ｄ２Ｄ)通信、無線バックホール通信、移動ネットワーク、協力通信、ＣｏＭＰ送信及び受信、干渉の緩和及び除去などにより進行されている。
【００３８】
５Ｇシステムでは、適応変調符号化(ＡＭＣ)技術としてハイブリッド周波数シフトキーイング及び直交振幅変調(ＦＱＡＭ)及びスライディングウィンドウ重複コーディング(ＳＷＳＣ)、進歩したアクセス技術としてフィルタバンクマルチキャリア(ＦＢＭＣ)、非直交多重アクセス(ＮＯＭＡ)、及びＳＣＭＡ(Sparse  Code  Multiple  Access)が開発されている。
【００３９】
下記の図１乃至図４Ｂは、無線通信システムにおいてＯＦＤＭ又はＯＦＤＭＡ通信技術を使用して実現される多様な実施形態を説明する。図１乃至図３の説明は、異なる実施形態が実現される方式に対する物理的又は構造的制限を暗示することを意味するものではない。本発明の異なる実施形態では、適切に配列されるいかなる通信システムでも実現することができる。
【００４０】
図１は、本発明の実施形態による無線ネットワーク１００の一例を示す。図１に示す無線ネットワーク１００の実施形態は、単に例示のためのものである。無線ネットワーク１００の他の実施形態は、本開示の範囲から逸脱しない範囲内で使用することが可能である。
【００４１】
図１に示すように、無線ネットワーク１００は、ｇＮＢ１０１、ｇＮＢ１０２、及びｇＮＢ１０３を含む。ｇＮＢ１０１は、ｇＮＢ１０２及びｇＮＢ１０３と通信する。また、ｇＮＢ１０１は、インターネット、私有インターネットプロトコル(ＩＰ)ネットワーク、又は他のデータネットワークのような少なくとも一つのネットワーク１３０と通信する。
【００４２】
ｇＮＢ１０２は、ｇＮＢ１０２のカバレッジ(coverage)領域１２０内で第１の複数のユーザー装置(ＵＥ)に対してネットワーク１３０に無線広帯域アクセスを提供する。第１の複数のＵＥは、スモールビジネス(ＳＢ)に位置するＵＥ１１１、エンタープライズ(Ｅ)に位置するＵＥ１１２、ＷｉＦｉホットスポット(ＨＳ)に位置するＵＥ１１３、第１のレジデンス(Ｒ)に位置するＵＥ１１４、第２のレジデンス(Ｒ)に位置するＵＥ１１５、セルラー電話、無線ラップトップ、無線ＰＤＡのような移動デバイス(mobile  device：Ｍ)であるＵＥ１１６を含む。ｇＮＢ１０３は、ｇＮＢ１０３のカバレッジ領域１２５内で第２の複数のＵＥに対してネットワーク１３０に無線広帯域アクセスを提供する。第２の複数のＵＥは、ＵＥ１１５及びＵＥ１１６を含む。いくつかの実施形態において、ｇＮＢ１０１-１０３のうち一つ以上は相互に通信でき、５Ｇ、ＬＴＥ、ＬＴＥ-Ａ、ＷｉＭＡＸ、ＷｉＦｉ、又は他の無線通信技術を使用してＵＥ１１１-１１６と通信できる。
【００４３】
ネットワークタイプに基づき、用語“基地局”又は“ＢＳ”は、送信ポイント(ＴＰ)、送信-受信ポイント(ＴＲＰ)、進化した基地局(ｅＮｏｄｅＢ又はｇＮＢ)、ｇＮＢ、マクロセル、フェムトセル、ＷｉＦｉアクセスポイント(ＡＰ)、あるいは他の無線イネーブルデバイスのようなネットワークに対する無線アクセスを提供するように構成される任意のコンポーネント(又はコンポーネント等の集合)を示すことができる。基地局は、一つ以上の無線プロトコル、例えば５Ｇ  ３ＧＰＰ新規無線インターフェース/アクセス(ＮＲ)、ＬＴＥ(Long  Term  Evolution)、進化したＬＴＥ(ＬＴＥ-Ａ)、高速パケットアクセス(ＨＳＰＡ)、Ｗｉ-Ｆｉ８０２.１１ａ/ｂ/ｇ/ｎ/ａｃなどによる無線アクセスを提供する。便宜上、用語“ｅＮｏｄｅＢ”又は“ｇＮＢ”は、この特許文書で遠隔端末に無線アクセスを提供するネットワークインフラストラクチャコンポーネントを示すために使われる。また、ネットワークタイプに基づいて、“移動局”、“加入者局(subscriber  station)”、“遠隔端末”、“無線端末”、又は“ユーザーデバイス”のようにその他のよく知られている用語が“ユーザー装置”又は“ＵＥ”の代わりに使用される。便宜上、用語“ユーザー装置”及び“ＵＥ”は、ＵＥが(移動電話又はスマートフォンのような)移動デバイスであるか、あるいはノーマルに(例えば、デスクトップコンピュータ又は自動販売機のような)固定デバイスであるかに関係なく、この特許文書ではｇＮＢに無線でアクセスする遠隔無線装置を示すために使用される。
【００４４】
点線はカバレッジ領域１２０，１２５の概略的範囲を示し、これは単に例示及び説明の目的のために概略的に円形で示される。カバレッジ領域１２０，１２５のようなｇＮＢに関連されるカバレッジ領域は、ｇＮＢの構成及び自然的なそして人為的な障害物と関連した無線環境での変更に基づいて不均一な形状を含む他の形態を有することが明らかに理解されなければならない。
【００４５】
以下により具体的に説明されるように、ＵＥ１１１〜１１６のうち一つ以上は、進化した無線通信システムにおける物理アップリンク共有データチャンネルでアップリンク制御情報(ＵＣＩ)を送信するための、あるいは認知(acknowledgement)情報を有するコードワードを決定するための回路、プログラミング、又はその組合せを含む。特定の実施形態において、ｇＮＢ１０１-１０３のうち一つ以上は、進化した無線通信システムで物理アップリンク共有データチャンネル又は物理アップリンク制御チャンネルでＵＣＩを受信するための、あるいは認知情報を有するコードワードを決定するための回路、プログラミング、又はその組合せを含む。
【００４６】
図１が無線ネットワーク１００の一例を示しても、図１に対して多様な変更がなされることができる。例えば、無線ネットワーク１００は、適合した配列で任意の個数のｇＮＢ及び任意の個数のＵＥを含む。また、ｇＮＢ１０１は、任意の個数のＵＥと直接通信でき、ＵＥにネットワーク１３０に対する無線広帯域アクセスを提供できる。同様に、各ｇＮＢ１０２-１０３は、ネットワーク１３０と直接に通信し、ＵＥにネットワーク１３０に対する直接的な無線広帯域アクセスを提供する。さらに、ｇＮＢ１０１、１０２、及び/又は１０３は、外部電話ネットワーク又は他のタイプのデータネットワークのような他の又は追加的な外部ネットワークにアクセスを提供できる。
【００４７】
図２は、本発明の実施形態によるｇＮＢ１０２の一例を示す。図２に示すｇＮＢ１０２の実施形態は、単に例示のためのものであり、図１のｇＮＢ１０１，１０３は同一又は類似した構成を有する。しかしながら、ｇＮＢは多様な構成が導入され、それによって図２は本開示の範囲をｇＮＢの任意の特定の実現で制限されるものではない。
【００４８】
図２に示すように、ｇＮＢ１０２は、複数のアンテナ２０５ａ-２０５ｎと、複数のＲＦ送受信器２１０ａ-２１０ｎと、送信(ＴＸ)処理回路２１５、及び受信(ＲＸ)処理回路２２０を含む。ｇＮＢ１０２は、制御器/プロセッサ２２５、メモリ２３０、及びバックホール又はネットワークインターフェース２３５を含む。
【００４９】
ＲＦ送受信器２１０ａ-２１０ｎは、アンテナ２０５ａ-２０５ｎからネットワーク１００でＵＥにより送信された信号のような入力されるＲＦ信号を受信する。ＲＦ送受信器２１０ａ-２１０ｎは、入力されるＲＦ信号をダウンコンバートしてＩＦ又はベースバンド信号を生成する。ＩＦ又はベースバンド信号は、ＲＸ処理回路２２０に送信され、ＲＸ処理回路２２０は、ベースバンド又はＩＦ信号をフィルタリング、復号化、及び/又はデジタル化して処理されたベースバンド信号を生成する。ＲＸ処理回路２２０は、追加的なプロセッシングのために処理されたベースバンド信号を制御器/プロセッサ２２５に送信する。一部実施形態においては、ＲＦ送受信器２１０ａ-２１０ｎは、ダウンリンク制御情報(ＤＣＩ)フォーマットを伝送する物理ダウンリンク制御チャンネル(ＰＤＣＣＨ）、ＤＣＩフォーマットによりスケジューリングされる一つ以上のデータ伝送ブロックを伝送する物理ダウンリンク共有チャンネル(ＰＤＳＣＨ）、及び一つ以上のデータ伝送ブロックを送信することに対応して認知情報を伝送する物理アップリンク制御チャンネル(ＰＵＣＣＨ)又は物理アップリンク共有チャンネル(ＰＵＳＣＨ)の受信に関する構成情報を送信する。
【００５０】
ＴＸ処理回路２１５は、制御器/プロセッサ２２５から(音声データ、Ｗｅｂデータ、電子メール、あるいは双方向ビデオゲームデータのような)アナログ又はデジタルデータを受信する。ＴＸ処理回路２１５は、出力されるベースバンドデータを符号化、多重化及び/又はデジタル化して処理されたベースバンド又はＩＦ信号を生成する。ＲＦ送受信器２１０ａ-２１０ｎは、ＴＸ処理回路２１５から出力される処理されたベースバンド又はＩＦ信号を受信し、ベースバンド又はＩＦ信号をアンテナ２０５ａ-２０５ｎを介して送信されるＲＦ信号にアップコンバートする。
【００５１】
制御器/プロセッサ２２５は、ｇＮＢ１０２の全般的な動作を制御する一つ以上のプロセッサ又は他の処理デバイスを含む。例えば、制御器/プロセッサ２２５は、よく知られている原理によってＲＦ送受信器２１０ａ-２１０ｎ、ＲＸ処理回路２２０、及びＴＸ処理回路２１５による順方向チャンネル信号の受信及び逆方向チャンネル信号の送信を制御する。制御器/プロセッサ２２５は、より進歩した無線通信機能のような追加機能をサポートする。一例として、制御器/プロセッサ２２５は、複数のアンテナ２０５ａ-２０５ｎからの出力される信号が所望する方向に出力される信号を効率的にステアリング(steering)するために異なって加重されるビームフォーミング又は指向性ルーティング動作をサポートできる。多様な他の機能のうちいずれか一つは、ｇＮＢ１０２で制御器/プロセッサ２２５によりサポートされる。
【００５２】
一部実施形態において、制御器/プロセッサ２２５は、少なくとも一つのマイクロプロセッサ又はマイクロ制御器を含む。以下により具体的に説明されるように、ｇＮＢ１０２は、アップリンクチャンネル及び/又はダウンリンクチャンネルのプロセッシングのための回路、プログラミング、あるいはその組合せを含む。例えば、制御器/プロセッサ２２５は、制御器/プロセッサが信号を処理するように構成されるメモリ２３０に格納されている一つ以上の命令(instruction)を実行するように構成される。
【００５３】
さらに、制御器/プロセッサ２２５は、ＯＳのようなメモリ２３０に存在するプログラム及び他のプロセスを実行する。制御器/プロセッサ２２５は、実行中であるプロセスにより要求されるようなデータをメモリ２３０の内部又は外部に移動させる。
【００５４】
制御器/プロセッサ２２５は、バックホール又はネットワークインターフェース２３５に接続される。バックホール又はネットワークインターフェース２３５は、ｇＮＢ１０２がバックホール接続を通じて、あるいはネットワークを介して他のデバイス又はシステムと通信するようにする。インターフェース２３５は、任意の適合した有線又は無線接続を通じて通信をサポートする。例えば、ｇＮＢ１０２が(５Ｇ、ＬＴＥ、又はＬＴＥ-Ａをサポートするような)セルラー通信システムの一部で実現される場合、インターフェース２３５は、ｇＮＢ１０２が有線又は無線バックホール接続を通じて他のｇＮＢと通信するように許可する。ｇＮＢ１０２がアクセスポイントとして実現される場合、インターフェース２３５は、ｇＮＢ１０２が有線又は無線近距離通信ネットワークを介して、あるいは(インターネットのような)有線又は無線接続を通じてより大きいネットワークに通信することを許可する。インターフェース２３５は、イーサネット（登録商標）又はＲＦ送受信器のような有線又は無線接続を通じて通信をサポートする適合した構造を含む。
【００５５】
メモリ２３０は、制御器/プロセッサ２２５に接続される。メモリ２３０の一部は、ＲＡＭを含み、メモリ２３０の他の一部はフラッシュメモリ又は他のＲＯＭを含む。
【００５６】
図２にｇＮＢ１０２の一例を示したが、図２に対して多様な変更がなされうる。例えば、ｇＮＢ１０２は、図２に示す任意の個数の各コンポーネントを含むことができる。特定の例として、アクセスポイントは、複数のインターフェース２３５を含み、制御器/プロセッサ２２５は、異なるネットワークアドレスの間でデータをルーティングするルーティング機能をサポートする。もう一つの特定の例として、ＴＸ処理回路２１５の単一インスタンスとＲＸ処理回路２２０の単一インスタンスを含むように示されている一方で、ｇＮＢ１０２は、各々(ＲＦ送受信器ごとに１個のように）複数のインスタンスを含むことができる。また、図２における多様なコンポーネントは、組み合わせるか、あるいは追加的に再び分割するか、あるいは省略することができ、追加的なコンポーネントが特別な必要に応じて追加され得る。
【００５７】
図３は、本発明の実施形態によるＵＥ１１６の一例を示す。図３に示すようなＵＥ１１６の実施形態は、単に例示のみを示すもので、図１のＵＥ１１１-１１５は、同一の又は類似した構成を有する。しかしながら、ＵＥは、多様な構成が採用され、それによって図３は本開示の範囲をＵＥの任意の特定実現に制限されるものではない。
【００５８】
図３に示すように、ＵＥ１１６は、アンテナ３０５、無線周波数(ＲＦ)送受信器３１０、ＴＸ処理回路３１５、マイクロホン３２０、及び受信(ＲＸ)処理回路３２５を含む。ＵＥ１１６は、スピーカ３３０、プロセッサ３４０、入/出力(Ｉ/Ｏ)インターフェース(ＩＦ)３４５、タッチスクリーン３５０、ディスプレイ３５５、及びメモリ３６０を含む。メモリ３６０は、オペレーティングシステム(ＯＳ)３６１及び一つ以上のアプリケーション３６２を含む。
【００５９】
ＲＦ送受信器３１０は、アンテナ３０５からネットワーク１００のｇＮＢにより送信された入力されるＲＦ信号を受信する。ＲＦ送受信器３１０は、入力されるＲＦ信号をダウンコンバートして中間周波数(ＩＦ)又はベースバンド信号を生成する。ＩＦ又はベースバンド信号はＲＸ処理回路３２５に送信され、ＲＸ処理回路３２５は、ベースバンド又はＩＦ信号をフィルタリング、復号化、及び/又はデジタル化して処理されたベースバンド信号を生成する。ＲＸ処理回路３２５は、追加的なプロセッシングのために処理されたベースバンド信号を(例えば、音声データ向けのような)スピーカ３３０又は(Ｗｅｂブラウジングデータ向けのような)プロセッサ３４０に送信する。
【００６０】
ＴＸ処理回路３１５は、マイクロホン３２０からアナログ又はデジタル音声データを受信し、あるいはプロセッサ３４０から(Ｗｅｂデータ、電子メール、又は双方向ビデオゲームデータのような)他の出力ベースバンドデータを受信する。ＴＸ処理回路３１５は、出力ベースバンドデータを符号化、多重化及び/又はデジタル化して処理されたベースバンド又はＩＦ信号を生成する。ＲＦ送受信器３１０は、ＴＸ処理回路３１５から出力される処理されたベースバンド又はＩＦ信号を受信し、ベースバンド又はＩＦ信号を、アンテナ３０５を介して送信されるＲＦ信号にアップコンバートする。
【００６１】
プロセッサ３４０は、一つ以上のプロセッサ又は他の処理デバイスを含み、ＵＥ１１６の全般的な動作を制御するためにメモリ３６０に格納されているＯＳ３６１を実行する。例えば、プロセッサ３４０は、公知の原則によってＲＦ送受信器３１０、ＲＸ処理回路３２５、及びＴＸ処理回路３１５による順方向チャンネル信号の受信及び逆方向チャンネル信号の送信を制御する。いくつかの実施形態で、プロセッサ３４０は、少なくとも一つのマイクロプロセッサ又はマイクロ制御器を含む。
【００６２】
さらに、プロセッサ３４０は、ダウンリンクチャンネルで基準信号に対するプロセスのように、メモリ３６０に存在する他のプロセス及びプログラムを実行する。プロセッサ３４０は、実行中であるプロセスにより要求されるように、データをメモリ３６０の内外部に移動させる。一部実施形態において、プロセッサ３４０は、ＯＳプログラム３６１に基づき、あるいはｇＮＢ又はオペレータから受信される信号に応答してアプリケーション３６２を実行するように構成される。また、プロセッサ３４０は、Ｉ/Ｏインターフェース３４５に接続され、Ｉ/Ｏインターフェース３４５は、ＵＥ１１６にラップトップコンピュータ及びハンドヘルドコンピュータのような他のデバイスに対する接続能力を提供する。Ｉ/Ｏインターフェース３４５は、このようなアクセサリとプロセッサ３４０との間の通信経路である。
【００６３】
プロセッサ３４０は、タッチスクリーン３５０及びディスプレイユニット３５５に接続される。ＵＥ１１６のオペレータは、タッチスクリーン３５０を用いてＵＥ１１６にデータを入力する。ディスプレイ３５５は、Ｗｅｂサイトのようなテキスト及び/又は少なくとも制限されたグラフィックをレンダリング可能な液晶クリスタルディスプレイ、発光ダイオードディスプレイ、又は他のディスプレイでありうる。
【００６４】
メモリ３６０は、プロセッサ３４０に接続される。メモリ３６０の一部はランダムアクセスメモリ(ＲＡＭ)を含み、メモリ３６０の他の部分は、フラッシュメモリ又は他のＲＯＭ(Read-Only  Memory)を含むことができる。
【００６５】
図３にＵＥ１１６の一例を示したが、図３に対して多様な変更がなされることができる。例えば、図３での多様なコンポーネントは組み合わせるか、さらに分割されるか、あるいは省略され、他のコンポーネントが特別な必要に応じて追加されうる。特定の例として、プロセッサ３４０は、一つ以上の中央処理装置(ＣＰＵ)及び一つ以上の画像処理装置(ＧＰＵ)のような複数のプロセッサに分割される。さらに、図３では移動電話又はスマートフォンのように構成されたＵＥ１１６を示したが、ＵＥは、他のタイプの移動又は固定デバイスとして動作するように構成されることができる。
【００６６】
図４Ａは、送信経路回路４００のハイレベルブロック図を示す。例えば、送信経路回路４００は、直交周波数分割多重アクセス(ＯＦＤＭＡ)通信に使用される。図４Ｂは、受信経路回路４５０のハイレベルブロック図を示す。一例として、受信経路回路４５０は、ＯＦＤＭＡ通信に使用される。図４Ａ及び図４Ｂにおいて、ダウンリンク通信に対して、送信経路回路４００は、基地局(例えば、ｇＮＢ)１０２又は中継局(relay  station)で実現され、受信経路回路４５０は、ユーザー装置(例えば、図１のユーザー装置１１６)で実現されうる。他の例として、アップリンク通信に対して、受信経路回路４５０は、基地局(例えば、図１のｇＮＢ１０２)又は中継局で実現され、送信経路回路４００は、ユーザー装置(例えば、図１のユーザー装置１１６)で実現される。
【００６７】
送信経路回路４００は、チャンネルコーディング及び変調ブロック４０５、直列-並列(S-to-P)ブロック４１０、サイズ逆高速フーリエ変換(ＩＦＦＴ)ブロック４１５、並列-直列(P-to-S）ブロック４２０、サイクリックプレフィックス付加ブロック４２５、及びアップコンバータ(ＵＣ)４３０を含む。受信経路回路４５０は、ダウンコンバータ(ＤＣ)４５５、サイクリックプレフィックス除去ブロック４６０、直列-並列ブロック４６５、サイズＮ高速フーリエ変換(ＦＦＴ)ブロック４７０、並列-直列ブロック４７５、及びチャンネル復号化及び復調ブロック４８０を含む。
【００６８】
図４Ａ及び図４Ｂに含まれているコンポーネントのうち少なくとも一部は、ソフトウェアで実現される一方、他のコンポーネントは構成可能なハードウェア又はソフトウェア及び構成可能なハードウェアの混合でも実現され得る。特に、本願で説明されるＦＦＴブロック及びＩＦＦＴブロックは、構成可能なソフトウェアアルゴリズムで実現され、ここでサイズＮの値は上記の実現によって修正されうる。
【００６９】
さらに、本開示が高速フーリエ変換及び逆高速フーリエ変換を実現する実施形態をターゲットとするが、これは単に例示のために提供され、本発明の範囲を制限すると理解してはならない。本発明の他の実施形態において、高速フーリエ変換機能及び逆高速フーリエ変換機能は、各々離散フーリエ変換(ＤＦＴ)機能及び逆離散フーリエ変換(ＩＤＦＴ)機能に容易に代替可能であることがわかる。ＤＦＴ及びＩＤＦＴ機能に対して、Ｎ変数の値は、任意の整数(すなわち、１，４，３，４など)であり、これに対してＦＦＴ及びＩＦＦＴ機能に対して、Ｎ変数の値は２の自乗である任意の整数(すなわち、１，２，４，８，１６など)でありうる。
【００７０】
送信経路回路４００において、チャンネルコーディング及び変調ブロック４０５は、情報ビットのセットを受信し、入力ビットにコーディング(例えば、ＬＤＰＣコーディング）を適用し、変調して(例えば、直交位相シフトキーイング(ＱＰＳＫ)又は直交振幅変調(ＱＡＭ))周波数ドメイン変調シンボルのシーケンスで生成する。直列-並列ブロック４１０は、直列変調されたシンボルを並列データに変換して(すなわち、逆多重化して)Ｎ個の並列シンボルストリームを生成し、ここで、ＮはＢＳ１０２及びＵＥ１１６で使用されるＩＦＦＴ/ＦＦＴサイズである。サイズＮ  ＩＦＦＴブロック４１５は、その後にＮ個の並列シンボルストリームに対してＩＦＦＴ動作を実行して時間-ドメイン出力信号を生成する。並列-直列ブロック４２０は、サイズＮ  ＩＦＦＴブロック４１５からの並列時間-ドメイン出力シンボルを変換して(すなわち、多重化して)直列時間-ドメイン信号を生成する。サイクリックプレフィックス付加ブロック４２５は、その後に時間-ドメイン信号にサイクリックプレフィックスを挿入する。アップコンバータ４３０は、サイクリックプレフィックス付加ブロック４２５の出力を、無線チャンネルを介して送信するためのＲＦ周波数に変調する(すなわち、アップコンバートする)。また、上記信号は、ＲＦ周波数への変換以前にベースバンドでフィルタリングされる。
【００７１】
送信されるＲＦ信号は、無線チャンネルを介して通過した後にＵＥ１１６に到着され、ｇＮＢ１０２での動作に対する逆動作が実行される。ダウンコンバータ４５５は、受信された信号をベースバンド周波数にダウンコンバートし、サイクリックプレフィックス除去ブロック４６０は、サイクリックプレフィックスを除去して直列時間-ドメインベースバンド信号を生成する。直列-並列ブロック４６５は、時間-ドメインベースバンド信号を並列時間ドメイン信号に変換する。サイズＮ  ＦＦＴブロック４７０は、その後にＦＦＴアルゴリズムを実行してＮ個の並列周波数-ドメイン信号を生成する。並列-直列ブロック４７５は、並列周波数-ドメイン信号を変調されたデータシンボルのシーケンスに変換する。チャンネル復号化及び復調ブロック４８０は、変調されたシンボルを復調し、その後に復号化してオリジナル入力データストリームに回復する。
【００７２】
ｇＮＢ１０１-１０３は、各々ダウンリンクでユーザー装置１１１-１１６への送信に類似した送信経路を実現でき、アップリンクでユーザー装置１１１-１１６からの受信に類似した受信経路を実現できる。同様に、ユーザー装置１１１-１１６は、各々アップリンクでｇＮＢ１０１-１０３への送信に対するアーキテクチャに対応する送信経路を実現し、ダウンリンクでｇＮＢ１０１-１０３からの受信に対するアーキテクチャに対応する受信経路を実現することができる。
【００７３】
ＤＬ送信又はＵＬ送信は、一般的にＵＬ送信に適用可能なＤＦＴ拡散ＯＦＤＭとして知られているＤＦＴプリコーディングを使用する変形を含むＯＦＤＭ波形を基にする。
【００７４】
セルでのＤＬシグナリング又はＵＬシグナリングのための基準時間単位は、スロットと称され、一つ以上のスロットシンボルを含む。帯域幅(ＢＷ)単位は、リソースブロック(ＲＢ)と称される。一個のＲＢは、複数のサブキャリア(ＳＣ)を含む。例えば、スロットは、１/２ミリ秒又は１ミリ秒の区間を有し、各々７個のシンボル又は１４個のシンボルを含み、ＲＢは、１８０ＫＨｚのＢＷを有し、１５ＫＨｚのＳＣ間の間隔を有する１２個のＳＣを含み、あるいは７２０ＫＨｚのＢＷを有し、６０ＫＨｚ間の間隔を有する１２個のＳＣを含む。ＵＥに対するＢＷ受信能力またはＢＷ送信能力は、各々ＤＬシステムＢＷ又はＵＬシステムＢＷより小さいことがあり、他のＵＥに対してはスロット別に、各々ＤＬシステムＢＷ又はＵＬシステムＢＷの異なる部分でＤＬ受信又はＵＬ送信が構成される。スロットは、時分割複信(ＴＤＤ)システムにおける特別サブフレーム(special  subframe)と同様に、ＤＬ送信のためのシンボル及びＵＬ送信のためのシンボルを両方とも含むフル(full)ＤＬスロット、又はフルＵＬスロット、あるいはハイブリッドスロットでありうる。ＯＦＤＭ波形が送信に使用される場合、リソースエレメント(ＲＥ)はＳＣと等しい。ＤＦＴ-Ｓ-ＯＦＤＭ波形が送信に使用される場合、ＲＥは、仮想ＳＣと等しい。２個の用語は、本開示で交互に使われる。
【００７５】
ＤＬ信号は、情報コンテンツを伝送するデータ信号、ＤＬ制御情報(ＤＣＩ)を伝送する制御信号、及びパイロット信号とも知られている基準信号(ＲＳ)を含む。ｇＮＢは、各物理ＤＬ共有チャンネル(ＰＤＳＣＨ)又は物理ＤＬ制御チャンネル(ＰＤＣＣＨ)を介してデータ情報又はＤＣＩを送信する。ｇＮＢは、チャンネル状態情報ＲＳ(ＣＳＩ-ＲＳ)及び復調ＲＳ(ＤＭＲＳ)を含むＲＳの複数のタイプのうち一つ以上を送信する。ＣＳＩ-ＲＳは、ＵＥが測定を実行してｇＮＢにチャンネル状態情報(ＣＳＩ)を提供するようにする。ＤＭＲＳは、一般的に各ＰＤＣＣＨ又はＰＤＳＣＨのＢＷでのみ送信され、ＵＥは、ＤＭＲＳを用いてＤＣＩ又はデータ情報を復調することができる。ＤＬ  ＤＭＲＳ又はＣＳＩ-ＲＳは、Ｚａｄｏｆｆ−Ｃｈｕ (ＺＣ)シーケンス又は疑似ノイズ(ＰＮ)シーケンスで構成される。
【００７６】
チャンネル測定のために、ノンゼロ電力ＣＳＩ-ＲＳ(ＮＺＰ  ＣＳＩ-ＲＳ)リソースが使用される。干渉測定報告(ＩＭＲ)のために、ゼロ電力ＣＳＩ-ＲＳ(ＺＰ  ＣＳＩ-ＲＳ)構成に関連したＣＳＩ干渉測定(ＣＳＩ-ＩＭ)リソースが使用される。ＣＳＩプロセスは、ＮＺＰ  ＣＳＩ-ＲＳ及びＣＳＩ-ＩＭリソースを含む。ＵＥは、ｇＮＢからの無線リソース制御(ＲＲＣ)シグナリングのような上位レイヤシグナリングを通じてＣＳＩ-ＲＳ送信パラメータを決定できる。ＣＳＩ-ＲＳの送信インスタンス及びリソースは、ＤＬ制御シグナリングにより指示されるか、あるいは上位レイヤシグナリングにより構成される。ＤＭＲＳは、各ＰＤＣＣＨ又はＰＤＳＣＨのＢＷでのみ送信され、ＵＥは、ＤＭＲＳを用いてデータ又は制御情報を復調する。
【００７７】
図５は、本発明の実施形態による送信又はＰＤＣＣＨ送信のためのＤＬスロット構造５００の一例を示す。図５に示す送信又はＰＤＣＣＨ送信のためのＤＬスロット構造５００の実施形態は、単に例示のためのものである。他の実施形態は本発明の範囲から逸脱しない範囲内で使用可能である。
【００７８】
スロット５１０は、ｇＮＢがデータ情報、ＤＣＩ、又はＤＭＲＳを送信する
【数３３】
2020501456.tif 000035
個のシンボル５２０を含む。ＤＬシステムＢＷは、
【数３４】
2020501456.tif 000036
ＵＥは、ＰＤＳＣＨ送信ＢＷに対して
【数３５】
2020501456.tif 000037
のＳＣ５３０に対して
【数３６】
2020501456.tif 000038
個のＲＢが割り当てられる。第１のスロットシンボル５４０は、ｇＮＢによりＤＣＩ及びＤＭＲＳの送信に使用される。第２のスロットシンボル５５０は、ｇＮＢによりＤＣＩ、ＤＭＲＳ、又はデータ情報の送信に使用される。残りのスロットシンボル５６０は、ｇＮＢによりデータ情報、ＤＭＲＳ、及び可能なＣＳＩ-ＲＳを送信するのに使用される。一部のスロットで、ｇＮＢは同期信号及びシステム情報を送信できる。
【００７９】
さらに、ＵＬ信号は、情報コンテンツを伝送するデータ信号、ＵＬ制御情報(ＵＣＩ)を伝送する制御信号、データ又はＵＣＩ復調に関連されるＤＭＲＳ、ｇＮＢがＵＬチャンネル測定を実行可能にするサウンディングＲＳ(ＳＲＳ)、ＵＥがランダムアクセスを実行可能にするランダムアクセス(ＲＡ)プリアンブルを含む。ＵＥは、各物理ＵＬ共有チャンネル(ＰＵＳＣＨ)又は物理ＵＬ制御チャンネル(ＰＵＣＣＨ)を介してデータ情報又はＵＣＩを送信する。ＵＥがデータ情報及びＵＣＩを同時に送信する場合、ＵＥは、両方ともをＰＵＳＣＨに多重化する。ＵＣＩは、ＰＤＳＣＨに含まれているデータ伝送ブロック(ＴＢ)の正確な又は不正確な検出を示すハイブリッド自動再送要求確認応答(ＨＡＲＱ-ＡＣＫ)情報、ＵＥがＵＥのバッファにデータを有するか否かを示すスケジューリング要求(ＳＲ)、及びｇＮＢがＵＥへのＰＤＳＣＨ又はＰＤＣＣＨ送信に適合したパラメータを選択することを可能にするＣＳＩ報告を含む。
【００８０】
ＵＥからのＣＳＩ報告は、ｇＮＢにＵＥが１０％ブロックエラーレート(ＢＬＥＲ)のような所定のＢＬＥＲでデータＴＢを検出するための最も大きい変調及びコーディング方式(ＭＣＳ）、ｇＮＢにＭＩＭＯ送信原則に従って複数の送信器アンテナからの信号を組み合わせる方法に関して知らせるプリコーディング行列インジケータ(ＰＭＩ)、及びＰＤＳＣＨに対する送信ランクを指示するランクインジケータ(ＲＩ)を通知するチャンネル品質インジケータ(ＣＱＩ)を含む。ＲＩ及びＣＳＩは、ＣＳＩと一緒に(jointly)コーディングされ、ＣＳＩは２個のパートを含み、ＣＳＩパート１はＲＩ、ＣＲＩ、及びＣＳＩのいくつかの所定のパートを含む一方で、ＣＳＩパート２は残りのＣＳＩを含むことができる。ＵＬ  ＲＳは、ＤＭＲＳ及びＳＲＳを含む。ＤＭＲＳは、各ＰＵＳＣＨ又はＰＵＣＣＨ送信のＢＷのみで送信される。ＤＭＲＳ又はＳＲＳは、ＺＣシーケンス又は所定の特徴を有するコンピュータ生成(ＣＧ)シーケンスにより表されうる。ＺＣシーケンス又はＧＣシーケンスに関連するサイクリックシフト(ＣＳ）は時間でホッピングできる。例えば、ｇＮＢは、ＵＥにＰＵＳＣＨ又はＰＵＣＣＨで第１のＤＭＲＳ送信に対して適用可能なＧＣシーケンスに対するＣＳを明示的又は暗黙的に指示し、ＵＥは、所定のＣＳホッピングパターンに基づいてＰＵＳＣＨ又はＰＵＣＣＨで次のＤＭＲＳ送信に対するＣＳを決定する。ｇＮＢは、ＤＭＲＳを用いて各ＰＵＳＣＨ又はＰＵＣＣＨで情報を復調する。ＳＲＳは、ＵＥによりｇＮＢにＵＬ  ＣＳＩを提供するために送信され、ＴＤＤシステムに対して、ＳＲＳ送信はＤＬ送信のためのＰＭＩを提供する。加えて、ｇＮＢと同期又は初期ＲＲＣ接続を設定するために、ＵＥは、物理ランダムアクセスチャンネルを送信する。
【００８１】
図６は、本発明の実施形態によるＰＵＳＣＨ送信又はＰＵＣＣＨ送信のためのＵＬスロット構造６００の一例を示す。図６に示すＰＵＳＣＨ送信又はＰＵＣＣＨ送信のためのＵＬスロット構造６００の実施形態は、単に例示のためのものである。他の実施形態が本発明の範囲から逸脱しない範囲で使用されうる。
【００８２】
スロット６１０は、ＵＥがＤＭＲＳ６３０を送信する少なくとも一つのシンボルを含むデータ情報、ＵＣＩ、又はＲＳを送信する
【数３７】
2020501456.tif 000039
個のシンボルら６２０を含む。ＵＬシステムＢＷは、
【数３８】
2020501456.tif 000040
ＵＥはＰＵＳＣＨ送信ＢＷ(“Ｘ”＝“Ｓ”)又はＰＵＣＣＨ送信ＢＷ(“Ｘ”＝“Ｃ”)に対して
【数３９】
2020501456.tif 000041
一つ以上の最後のスロットシンボルは、一つ以上のＵＥからのＳＲＳ送信６５０(又はＰＵＣＣＨ送信）を多重化するために使用される。データ/ＵＣＩ/ＤＭＲＳ送信に利用可能なＵＬスロットシンボルの個数は
【数４０】
2020501456.tif 000042
である。
【数４１】
2020501456.tif 000043
個の最後のスロットシンボルがＰＵＸＣＨ送信ＢＷとＢＷで少なくとも部分的にオーバーラップされるＵＥから使用されたＳＲＳ送信(又はＰＵＣＣＨ送信)である場合
【数４２】
2020501456.tif 000044
したがって、ＰＵＸＣＨ送信に対する総ＳＣの個数は
【数４３】
2020501456.tif 000045
である。ＰＵＣＣＨ送信及びＰＵＳＣＨ送信は、同一のスロットで発生し、例えばＵＥはより以前のスロットシンボルでＰＵＳＣＨを送信し、より以後のスロットシンボルでＰＵＣＣＨを送信する。
【００８３】
ハイブリッドスロットは、ＬＴＥでの特別(special)サブフレームと同様に、ＤＬ送信領域、保護周期領域、及びＵＬ送信領域を含む。例えば、ＤＬ送信領域はＰＤＣＣＨ及びＰＤＳＣＨ送信を含み、ＵＬ送信領域はＰＵＣＣＨ送信を含む。例えば、ＤＬ送信領域はＰＤＣＣＨ送信を含み、ＵＬ送信領域はＰＵＳＣＨ及びＰＵＣＣＨ送信を含む。
【００８４】
ＰＤＣＣＨ送信は、複数の制御チャンネルエレメント(ＣＣＥ)を通じて行われる。 ＵＥは、一般的にＴＴＩでＤＣＩフォーマットを検出するために複数のＰＤＣＣＨ復号化動作を実行する。ＵＥは、該当するＣＣＥアグリゲーションレベルに対する検索空間機能に従ってＰＤＣＣＨ受信のためのＣＣＥ(ＰＤＣＣＨ候補）の位置を検出する。ＤＣＩフォーマットは、ＵＥがＤＣＩフォーマットの正確な検出を確認するための巡回冗長検査(ＣＲＣ)ビットを含む。ＤＣＩフォーマットタイプは、ＣＲＣをスクランブルする無線ネットワーク臨時識別子(ＲＮＴＩ)により識別される。
【００８５】
以下、ＵＥにＰＤＳＣＨ送信をスケジューリングするＤＣＩフォーマットは、ＤＬ  ＤＣＩフォーマット又はＤＬ割り当てと称され、それに対して、ＵＥからのＰＵＳＣＨ送信をスケジューリングするＤＣＩフォーマットは、ＵＬ  ＤＣＩフォーマット又はＵＬグラントと称される。ＤＬ  ＤＣＩフォーマット又はＵＬ  ＤＣＩフォーマットは、ＰＤＳＣＨ又はＰＵＳＣＨで各々ＤＬ  ＤＣＩ又はＵＬ  ＤＣＩによりスケジューリングされるデータ伝送ブロック(ＴＢ)送信が関連されるＨＡＲＱプロセスに対する新規データＴＢであるか、あるいは以前に送信されたデータＴＢであるかを指示する新規データインジケータ(ＮＤＩ)フィールドを含む。
【００８６】
図７は、本発明の実施形態によるＯＦＤＭを使用する送信器構造７００の一例を示す。図７に示す送信器構造７００の実施形態は、単に例示のためのものである。他の実施形態が本発明の範囲から逸脱しない範囲で使用されうる。
【００８７】
ＤＣＩビット又はデータビット７１０のような情報ビットは、エンコーダ７２０により符号化され、レートマッチャー(rate  matcher)７３０により割り当てられる時間/周波数リソースにレートマッチングされ、変調器７４０により変調される。その次に、変調された符号化シンボル及びＤＭＲＳ又はＳＲＳ７５０は、ＳＣマッピングユニット７６５によりＳＣ７６０にマッピングされ、フィルタ７７０により逆高速フーリエ変換(ＩＦＦＴ）が実行され、ＣＰ挿入ユニット７８０によりサイクリックプレフィックス(ＣＰ)が追加され、フィルタ７９０により結果信号がフィルタリングされ、無線周波数(ＲＦ)ユニット７９５により送信される。
【００８８】
図８は、本発明の実施形態によるＯＦＤＭを使用する受信器構造８００の一例を示す。図８に示す受信器構造８００の実施形態は、ただ例示のためのものである。他の実施形態が本発明の範囲から逸脱しない範囲で使用されうる。
【００８９】
受信された信号８１０はフィルタ８２０によりフィルタリングされ、ＣＰ除去ユニットはＣＰ８３０を除去し、フィルタ８４０は高速フーリエ変換(ＦＦＴ)を適用し、ＳＣデマッピングユニット８５０は、ＢＷ選択器ユニット８５５により選択されたＳＣをデマッピングし、受信されたシンボルはチャンネル推定器及び復調器ユニット８６０により復調され、、レートデマッチャー８７０はレートマッチングを回復し、デコーダ８８０は結果ビットを復号化して情報ビット８９０を提供する。
【００９０】
ＵＥが１個のデータＴＢを伝送するＰＵＳＣＨでＨＡＲＱ-ＡＣＫビット、ＲＩビット、又はＣＳＩ-ＲＳリソースインジケータ(ＣＲＩ)ビットを送信する場合、ＵＥは＜式１＞のようにＨＡＲＱ-ＡＣＫに対するレイヤ別コーディングされた変調シンボルの個数を決定する。類似した決定は、ＰＵＳＣＨが２個のデータＴＢのように１個を超えるデータＴＢを伝送する場合に適用される。
【００９１】
【数４４】
2020501456.tif 000046
ここで、ＯはＨＡＲＱ-ＡＣＫビット、ＲＩビット、又はＣＲＩビットの個数であり、
【数４５】
2020501456.tif 000047
はデータＴＢに対する現在のスロットで複数のＳＣでスケジューリングされたＰＵＳＣＨ送信ＢＷであり、
【数４６】
2020501456.tif 000048
は同一のデータＴＢに対する初期ＰＵＳＣＨ送信用スロットシンボルの個数であり、ＨＡＲＱ-ＡＣＫ送信に対する
【数４７】
2020501456.tif 000049
は上位レイヤシグナリングを通じてｇＮＢによりＵＥに構成されるパラメータであり、
【数４８】
2020501456.tif 000050
Ｃ、及びＫｒは同一のデータＴＢに対する初期ＤＬ制御チャンネルで伝送されるＤＣＩフォーマットから獲得される。同一のデータＴＢに対する初期ＤＬ制御チャンネルが存在しない場合、
【数４９】
2020501456.tif 000051
Ｃ、及びＫｒ は、同一のデータＴＢに対する初期ＤＬ制御チャンネルが半固定スケジューリング(ＳＰＳ)である場合に最も最近のＳＰＳ割り当てから、あるいはＰＵＳＣＨが同一のデータＴＢに対するランダムアクセス応答グラントにより開始される場合にランダムアクセス応答グラントから決定される。さらに、Ｃは、データＴＢに含まれているコードブロック(ＣＢ)の個数であり、ＫｒはＣＢｒのサイズであり、
【数５０】
2020501456.tif 000052
は数を次のより高い整数に四捨五入する天井関数(ceiling  function)であり、ｍｉｎ(ｘ，ｙ）はｘ又はｙのうちより小さい値を示す最小関数である。
【００９２】
ＵＥがＰＵＳＣＨで(ＣＱＩ/ＰＭＩで表現され、簡略性のために一緒にＣＳＩとして称される)ＣＱＩ又はＰＭＩを送信する場合、ＵＥは、＜式２＞のようにレイヤ別コーディングされた変調シンボルの個数
【数５１】
2020501456.tif 000053
を決定する。アナログ又はハイブリッドビームフォーミングを使用する多重ビーム動作に対して、ＣＳＩ報告は、ＣＱＩ及びＰＭＩに追加して、ビーム状態情報(ＢＳＩ)又はビーム関連情報(ＢＲＩ)を含む。
【００９３】
【数５２】
2020501456.tif 000054
【数５３】
2020501456.tif 000055
ＲＩが送信されない場合、
【数５４】
2020501456.tif 000056
である。残りの表記は、ＨＡＲＱ-ＡＣＫに対して説明したことに類似するので、簡略性のために説明を省略する。
【数５５】
2020501456.tif 000057
での変数“ｘ”は、初期ＵＬ  ＤＣＩフォーマットにより指示される最も高いＭＣＳ値に対応するＴＢインデックスを示す。
【００９４】
制御及びデータ多重化は、ＨＡＲＱ-ＡＣＫ情報が２個のスロットに存在し、ＤＭＲＳ周辺のリソースにマッピングされるように実行される。データ及び制御多重化への入力は、
【数５６】
2020501456.tif 000058
Ｈは、データＴＢのＮＬ個の送信階層にわたってデータ及びＣＱＩ/ＰＭＩに対して割り当てられたコーディングされたビットの総個数である。ＰＵＳＣＨで１個を超えるデータＴＢが送信されるケースにおける制御及びデータ多重化はＬＴＥ規格に説明されており、それによって本開示では追加的な説明を簡略性のために省略する。
【００９５】
ＬＴＥ規格に説明されているようなＵＣＩ多重化に対して、ＨＡＲＱ-ＡＣＫコーディングされた変調シンボルは、データコーディングされた変調シンボルを穿孔(puncturing)する。これは、相対的に大きいＨＡＲＱ-ＡＣＫ情報ペイロードのケースで問題となり得る。また、ｇＮＢが正確にＲＩ値を検出しない場合、ｇＮＢは、ＵＥから送信される関連ＣＳＩペイロードに対して正確に理解しない。ＵＥがＣＳＩコーディングされた変調シンボルに基づいてデータコーディングされた変調シンボルの送信をレートマッチングするため、ＣＳＩコーディングされた変調シンボルの個数に対する受信ｇＮＢでの不正確な理解は、(ＣＳＩ情報ペイロードの不正確な理解による)データＴＢに対するＨＡＲＱソフトバッファ損傷を招く可能性がある。
【００９６】
ＰＵＣＨ送信は、単にＡ-ＣＳＩのみを伝送し、いかなるデータも含まなく、ＨＡＲＱ-ＡＣＫ又はＲＩを含む。ＵＥがＰＵＳＣＨ送信でＡ-ＣＳＩ報告をトリガリングするＣＳＩ要求を有するＵＬ  ＤＣＩを検出する場合、ＵＥが１個のサービングセルに対してＣＳＩを報告し、ＰＵＳＣＨが４個又はそれより少ないＲＢでスケジューリングされ、ＵＬ  ＤＣＩフォーマットに含まれているＭＣＳインデックスが直前のＭＣＳインデックスである場合、ＵＥは、ＰＵＳＣＨ送信にデータを含めないことに決定できる。また、他の条件がＬＴＥ規格で説明されているような各動作シナリオに基づいて適用される。ＵＬ  ＤＣＩフォーマットに含まれているＣＳＩ要求フィールドは、１ビット又は２ビットのような所定個数のビットを含む。例えば、２ビットのマッピングは＜表１＞のようである。
【００９７】
【表１】
2020501456.tif 000059
【００９８】
ＵＥが(データなしに)ＵＣＩのみをＰＵＳＣＨ送信で多重化し、ＵＥがＨＡＲＱ-ＡＣＫビット又はＲＩビットを送信する場合、ＵＥは、＜式３＞のようにＨＡＲＱ-ＡＣＫ又はＲＩに対するコーディングされたシンボルの個数を決定する。
【００９９】
【数５７】
2020501456.tif 000060
ここで、ＯはＨＡＲＱ-ＡＣＫビット又はＲＩ/ＣＲＩビットの個数であり、
【数５８】
2020501456.tif 000061
はＡ-ＣＳＩがトリガされるサービングセルに対してランクが１と等しいと仮定する場合のＣＲＣビットを含むＣＱＩビットの個数である。ＨＡＲＱ-ＡＣＫに対して、
【数５９】
2020501456.tif 000062
＜式３＞において、ＨＡＲＱ-ＡＣＫ又はＲＩ/ＣＲＩコーディングされた変調シンボルの個数の決定において、一つの問題点は、上記個数が実際のＣＳＩ  ＭＣＳを基にすることでなく、その代わりに最小の可能なＣＳＩペイロード
【数６０】
2020501456.tif 000063
を使用することから招かれる最も小さいＣＳＩ  ＭＣＳに基づくことである。その結果、＜式３＞でのＨＡＲＱ-ＡＣＫ又はＲＩコーディングされた変調シンボルの個数は、かなりオーバーディメンション(over-dimensioned)になり、例えば、１００％を超えてオーバーディメンションになり得る。
【０１００】
図９は、本発明の実施形態によるＰＵＳＣＨに含まれているデータ情報及びＵＣＩのための送信器ブロック構成図９００の一例を示す。図９に示す送信器ブロック構成図９００の実施形態は、単に例示のためのものである。他の実施形態が本発明の範囲から逸脱しない範囲で使用可能である。
【０１０１】
図９を参照すると、存在する場合、コーディングされたＣＳＩシンボル９０５及び存在する場合、コーディングされたデータシンボル９１０はマルチプレクサ９２０により多重化される。必要な場合、コーディングされたＨＡＲＱ-ＡＣＫシンボルは、その後にデータシンボル及び/またはＣＳＩシンボルを穿孔することでマルチプレクサ９３０により挿入される。存在する場合、コーディングされたＲＩシンボルの送信は、コーディングされたＨＡＲＱ-ＡＣＫシンボルに対する送信と同様である(図示せず)。ＤＦＴ-Ｓ-ＯＦＤＭ波形が送信のために使用される場合、離散フーリエ変換(ＤＦＴ）がＤＦＴユニット９４０により適用され(ＯＦＤＭ波形のケースではＤＦＴが適用されない)、ＰＵＳＣＨ送信ＢＷに対応するＲＥ９５０は、選択器９５５により選択され、ＩＦＦＴ又はＩＦＦＴユニット９６０により実行され、出力は、フィルタ９７０によりフィルタリングされ、電力増幅器(ＰＡ)９８０により特定電力が適用されてから信号が送信される(９９０)。ＤＦＴマッピングにより、ＲＥは、仮想ＲＥのように見えられるが、簡単性のためにＲＥと称される。データ、ＨＡＲＱ-ＡＣＫ、又はＲＩのうちいずれか一つが送信されない場合、各送信器処理機能に該当する図９に含まれているブロックは省略される。簡略性のために、データシンボル及びＵＣＩシンボルに対するエンコーダ及び変調器だけでなくデジタル-アナログ変換器、フィルタ、増幅器、及び送信器アンテナのような追加的な送信器回路が省略される。
【０１０２】
図１０は、本発明の実施形態によるＰＵＳＣＨに含まれているデータ情報及びＵＣＩのための受信器ブロック構成図１０００の一例を示す。図１０に示す受信器ブロック構成図１０００の実施形態は、単に例示のためのものである。他の実施形態が本発明の範囲から逸脱しない範囲で使用可能である。
【０１０３】
図１０を参照すると、受信された信号１０１０は、フィルタ１０２０によりフィルタリングされ、ＦＦＴは、ＦＦＴユニット１０３０により適用され、選択器ユニット１０４０は、送信器により使用されるＲＥ１０５０を選択し、ＩＤＦＴ(Inverse  DFT)ユニットはＤＦＴ-Ｓ-ＯＦＤＭ波形が送信のために使用される場合にＩＤＦＴ１０６０を適用し、デマルチプレクサ１０７０は、存在する場合、コーディングされたＨＡＲＱ-ＡＣＫシンボルを抽出し、データシンボル及びＣＳＩシンボルに対して対応するＲＥに消去(erasure)を適用し、存在する場合、最後に他のデマルチプレクサ１０８０は、コーディングされたデータシンボル１０９０及び存在する場合、コーディングされたＣＳＩシンボル１０９５を分離する。存在する場合、コーディングされたＲＩシンボルの受信は、コーディングされたＨＡＲＱ-ＡＣＫシンボル(図示せず)に対する受信と同様である。データ、ＣＳＩ、ＨＡＲＱ-ＡＣＫ、又はＲＩのうちいずれか一つが送信されない場合、各受信器処理機能に対応する図１０のブロックは省略される。データ及びＵＣＩシンボルに対するチャンネル推定器、復調器、デコーダのような追加的な受信器回路は簡略性のために示されない。
【０１０４】
＜式１＞又は＜式２＞のように、レイヤＱ′別ＵＣＩタイプに対するコーディングされた変調シンボルの個数の決定は非適応的再送信に基づき、同一のデータＴＢに対する初期ＰＵＳＣＨ送信に関連されるパラメータを使用する。上記のような決定は、ＵＬ  ＤＣＩフォーマットに対する応答で、あるいはＵＣＩがＴＢのいくつかのコードブロック(ＣＢ)の適応的再送信時に存在するデータＴＢの適応的再送信で多重化される場合、例えば、ＵＥが全体ＴＢの代わりにＴＢで複数のＣＢ別ＨＡＲＱ-ＡＣＫフィードバックを提供する場合に不利である。
【０１０５】
＜式１＞又は＜式２＞のように、レイヤＱ′別ＵＣＩタイプに対するコーディングされた変調シンボルの個数の決定は、ｇＮＢが上位レイヤシグナリングによりＵＥに構成する単一の各
【数６１】
2020501456.tif 000064
を基にする。これは、ｇＮＢが異なるサービスに対応するデータ送信に対して異なるＢＬＥＲをターゲットとすることを許可しないため制約的である。さらに、これは、あまり制約的であり、それによって一般的にｇＮＢスケジューラが初期データＴＢ送信に対して、そしてデータＴＢのＨＡＲＱ再送信に対して同一のＰＵＳＣＨ送信を維持することが不可能である。データＴＢの初期送信のための、そしてＨＡＲＱ再送信のためのＰＵＳＣＨ送信電力が同一でない場合、＜式１＞又は＜式２＞のように、データＴＢの再送信を伝送するＰＵＳＣＨに含まれるコーディングされたＵＣＩシンボルの決定は、各送信電力がデータＴＢの初期電力に対する送信電力と異なる場合により不正確になり、それによって不要なＵＣＩオーバーヘッド又はより悪いＵＣＩ  ＢＬＥＲをもたらす。
【０１０６】
ＬＴＥ規格で説明されているようなシステム動作において、１４個のシンボルを含むスロットに対して、ＵＬデータチャンネルの送信に関連したＤＭＲＳは、開始する第４の及び第１１のスロットシンボルに存在し、ＨＡＲＱ-ＡＣＫ情報は、最も低いインデックスを有するＳＣから始める第３、第５、第１０、第１２のスロットシンボルに均等に分散され、ＲＩ/ＣＲＩ情報は、ＣＳＩが最も高いインデックスを有するＳＣから始めるスロットに含まれるすべてのシンボルにわたって分散される間に最も低いインデックスを有するＳＣから始める第２、第６、第９、第１３のスロットシンボルに均等に分散される。ＨＡＲＱ-ＡＣＫ情報をＤＭＲＳ送信のために使用されるスロットシンボルの次に位置させる理由は、他のＵＣＩタイプに比べてより重要に優先順位化されるＨＡＲＱ-ＡＣＫ情報の受信信頼性に対してドップラーシフト(Doppler  shift)に対するロバスト性(robustness）を提供するためである。
【０１０７】
復号化待ち時間(latency)を改善させるために、異なるスロット構造も考慮され、ここでＤＭＲＳ送信は、受信器が可能なかぎり早くチャンネル推定を獲得し、その後に周波数ドメインで１番目にマッピングされると仮定されるコードブロックの復号化を進行可能にするためにスロットの第１のＵＬシンボルで発生する。例えば、ドップラーシフトに対するロバスト性を提供するために、あるいはチャンネル推定の正確性を改善させるために必要とされるとき、追加的なスロットシンボルがＤＭＲＳ送信のために使用される。スロット構造は、データ情報、ＵＣＩ、又はＤＭＲＳの送信に対して利用可能な可変個数のシンボルを有する。例えば、ハイブリッドスロットは、７個のシンボルを含み、ここで第１のシンボルはＤＬ制御情報の送信に使用され、第２のシンボルは、ギャップ(gap)シンボルであり、その次に４個のシンボルはＵＥからのＤＭＲＳ、データ、又はＵＣＩの送信に使用され、第７のシンボルはＳＲＳ又は他のＵＣＩのような他の送信に使用される。ＬＴＥ規格で説明されているようなＵＣＩタイプのスロットシンボルに対するマッピングは、第１のシンボルがＤＭＲＳ送信に使用される場合、あるいは可変個数のスロットシンボルがＤＭＲＳ送信に使用される場合、あるいはスロットがＤＭＲＳ、データ、及びＵＣＩの送信に対して利用可能な可変個数のシンボルを含む場合に適用することができない。
【０１０８】
したがって、データＴＢの初期送信又はデータＴＢの適応的再送信を伝送するＰＵＳＣＨでＵＣＩタイプの送信のためにレイヤ別コーディングされたシンボルの個数に対する決定を改善させる必要がある。
【０１０９】
一部実施形態において、データＣＢの適応的再送信を伝送するＰＵＳＣＨでＵＣＩタイプの送信のためにレイヤ別コーディングされたシンボルの個数に対する決定を改善させる追加的な必要性が存在し、適応的再送信はデータＣＢの初期送信と異なるデータＣＢを含む。
【０１１０】
いくつかの実施形態において、ＰＵＳＣＨがＵＣＩのみを伝送する場合にＰＵＳＣＨでＵＣＩタイプの送信のためのレイヤ別コーディングされたシンボルの個数に対する決定を改善させる追加的な必要性がある。
【０１１１】
いくつかの実施形態において、データ受信の信頼性に対する影響を最小化させ、ＵＣＩ受信の信頼性を改善させるＰＵＳＣＨで多様なＵＣＩタイプに対してコーディングされたシンボルの多重化を決定する必要がある。
【０１１２】
以下、簡略性のために、データ情報は、一つ以上のデータＣＢを含む１個のデータＴＢを用いて送信されると仮定する。実施形態に関連される説明は、１個を超えるデータＴＢがサポートされるケースから直接拡張されうる。また、ＰＵＳＣＨ送信をスケジューリングするＤＣＩフォーマットはＵＬ  ＤＣＩフォーマットと称され、ＰＤＳＣＨ送信をスケジューリングするＤＣＩフォーマットはＤＬ  ＤＣＩフォーマットと称される。
【０１１３】
いくつかの実施形態において、ＵＣＩのＢＬＥＲからデータ情報のＢＬＥＲをデカップリング(decoupling)することは、ＰＵＳＣＨ送信の際にデータ情報と多重化される。
一例として、ＰＵＳＣＨがデータＴＢの初期送信を伝送する場合及びＰＵＳＣＨがデータＴＢの再送信を伝送する場合に対して、ＵＥは、ＰＵＳＣＨにＵＣＩタイプを多重化するためにコーディングされた変調シンボルの個数を決定するのに使用される異なる
【数６２】
2020501456.tif 000065
値が構成される。例えば、ＵＥは、ＰＵＳＣＨが初期データＴＢを伝送する場合、ＰＵＳＣＨに各ＵＣＩタイプを多重化するための第１の
【数６３】
2020501456.tif 000066
値が構成され、ＰＵＳＣＨがデータＴＢのＨＡＲＱ再送信を伝送する場合にＰＵＳＣＨに各ＵＣＩタイプを多重化するための第２の
【数６４】
2020501456.tif 000067
値が構成される。第２の
【数６５】
2020501456.tif 000068
値は、異なる冗長バージョン(redundancy  version）を有する増加冗長(incremental  redundancy)が各ＨＡＲＱ再送信のために使用されるときにもすべてのＨＡＲＱ再送信に対して同一である。あるいは、関連されるＵＣＩタイプに対する
【数６６】
2020501456.tif 000069
値は、データＴＢの最大値のＨＡＲＱ再送信の各々に対して別に構成され得る。
【０１１４】
ＰＵＳＣＨがデータＴＢの初期送信を伝送する場合及びＰＵＳＣＨがデータＴＢの再送信を伝送する場合、各ＵＣＩタイプに対するコーディングされた変調シンボルの個数を決定するための異なる
【数６７】
2020501456.tif 000070
値の構成は、スケジューラが初期データＴＢの送信又はデータＴＢの再送信を伝送するＰＵＳＣＨで多重化が発生するか否かと無関係であるＵＣＩタイプＢＬＥＲを達成する間に初期ＴＢ送信に対する、そして再送信に対して異なるＢＬＥＲをターゲットとすることを可能にするのに有利である。
【０１１５】
与えられた信号対干渉雑音比(ＳＩＮＲ)に対して、ＰＵＳＣＨでの送信のためのＵＣＩタイプに対するＢＬＥＲは、例えば＜式１＞又は＜式２＞のようにデータＴＢのＢＬＥＲにリンクされ、
【数６８】
2020501456.tif 000071
はＵＣＩタイプに対して、そしてデータＴＢに対して独立的なＢＬＥＲを設定するためにこのリンクを調整するパラメータであり、ＵＣＩタイプ送信が初期データＴＢ送信を伝送するＰＵＳＣＨに存在する場合、そしてＵＣＩタイプ送信がデータＴＢに対するＨＡＲＱ再送信を伝送するＰＵＳＣＨに存在する場合、
【数６９】
2020501456.tif 000072
値の別途の構成は、スケジューラが初期データＴＢ送信に対して、そしてデータＴＢ  ＨＡＲＱ再送信に対して異なるＢＬＥＲをターゲットとすることを許可する。
【０１１６】
例えば、受信器がデータＴＢの再送信でデータシンボルをデータＴＢの初期送信時のデータシンボルと組み合わせて受信器が自分でＨＡＲＱ再送信のＢＬＥＲより低いＢＬＥＲを達成するように与えられる、データＴＢのＨＡＲＱ再送信に対するターゲットＢＬＥＲがデータＴＢの初期送信に対するＢＬＲＥより大きいことがあるため、多重化がデータＴＢに対する初期送信を伝送するＰＵＳＣＨに存在する場合に、より多重化がデータＴＢに対するＨＡＲＱ再送信を伝送するＰＵＳＣＨに存在する場合にＵＣＩタイプに対するコーディングされた変調シンボルの個数を決定するためにより大きい
【数７０】
2020501456.tif 000073
値がＵＥに構成される。初期送信に対して、最大個数のＨＡＲＱ再送信の各々に対してデータＴＢに対するターゲットＢＬＥＲを選択する場合の最大柔軟性のために、各ＵＣＩタイプに対する
【数７１】
2020501456.tif 000074
値の構成は、各対応する送信に対して別途に存在する。また、上位レイヤシグナリングオーバーヘッドを減少させることが望ましいとき、最も大きいターゲットＢＬＥＲの差が一般的にデータＴＢの初期送信と第１のＨＡＲＱ再送信との間に存在し、ＨＡＲＱ再送信は一般的にデータＴＢに対してより小さいターゲットＢＬＥＲを有するため、すべてのＨＡＲＱ再送信に対して単一の
【数７２】
2020501456.tif 000075
値構成が適用されうる。
【０１１７】
図１１は、本発明の実施形態によるＵＥがＰＵＳＣＨがデータＴＢの再送信の初期送信を伝送するか否かに基づいてＰＵＳＣＨに含まれるコーディングされた変調シンボルの個数を決定するために適用される
【数７３】
2020501456.tif 000076
値を決定するプロセス１１００の一例を示す。図１１に示すようなプロセス１１００の実施形態は、単に例示のためのものである。他の実施形態は本発明の範囲から逸脱しない限り使用可能である。
【０１１８】
ＵＥは、ｇＮＢにより、ＵＥがＰＵＳＣＨ送信でＵＣＩタイプに対するコーディングされた変調シンボルの個数を決定するために適用するＵＣＩタイプに対する
【数７４】
2020501456.tif 000077
値のセットが構成される(１１１０)。
【数７５】
2020501456.tif 000078
ＵＥは、ＨＡＲＱプロセスと関連されるデータＴＢに対するＰＵＳＣＨ送信をスケジューリングするＵＬ  ＤＣＩフォーマットを検出する(１１２０)。ＵＥは、ＨＡＲＱ再送信に対して増加冗長が使用されるケースでデータＴＢの再送信に関連される冗長バージョンを決定し、あるいはＨＡＲＱ再送信に対してチェース組み合わせ(chase  combining）が使用されるケースで、ＵＥがＨＡＲＱプロセスに対してデータＴＢを再送信する必要があるか否かを決定する(１１３０)。上記決定に基づき、ＵＥは、次にＰＵＳＣＨ送信の際にＵＣＩタイプに対するコーディングされた変調シンボルの個数を決定するために使用するために、ＰＵＣＣＨ送信がデータＴＢの初期送信を伝送する場合に第１の
【数７６】
2020501456.tif 000079
値を決定し(１１４０)、あるいはＰＵＳＣＨ送信がデータＴＢの再送信を伝送する場合に第２の
【数７７】
2020501456.tif 000080
値を決定する(１１４０)。
【０１１９】
多くの実際の配置で、スケジューラがサービスタイプに基づき、あるいはネットワークトラフィック又は干渉条件に基づき、データＴＢの初期送信に対して、あるいはデータＴＢの再送信に対して異なるＢＬＥＲ値をターゲットとすることが有利である。例えば、スケジューラは、より低い冗長を要求するサービスタイプに関連されるデータＴＢのＵＥからの送信に対して、他のＵＥに対する関連干渉が小さい場合、あるいはＵＥが電力制限されない場合により低いＢＬＥＲをターゲットとすることができる。
【０１２０】
上記のようなスケジューラ決定は、ダイナミックであり、ＰＵＳＣＨにＵＣＩタイプを多重化するためのコーディングされた変調シンボルの個数を決定するために上位レイヤシグナリングによるＵＥに対する
【数７８】
2020501456.tif 000081
値の構成は、ＵＣＩタイプに対するターゲットＢＬＥＲを達成するために、あるいはデータＴＢのスケジューリングを改善するために準最適でありうる。加えて、＜式１＞又は＜式２＞によって獲得されるコーディングされた変調シンボルの個数は、ＵＣＩタイプペイロードにより線形的にスケーリングされ、これに対してＵＣＩタイプに対するＢＬＥＲは反復コードに対するブロックコード、テールバイティング畳み込みコード(tail-biting  convolutional  code)、あるいはポーラーコードのようなコーディング方式に関連されるコーディング利得によってＵＣＩタイプペイロードの非線形関数である。
【数７９】
2020501456.tif 000082
値のダイナミックな決定は、ＵＣＩタイプペイロードによるコーディング利得を考慮する。また、＜式１＞又は＜式２＞において、ＵＣＩタイプに対するコーディングされた変調シンボルの個数は、データＴＢに対する初期送信に基づき、それによってこれはＵＣＩタイプがデータＴＢの再送信を伝送するＰＵＳＣＨ送信で多重化される場合に異なる送信電力を考慮することに失敗する場合に問題となる。
【０１２１】
ＰＵＳＣＨでＵＣＩタイプに対するコーディングされた変調シンボルの個数を決定するための単一
【数８０】
2020501456.tif 000083
値の上位レイヤシグナリングによる構成に関連される上記のような制限は、上位レイヤシグナリングを通じて各ＵＣＩタイプに対する
【数８１】
2020501456.tif 000084
値のセットをＵＥに構成することによって、そしてＰＵＳＣＨ送信をスケジューリングするＵＬ  ＤＣＩフォーマットで
【数８２】
2020501456.tif 000085
値をダイナミックにシグナリングすることによって改善される。例えば、ｇＮＢは、４個の
【数８３】
2020501456.tif 000086
値のセットを上位レイヤシグナリングでＵＥに対して構成し、ＵＥからのＰＵＳＣＨ送信をスケジューリングするＤＣＩフォーマットは、４個の
【数８４】
2020501456.tif 000087
値のセットからの
【数８５】
2020501456.tif 000088
値を示すための２ビットのフィールドを含むことができる。
【０１２２】
ＰＵＳＣＨがデータＴＢの初期送信を伝送する場合及びＰＵＳＣＨがデータＴＢの再送信を伝送する場合に別の構成が適用されうる。複数のＵＣＩタイプがＰＵＳＣＨ送信で多重化される場合、同一のＵＣＩオフセットインジケータフィールドが各ＵＣＩタイプに対して
【数８６】
2020501456.tif 000089
値のセットから
【数８７】
2020501456.tif 000090
値をインデックスするために適用される。例えば、“００”、“０１”、“１０”、及び“１１”の可能な値を有する２ビットのＵＣＩオフセットインジケータに対して。“１０”値は、各ＰＵＳＣＨ送信で多重化されるＨＡＲＱ-ＡＣＫ又はＣＳＩのような、各ＵＣＩタイプに対するオフセットの各セットからの第３のオフセットを指示するために使用される。
【０１２３】
図１２は、本発明の実施形態によるＵＥが関連されるＵＬ  ＤＣＩフォーマットでのシグナリングに基づいてＰＵＳＣＨ送信の際にコーディングされた変調シンボルの個数を決定するために適用する
【数８８】
2020501456.tif 000091
値を決定するプロセス１２００の一例を示す。図１２に示すプロセス１２００の実施形態は、単に例示のためのものである。他の実施形態が本発明の範囲から逸脱しない範囲で使用可能である。
【０１２４】
ＵＥは、ＰＵＳＣＨでの送信に対してＵＣＩタイプに関連される
【数８９】
2020501456.tif 000092
値のセットに対する構成を受信する(１２１０)。次に、ＵＥはＵＥがＵＣＩタイプを多重化するＰＵＳＣＨ送信をスケジューリングするＵＬ  ＤＣＩフォーマットを決定する(１２２０)。
【数９０】
2020501456.tif 000093
例えば、上記決定は＜式１＞又は＜式２＞に従う。
【０１２５】
ＰＵＳＣＨ送信が上位レイヤシグナリングによって半固定的にスケジューリング(ＳＰＳ)される場合、ｇＮＢは、ＳＰＳ  ＰＵＳＣＨ送信を用いて少なくとも２個の異なるサービスタイプに対してＵＣＩタイプに対する異なる
【数９１】
2020501456.tif 000094
値でＵＥを構成できる。
【０１２６】
異なるＤＣＩフォーマットが異なるターゲットＢＬＥＲを有するＰＵＳＣＨ送信をスケジューリングするために使用され、ＵＥに上位レイヤにより異なる
【数９２】
2020501456.tif 000095
値が構成される場合、ＵＥは、関連されるＤＣＩフォーマットに基づいてＵＣＩコーディングされた変調シンボルの個数を決定するために使用する
【数９３】
2020501456.tif 000096
値を決定できる。同一のＤＣＩフォーマットが異なるターゲットＢＬＥＲを有するＰＵＳＣＨ送信をスケジューリングするために使用され、ＵＥに上位レイヤにより異なる
【数９４】
2020501456.tif 000097
値が構成される場合、ＵＥは明示的にＤＣＩフォーマットに含まれている各インデックスフィールドに基づいて、あるいは暗黙的にＰＵＳＣＨ送信電力を決定する場合に、ＵＥが使用するパラメータの構成に対する指示に従ってＵＣＩコーディングされた変調シンボルの個数を決定するために使用する
【数９５】
2020501456.tif 000098
値を決定できる。
【０１２７】
ＰＵＳＣＨ送信がｇＮＢからの関連されるＵＬ  ＤＣＩフォーマットの送信なしにＵＥにより開始される場合、ＰＵＳＣＨでのＵＣＩ多重化は、上記のようなＰＵＳＣＨ送信の信頼性が予測不可能であるので排除され、関連されるデータＴＢの成功的な受信は一般的にＵＣＩ送信に有益にならない反復又はＨＡＲＱ再送信に依存する。このようなＵＥ動作は、ＵＥに対してＰＵＳＣＨにＵＣＩを多重化するか、あるいはＰＵＳＣＨ送信をドロップ(drop)し、ＰＵＣＣＨでＵＣＩを送信するかが構成されるネットワーク構成によることである。一方で、ＤＬ  ＤＣＩフォーマットは、関連されるＨＡＲＱ-ＡＣＫ送信に対して、上位レイヤによりＵＥに対して構成されるリソースのセットからのリソースを指示するフィールドを含み、リソースのうち一つ以上は所定のＭＣＳ及びＲＢ割り当てを有するＰＵＳＣＨ送信をサポートできる。
【０１２８】
一例として、構成されたリソースのうち一つ以上のリソースは、ＰＵＣＣＨリソースと一つ以上のＰＵＳＣＨリソースのセットに関連される。ＵＥが送信するデータを持っていないとき、ＵＥは、ＰＵＣＣＨリソースでＰＵＣＣＨを送信することによってＨＡＲＱ-ＡＣＫを送信できる。ＵＥが送信するデータを有する場合、ＵＥは、ＰＵＳＣＨリソースのうちいずれか一つでＰＵＳＣＨを送信することによってＨＡＲＱ-ＡＣＫ及びデータを両方とも送信する。各ＰＵＳＣＨリソースはデータ送信及びＲＢ割り当てのためにＭＣＳで構成され、ＵＥはデータＴＢのサイズによってＰＵＳＣＨリソースを選択することができる。
【０１２９】
いくつかの実施形態において、ＵＣＩに対する(レイヤ別)コーディングされた変調シンボルの個数に対する決定及びＰＵＳＣＨでのＵＣＩタイプの多重化が考慮される。
【０１３０】
スロットでＵＥからのＰＵＳＣＨ送信は、例えばＵＥがＰＵＳＣＨを送信するために使用されるスロットに含まれている第１のＵＬシンボルであるＤＭＲＳ送信のためのシンボルを含む。例えば、ハイブリッドスロットのケースのように、スロットの開始にはＤＬ送信が存在できるため、これは必ずしもスロットの第１のシンボルである必要はない。下記の説明で、別途に明示的な言及がない限り、用語“スロットの第１のシンボル”は、スロットでＰＵＳＣＨ送信に対して利用可能な第１のシンボルを示す。追加的なＤＭＲＳシンボルは、ＰＵＳＣＨ送信をスケジューリングするＤＣＩフォーマットにより、あるいは上位レイヤシグナリングによりスロットでのＰＵＳＣＨ送信のためにＵＥに対して構成される。
【０１３１】
ＨＡＲＱ-ＡＣＫ及びＲＩ/ＣＲＩが異なるスロットシンボルに位置し、ＣＳＩがＨＡＲＱ-ＡＣＫ又はＲＩ/ＣＲＩとは異なって、時間-優先方式でマッピングされるＬＴＥ規格で説明されるようなＵＣＩ多重化とは異なって、本開示は、(ａ)異なるＵＣＩタイプのマッピングが周波数で優先し、その後に時間で連続され、(ｂ)異なるＵＣＩタイプは同一のスロットシンボルにマッピングされ、(ｃ)マッピングはＨＡＲＱ-ＡＣＫシンボルで始めて(存在する場合)、ＲＩ/ＣＲＩシンボルが継続され、(存在する場合-またＣＳＩと一緒にコーディングされ)、データシンボル(存在する場合)又は第１のタイプのＣＳＩシンボル(存在する場合）が継続され、第２のタイプのＣＳＩシンボル(存在する場合)又はデータシンボル(存在する場合）で終わるＵＣＩタイプによることを考慮する。ＵＣＩコーディングされた変調シンボル、あるいはデータコーディングされた変調のマッピングは、ＤＭＲＳ送信のために、あるいはＳＲＳのような他のシグナリングの送信のために使用されるスロットシンボル又はスロットシンボルに含まれているＳＣを除く。残りのスロットシンボル又はＳＣは、利用可能なスロットシンボル又は利用可能なＣＳと称される。次に説明されるように、ＣＳＩ及びＲＩ/ＣＲＩのパート(ＣＳＩパート１）は、同一のコードワードで一緒にコーディングされ、残りのＣＳＩ(ＣＳＩパート２）は第２のコードワードでコーディングされる。
【０１３２】
本開示でのＵＣＩ多重化は、送信ＵＥと受信ｇＮＢとの間で、顕著な確率で、ＰＵＳＣＨ送信がＵＣＩ多重化を含むか否かの模倣性が存在しないことを考慮する。また、以後に論議されるようなＣＳＩ多重化に対する例外事項と共に、ＰＵＳＣＨ送信に各ＵＣＩタイプを多重化するために使用されるリソースの個数に対する曖昧さが存在しない。加えて、一例としてＨＡＲＱ-ＡＣＫ又はＣＳＩのような、ＵＣＩタイプに対して、ｇＮＢは、ＵＥに対してＰＵＳＣＨ送信にＵＣＩタイプを多重化するかあるいはＰＵＣＣＨにＵＣＩタイプを別途に送信するかを構成することができる。
【０１３３】
ＰＵＳＣＨ送信にＨＡＲＱ-ＡＣＫを多重化するために、ＵＬ  ＤＣＩフォーマットにより、あるいは上位レイヤシグナリングによりＵＥが構成される場合、ＵＥがＰＵＳＣＨ送信に多重化するＨＡＲＱ-ＡＣＫペイロードを決定するいくつかのメカニズムが存在する。例えば、ＵＬ  ＤＣＩフォーマットは、(ａ)キャリアアグリゲーションを使用する動作を含むＴＤＤシステムに対してＬＴＥ規格で説明している動作を使用するＤＡＩフィールド、あるいは(ｂ)ＨＡＲＱ-ＡＣＫペイロードがコードブックサイズによって所定のＰＵＳＣＨでＵＥがＨＡＲＱ-ＡＣＫ情報を多重化するための指示、あるいは(ｃ)ＵＥにより認知されるＨＡＲＱプロセスの直接指示を含むことができる。ＨＡＲＱ-ＡＣＫはＴＢ別に、ＣＢのグループ別に、あるいはＣＢ別に存在する。ＲＩ/ＣＲＩペイロードは、上位レイヤにより構成され、ＲＩ/ＣＲＩペイロードに関してはｇＮＢとＵＥとの間に曖昧さが存在しない。
【０１３４】
ＵＥがｇＮＢにＣＳＩ送信以前に別にあるいはＣＳＩ送信と共に同時に送信するＲＩ値によりＵＥが総ＣＳＩペイロードを決定する場合、ｇＮＢがＲＩ値を正確に検出しない場合にｇＮＢとＵＥとの間には曖昧さが存在できる。一例として、ＣＳＩペイロード(又はＣＳＩパート２）は、一般的に関連されるランクがより大きい場合より大きい。ｇＮＢは、関連されるペイロードに対して１個を超える仮説(hypothesis)によってＣＳＩ(又はＣＳＩパート２)コードワードを検出することを試みることができる。例えば、ｇＮＢがＲＩに対して最後の検出された値(ＲＩを含む場合ＣＳＩパート１)から決定されるペイロードによってＣＳＩ(あるいはＣＳＩパート２)を検出しないとき、ｇＮＢは、異なるＣＳＩ(又はＣＳＩパート２)ペイロードに該当する異なるＲＩ値を仮定し、ＣＳＩ(又はＣＳＩパート２)を復号化できる。しかしながら、ＲＩ又はＣＳＩが複数のセルに該当する場合、対応する仮説の個数は可能なＣＳＩ(又はＣＳＩパート２)ペイロードに対する増加した組み合わせよって増加する。ｇＮＢがＲＩ値を不正確に検出し、その結果ＰＵＳＣＨ送信で多重化されているＣＳＩ(あるいはＣＳＩパート２)ペイロードを不正確に検出する場合、データ検出に対する影響を最小化することが一般的に有益でありえる。これは次に説明されるように、実際のＣＳＩ(又はＣＳＩパート２)ペイロードに独立的なＰＵＳＣＨ送信で各データＣＢの開始位置をマーキングすることで達成できる。
【０１３５】
ＳＣに対するＵＣＩコーディングされた変調シンボルのマッピングは、２又は４の次数(order)のような少なくとも周波数ダイバーシティの予め定められた次数を達成するために定義される。
【数９６】
2020501456.tif 000099
個のＳＣ、ＨＡＲＱ-ＡＣＫコーディングされた変調シンボルの送信のための
【数９７】
2020501456.tif 000100
個のＳＣ、ＲＩ/ＣＲＩコーディングされた変調シンボルの送信のための
【数９８】
2020501456.tif 000101
個のＳＣ、ＣＳＩコーディングされた変調シンボルの送信のための
【数９９】
2020501456.tif 000102
個のＳＣのＢＷを通じるＰＵＳＣＨ送信を仮定する場合、次のような事項が適用され得る。
【０１３６】
一実施形態で、ＨＡＲＱ-ＡＣＫコーディングされた変調シンボルがまずＰＵＳＣＨ送信のＳＣにマッピングされる。第１のスロットシンボルで(そしてＤＭＲＳ送信のために使用されない)
【数１００】
2020501456.tif 000103
である場合、ＨＡＲＱ-ＡＣＫ送信は、４の周波数ダイバーシティ次数を達成するために連続するＳＣの４個のグループに存在する。
【数１０１】
2020501456.tif 000104
また、オフセットは、第１のＳＣの位置をシフトするために第１のＳＣに追加されうる。このとき、ＨＡＲＱ-ＡＣＫコーディングされた変調シンボルの送信は、ＤＭＲＳ送信のために使用されない最初の
【数１０２】
2020501456.tif 000105
上記のような内容は、２又は８の対応する周波数ダイバーシティ次数に対する２個のグループ又は８個のグループのような、４個のグループ以外の、任意の個数のグループに対して一般化することができる。
【０１３７】
スロットでＲＩ/ＣＲＩ(又はＣＳＩパート１)に対して、スロットでＨＡＲＱ-ＡＣＫ送信が存在しない場合、ＳＣへのＲＩ/ＣＲＩコーディングされた変調シンボルの多重化は、ＨＡＲＱ-ＡＣＫ送信と同様である。スロットでＨＡＲＱ-ＡＣＫ送信が存在する場合、２個のオプションが考慮される。第１のオプションで、ＲＩ/ＣＲＩ(又はＣＳＩパート１)コーディングされた変調シンボルの送信は、ＤＭＲＳ送信のために使用されず、存在する場合、ＨＡＲＱ-ＡＣＫコーディングされた変調シンボルの送信に使用される最後のスロットシンボル以後に存在するスロットシンボルから開始される。ＳＣに対するＲＩ/ＣＲＩ(又はＣＳＩパート１)コーディングされた変調シンボルの多重化は、ＨＡＲＱ-ＡＣＫ送信と同様である。
【０１３８】
図１３は、本発明の実施形態によるＨＡＲＱ-ＡＣＫ、ＲＩ/ＣＲＩ(又はＣＳＩパート１)、及びデータを伝送するコーディングされた変調シンボルのＰＵＳＣＨ上のサブキャリアに対するマッピング１３００の一例を示す。図１３に示すマッピング１３００の実施形態は、単に例示のためのものである。他の実施形態が本発明の範囲から逸脱しない範囲で使用される。
【０１３９】
ＵＥは、１４個のシンボルを通じて、そして
【数１０３】
2020501456.tif 000106
個のＳＣを通じてスロットでｇＮＢにＰＵＳＣＨを送信する。ＵＥは、
【数１０４】
2020501456.tif 000107
個のＳＣを通じて第１のスロットシンボルでＤＭＲＳ１３１０を送信する。ＵＥは、一つ以上の他のスロットシンボルでＤＭＲＳを送信する。ＵＥは、ＨＡＲＱ-ＡＣＫコーディングされた変調シンボルを送信するために
【数１０５】
2020501456.tif 000108
個のＳＣ及びＲＩ/ＣＲＩ(又はＣＳＩパート１)コーディングされた変調シンボルを送信するために
【数１０６】
2020501456.tif 000109
個のＳＣを必要とする。
【数１０７】
2020501456.tif 000110
【数１０８】
2020501456.tif 000111
のＳＣ１３４０を通じて第４のスロットシンボルでＲＩ/ＣＲＩ(又はＣＳＩパート１)コーディングされた変調シンボルを送信し、ここで第１のグループはＳＣ０  １３４０から開始され、第２のグループはＳＣ
【数１０９】
2020501456.tif 000112
(図示せず)から開始され、第３のグループはＳＣ
【数１１０】
2020501456.tif 000113
(図示せず)から開始され、第４のグループはＳＣ
【数１１１】
2020501456.tif 000114
１３４２から開始される。ＵＥは、残りのスロットシンボルでデータ１３５０を送信する。
【０１４０】
他の実施形態で、ＲＩ/ＣＲＩ(又はＣＳＩパート１)送信は、スロットシンボルに利用可能なＳＣが存在する場合、ＨＡＲＱ-ＡＣＫコーディングされた変調シンボルの送信のために使用される最後のスロットシンボルから開始される。ＲＩ/ＣＲＩ(あるいはＣＳＩパート１)コーディングされた変調シンボルが、存在する場合、
【数１１２】
2020501456.tif 000115
であるとき、存在するＨＡＲＱ-ＡＣＫコーディングされた変調シンボルの送信に使用される最後のスロットシンボルで送信される場合、ＲＩ/ＣＲＩ送信のための連続するＳＣの４個のグループが再び存在し、各ＲＩ/ＣＲＩ  ＳＣのための第１のＳＣは同一のインデックスを有するＨＡＲＱ-ＡＣＫ  ＳＣグループに対する最後のＳＣ以後に存在する。
【数１１３】
2020501456.tif 000116
【０１４１】
図１４は、本発明の実施形態によるＨＡＲＱ-ＡＣＫ、ＲＩ/ＣＲＩ(又はＣＳＩパート１)、及びデータを伝送するコーディングされた変調シンボルのＰＵＳＣＨ上のサブキャリアに対するマッピング１４００の一例を示す。図１４に示すマッピング１４００の実施形態は、単に例示のためのものである。他の実施形態が本発明の範囲から逸脱しない範囲で使用可能である。
【数１１４】
2020501456.tif 000117
ＵＥは、一つ以上の他のスロットシンボルでＤＭＲＳを送信する。ＵＥは、ＨＡＲＱ-ＡＣＫコーディングされた変調シンボルを送信するために
【数１１５】
2020501456.tif 000118
【数１１６】
2020501456.tif 000119
であるため、ＵＥは、第２のスロットシンボルでＨＡＲＱ-ＡＣＫ及びＲＩ/ＣＲＩ(又はＣＳＩパート１)コーディングされた変調シンボルをすべて送信する。
【数１１７】
2020501456.tif 000120
ＵＥは、残りのスロットシンボルでデータ１４４０を送信する。
【０１４２】
他の実施形態において、ＵＥは、すべての利用可能なスロットシンボルにわたってＰＵＳＣＨでＵＣＩコーディングされた変調シンボルを送信し、ここで第１の個数である
【数１１８】
2020501456.tif 000121
個の利用可能なスロットシンボルで、送信はＰＵＳＣＨ送信ＢＷの任意の一つのエンド(end)に(又はその近くに)存在し、第２の個数である
【数１１９】
2020501456.tif 000122
個の利用可能なスロットシンボルで、送信はＰＵＳＣＨ送信ＢＷの他の一つのエンドに(又はその近くに)存在する。
【数１２０】
2020501456.tif 000123
【数１２１】
2020501456.tif 000124
ＰＵＳＣＨ送信ＢＷの２エンドに対するマッピングの順序は反対となりうる。
【０１４３】
ＲＩ/ＣＲＩ(又はＣＳＩパート１)コーディングされた変調シンボルは、ＨＡＲＱ-ＡＣＫコーディングされた変調シンボルと同一の方式で送信のために各
【数１２２】
2020501456.tif 000125
個のＳＣにマッピングされる。ＵＥがＨＡＲＱ-ＡＣＫを送信しない場合、ＲＩ/ＣＲＩコーディングされた変調シンボルに対するマッピングは、ＨＡＲＱ-ＡＣＫコーディングされた変調シンボルに対しても同一である。ＵＥがＨＡＲＱ-ＡＣＫを送信する場合、第１のオプションで、
【数１２３】
2020501456.tif 000126
【０１４４】
一実施形態において、ＲＩ/ＣＲＩ(又はＣＳＩパート１)コーディングされた変調シンボルの送信のためのＳＣのマッピングは、
【数１２４】
2020501456.tif 000127
ＨＡＲＱ-ＡＣＫコーディングされた変調シンボルの送信のためのＳＣに対して同一である。
【０１４５】
図１５は、本発明の実施形態によるＨＡＲＱ-ＡＣＫ、ＲＩ/ＣＲＩ(ＣＳＩパート１)、及びデータを伝送するコーディングされた変調シンボルのＰＵＳＣＨ上のサブ-キャリアに対するマッピング１５００の一例を示す。図１５に示すマッピング１５００の実施形態は、単に例示のためのものである。他の実施形態が本発明の範囲から逸脱しない範囲で使用することができる。
【数１２５】
2020501456.tif 000128
【数１２６】
2020501456.tif 000129
【数１２７】
2020501456.tif 000130
【０１４６】
図１６は、本発明の実施形態によるＨＡＲＱ-ＡＣＫ、ＲＩ/ＣＲＩ(ＣＳＩパート１)、及びデータを伝送するコーディングされた変調シンボルのＰＵＳＣＨサブキャリアに対するマッピング１６００の一例を示す。図１６に示すマッピング１６００の実施形態はただ例示のためのものである。他の実施形態が本発明の範囲から逸脱しない範囲で使用可能である。
【数１２８】
2020501456.tif 000131
ＵＥは、ＨＡＲＱ-ＡＣＫコーディングされた変調シンボルを送信するために
【数１２９】
2020501456.tif 000132
個のＳＣを必要とする。ＳＣに対するマッピングは、図１５での説明と同様であり、そのため簡略性のために反復しない。ＵＥは、ＲＩ/ＣＲＩ(又はＣＳＩパート１)コーディングされた変調シンボルを送信するために
【数１３０】
2020501456.tif 000133
のＳＣを必要とする。ＵＥは、ＨＡＲＱ-ＡＣＫコーディングされた変調シンボルと同一の方式でＲＩ/ＣＲＩ(又はＣＳＩパート１)コーディングされた変調シンボルを送信する。
【数１３１】
2020501456.tif 000134
【数１３２】
2020501456.tif 000135
【数１３３】
2020501456.tif 000136
(本開示は、(ａ)異なるＵＣＩタイプが周波数で優先してから時間で連続すると考慮する以前の条件に従って周波数-優先マッピングを獲得するために)ＰＵＳＣＨ送信ＢＷの２個のエンドに対するマッピングの順序はその反対にされることができ、ＨＡＲＱ-ＡＣＫ変調シンボルのマッピングは、ＰＵＳＣＨ送信ＢＷの２個のエンドでＳＣにわたってインターリビングされうる。
【０１４７】
ＲＩ/ＣＲＩ(又はＣＳＩパート１)コーディングされた変調シンボルはＨＡＲＱ-ＡＣＫコーディングされた変調シンボルと同一の方式で各
【数１３４】
2020501456.tif 000137
個のＳＣにマッピングされる。ＵＥがＨＡＲＱ-ＡＣＫを送信しない場合、ＲＩ/ＣＲＩ(又はＣＳＩパート１)コーディングされた変調シンボルのためのＳＣに対するマッピングは、ＨＡＲＱ-ＡＣＫコーディングされた変調シンボルと同一である。ＵＥがＨＡＲＱ-ＡＣＫを送信する場合、第１のオプションで、
【数１３５】
2020501456.tif 000138
【０１４８】
図１７は、本発明の実施形態による利用可能なすべてのＰＵＳＣＨスロットシンボルにわたってＵＣＩコーディングされた変調シンボルをマッピングするための第１のオプションによりＨＡＲＱ-ＡＣＫ、ＲＩ/ＣＲＩ(ＣＳＩパート１)、及びデータを伝送するコーディングされた変調シンボルのＰＵＳＣＨサブキャリア上のマッピング１７００の一例を示す。図１７に示すマッピング１７００の実施形態は、ただ例示のためのものである。他の実施形態が本発明の範囲から逸脱しない範囲で使用可能である。
【数１３６】
2020501456.tif 000139
ＵＥは、ＨＡＲＱ-ＡＣＫコーディングされた変調シンボルを送信するために
【数１３７】
2020501456.tif 000140
個のＳＣ及びＲＩ/ＣＲＩ(又はＣＳＩパート１)コーディングされた変調シンボルを送信するために
【数１３８】
2020501456.tif 000141
個のＳＣを必要とする。ＵＥは、時間-優先マッピングを使用して
【数１３９】
2020501456.tif 000142
個の利用可能なスロットシンボルで
【数１４０】
2020501456.tif 000143
個のＳＣ１７２０を通じてＨＡＲＱ-ＡＣＫコーディングされた変調シンボルを送信し、ここで第１のＨＡＲＱ-ＡＣＫコーディングされた変調シンボルは、インデックス０を有するＳＣ上にそしてシンボル０上にマッピングされ、最後のＨＡＲＱ-ＡＣＫコーディングされた変調シンボルはインデックス
【数１４１】
2020501456.tif 000144
【数１４２】
2020501456.tif 000145
【数１４３】
2020501456.tif 000146
残りのＳＣ及び利用可能なシンボルで、ＵＥは、データ１７４０又はＣＳＩのような他のＵＣＩを送信する。図１７は、ＰＵＳＣＨ送信ＢＷの２個のエンドですべての利用可能なＰＵＳＣＨシンボルにわたって送信されるＵＣＩを有する図１５と均等である。類似した構造が図１６の均等として適用され、簡略性のために各説明を省略する。
【０１４９】
図１６又は図１７のようなＵＣＩのマッピングの利点は、データコードブロック上でのＵＣＩ多重化の影響が均一に分散されることであり、可能な場合、あるいは必要な場合、ＵＣＩ送信がすべての利用可能なＰＵＳＣＨシンボルを通じて分散されるため、電力ブースティング(power  boosting）がＵＣＩ送信に適用されることである。ＱＡＭ変調のケースで、ＵＣＩ送信に対する電力スケーリング係数はＰＵＳＣＨ送信をスケジューリングするＤＣＩフォーマットに含まれている各フィールドを通じてシグナリングされる。
【０１５０】
ＰＵＳＣＨ送信時のＣＳＩ(又はＣＳＩパート２)多重化に対して、重要な問題は、ｇＮＢがＣＳＩ(又はＣＳＩパート２)に関連されるＲＩを不正確に検出することによるエラーケースを防止することである。ＵＥは、ＣＳＩ(又はＣＳＩパート２)と同一のスロットであるいは以前スロットでＲＩを送信する。ＵＥがｇＮＢの期待より小さいＣＳＩ(又はＣＳＩパート２)を送信する場合、ｇＮＢはＵＥがデータＣＢを送信するために使用することより小さい個数のＳＣを介してデータＣＢを検出する。その結果は、ｇＮＢがＣＢに対する不正確なレートマッチングを仮定し、これは、ｇＮＢでのＨＡＲＱバッファ損傷を招く。ＵＥがｇＮＢの期待より大きいＣＳＩ(又はＣＳＩパート２)ペイロードを送信する場合、ｇＮＢは、ＵＥがデータＣＢを送信するために使用することより多くの個数のＳＣを介してデータＣＢを検出する。その結果はｇＮＢが全体ＨＡＲＱバッファの損傷を招く、ＣＢの送信に対して不正確な開始ＳＣを仮定するか、あるいは部分的な全体ＨＡＲＱバッファ損傷を招くデータＣＢの受信に対する応答でＵＥがＣＳＩ(又はＣＳＩパート２)を送信するために使用するＳＣを含めることである。ＲＩエラーが発生する場合、ｇＮＢは、ｇＮＢがＣＳＩ(又はＣＳＩパート２)ペイロードに対する複数の仮説により、ＣＳＩ(又はＣＳＩパート２)を復号化しない限り、関連されるＣＳＩ(又はＣＳＩパート２)を不正確に受信する。
【０１５１】
一実施形態において、ｇＮＢでの不正確なＲＩ検出によってもたらされるＰＵＳＣＨでのＣＳＩ(又はＣＳＩパート２)及びデータの多重化に対するエラーケースを防止するために、基準ＣＳＩ(又はＣＳＩパート２)ペイロードがｇＮＢによりＵＥに対して定義されるかあるいは構成され、ＣＳＩ多重化に対するコーディングされた変調シンボルの総個数は基準ＣＳＩ(又はＣＳＩパート２)ペイロードに関して決定される。例えば、基準ＣＳＩ(又はＣＳＩパート２)ペイロード
【数１４４】
2020501456.tif 000147
はランク１ＣＳＩ報告に関して、あるいはランク２ＣＳＩ報告に関して定義され、あるいは上位レイヤシグナリングによりｇＮＢからＵＥに対して構成される。その後に、ＲＩ/ＣＲＩ及びランク1ＣＳＩに対することのように、基準ＣＳＩペイロードが共に符号化される。また、基準ＣＳＩペイロードの代わりに基準ＭＣＳを定義するかあるいは構成することが可能である。
【０１５２】
一例として、＜式２＞のように、ＰＵＳＣＨでのＣＳＩ多重化のためのコーディングされた変調シンボルの個数を決定する場合、ＵＥは、基準ＣＳＩペイロード
【数１４５】
2020501456.tif 000148
を適用する。ｇＮＢは関連されるＵＬ  ＤＣＩフォーマットで共に又は別にランク２  ＣＱＩ及びＰＭＩのように、
【数１４６】
2020501456.tif 000149
のＣＳＩペイロードに対する
【数１４７】
2020501456.tif 000150
【数１４８】
2020501456.tif 000151
に対するターゲットＢＬＥＲを達成するために必要なことより小さいかあるいは大きい個数のＣＳＩコーディングされた変調シンボルを提供する。前者のケースで、ＵＥから送信される実際のＣＳＩペイロードとｇＮＢにより決定されるＣＳＩペイロードとの間の相対的差に基づき、実際のＣＳＩ  ＢＬＥＲは、ターゲットＣＳＩ  ＢＬＥＲより大きく、それによってデータ送信のために利用可能なより多くの個数のリソースが存在する。後者のケースで、実際のＣＳＩ  ＢＬＥＲはターゲットＣＳＩ  ＢＬＥＲより小さく、それによってデータ送信のために利用可能なより小さい個数のリソースが存在する。
【数１４９】
2020501456.tif 000152
のＣＳＩビットのＣＳＩペイロードを考慮して設定され、ＵＥがランク１  ＣＱＩ(及びＲＩ/ＣＲＩ)に対することのようにペイロードを有するＱＩを報告する場合、コーディングされた変調シンボルの結果的な個数はターゲットＢＬＥＲを達成するために要求されることより大きいことがある(必要なことより低いコードレート)。
【数１５０】
2020501456.tif 000153
【数１５１】
2020501456.tif 000154
どちらの場合にも、ＨＡＲＱバッファ損傷は存在せず、ＣＳＩ受信又はデータ受信のための重要な結果は存在しない。
【０１５３】
図１８は、本発明の実施形態による基準ＣＳＩペイロード(ＣＳＩパート１)に基づいてＣＳＩコーディングされた変調シンボルの個数に対する決定１８００の一例を示す。図１８に示す決定１８００の実施形態は、単に例示のためのものである。他の実施形態が本発明の範囲から逸脱しない範囲で使用可能である。
【０１５４】
ＵＥに対してｇＮＢによりＵＥがＰＵＳＣＨ送信ＢＷのＳＣにマッピングされるＣＳＩコーディングされた変調シンボルの個数を決定する公式で使用する基準ＣＳＩペイロード(ＣＳＩパート１）
【数１５２】
2020501456.tif 000155
が構成される(１８１０)。また、例えば、セルごとにランク１送信に該当するＣＳＩパートに対して、システム動作で
【数１５３】
2020501456.tif 000156
が予め定められた場合に構成が防止されることも可能である。
【数１５４】
2020501456.tif 000157
【０１５５】
一実施形態において、ｇＮＢでの不正確なＲＩ検出によってもたらされるＰＵＳＣＨでのＣＳＩ及びデータの多重化に対するエラーケースを防止するために、基準ＣＳＩペイロード
【数１５５】
2020501456.tif 000158
はシステム動作で再び定義され、あるいはｇＮＢによりＵＥに対して構成される。ＵＥは、各スロットで
【数１５６】
2020501456.tif 000159
の送信に対応する複数のＳＣに対するデータ送信をレートマッチングする。実際のＣＳＩペイロード
【数１５７】
2020501456.tif 000160
より大きいとき、すなわちＣＳＩパート１に追加してＣＳＩパート２が存在するとき、ＵＥは、
【数１５８】
2020501456.tif 000161
個の情報ビットの送信によるＣＳＩコーディングされた変調シンボルの個数を決定し、
【数１５９】
2020501456.tif 000162
個の情報ビットの送信に該当するＳＣ以外のＳＣでデータコーディングされた変調シンボルの送信を穿孔する。
【数１６０】
2020501456.tif 000163
【０１５６】
一実施形態において、不正確なＲＩ検出によりもたらされるＰＵＳＣＨでＣＳＩ及びデータを多重化するエラーケースからの影響を減少させるために、ｇＮＢ実現はＲＩ検出、又は同等にＣＳＩパート１検出のためのターゲットＢＬＥＲを全体システム動作に重要な影響を与えないように上記のようなエラーケースに対して十分に低く設定できる。例えば、可能な場合、ＲＩ/ＣＲＩターゲットＢＬＥＲは０.０１％程度あるいはそれより低くなるように設定できる。ＨＡＲＱ-ＡＣＫ、又はＲＩ/ＣＲＩ、あるいはデータの検出に影響を及ぼすｇＮＢでのＣＳＩ(ＣＳＩパート２)ペイロードの間違った理解を防止するために、ＵＥは、ＵＥがＨＡＲＱ-ＡＣＫ又はＲＩ/ＣＲＩ(ＣＳＩパート１)、又はデータコーディングされた変調シンボルの送信のためにＳＣをマッピングした後にＣＳＩ(ＣＳＩパート２)コーディングされた変調シンボルの送信のためにＳＣをマッピングする。
【０１５７】
このような方式で、ＵＥがｇＮＢにより期待されることより多くのＳＣ上にＣＳＩをマッピングする場合、データコーディングされた変調シンボルの開始位置は影響を受けない。データコーディングされた変調シンボルの代わりに、ｇＮＢが実際のＣＳＩペイロードがｇＮＢにより仮定されるＣＳＩペイロードより大きい場合にいくつかのＳＣでＣＳＩコーディングされた変調シンボルを受信しても、ＵＥがまずＳＣにデータコーディングされた変調シンボルをマッピングするので全体バッファの損傷は防止され、それによってＳＣの位置は、ＵＥがＣＳＩコーディングされた変調シンボルをマッピングするＳＣとは独立的である。ＵＥがｇＮＢにより期待されることより少ないＳＣ上にＣＳＩをマッピングする場合、データ情報の開始位置は影響を受けず、それによって唯一の影響はＰＵＳＣＨで一部使用されないＳＣである。
【０１５８】
ＨＡＲＱ-ＡＣＫ、ＲＩ/ＣＲＩ(又はＣＳＩパート１)、又はデータ送信に対して必要とするＳＣの個数に対する曖昧さが存在しない場合、これら情報タイプに対していかなるマッピング順序でも適用されうる。そうでない場合、一例としてＨＡＲＱ-ＡＣＫのようにこれら情報タイプのうちいずれか一つに対する曖昧さが存在する場合、上記情報タイプのマッピングは、ＨＡＲＱ-ＡＣＫ又はＲＩ/ＣＲＩ(又はＣＳＩパート１）がＣＳＩ(又はＣＳＩパート２)より高い優先順位を有し、ＣＳＩ(又はＣＳＩパート２)をマッピングするために使用されるＳＣをオーバーライト(overwrite)できるため、ＣＳＩ以後の最後であり得る。
【０１５９】
ＨＡＲＱ-ＡＣＫ、ＲＩ/ＣＲＩ(又はＣＳＩパート１)、及びデータ(及びＤＭＲＳ）のサブキャリアのマッピング後に、ＣＳＩ(又はＣＳＩパート２）のサブキャリアマッピングがＨＡＲＱ-ＡＣＫ又はＲＩ/ＣＲＩ(又はＣＳＩパート１)送信のために使用されるＳＣとして決定され、各説明は、簡略性のために反復されない。例えば、ＣＳＩ多重化は、ＨＡＲＱ-ＡＣＫ又はＲＩ/ＣＲＩが存在しない場合、ＨＡＲＱ-ＡＣＫ多重化と同一である。例えば、ＣＳＩ(又はＣＳＩパート２)多重化は、ＨＡＲＱ-ＡＣＫが存在するが、ＣＳＩパート１にＲＩ/ＣＲＩに存在する場合にＲＩ/ＣＲＩ(又はＣＳＩパート１)多重化と同一である。例えば、ＣＳＩ多重化は、ＨＡＲＱ-ＡＣＫ及びＲＩ/ＣＲＩ(又はＣＳＩパート１）が存在する場合にＨＡＲＱ-ＡＣＫ以後のＲＩ/ＣＲＩ(又はＣＳＩパート１)多重化と同一である。
【０１６０】
図１９は、本発明の実施形態によるＰＵＳＣＨ送信のＣＳＩのサブキャリアへのマッピングのための第１の接近方１９００の一例を示す。図１９に示す第１のアプローチ１９００の実施形態は、単に例示のためのものである。他の実施形態が本発明の範囲から逸脱しない範囲で使用可能である。
【０１６１】
ＵＥは１４個のシンボルを通じて、そして
【数１６１】
2020501456.tif 000164
個のＳＣを介してスロットでｇＮＢにＰＵＳＣＨを送信する。ＵＥは、
【数１６２】
2020501456.tif 000165
個のＳＣを介して第１のスロットシンボルでＤＭＲＳ１９１０を送信する。ＳＣにＨＡＲＱ-ＡＣＫ１９２０及びＲＩ/ＣＲＩ(又はＣＳＩパート１)１９３０をマッピングした後、ＵＥは、データをＳＣ１９４０にマッピングする。最後に、ＵＥは、ＣＳＩ(又はＣＳＩパート２)をＳＣ１９５０にマッピングする。ＵＥは、ＵＥがＨＡＲＱ-ＡＣＫ、ＲＩ/ＣＲＩ(又はＣＳＩパート１)、及びデータコーディングされた変調シンボルをＳＣにマッピングした後ＣＳＩ(あるいはＣＳＩパート２)コーディングされた変調シンボルをＳＣにマッピングする。ｇＮＢがＵＥが送信した実際ＣＳＩ(又はＣＳＩパート２)ペイロードより小さいＣＳＩ(ＣＳＩパート２)ペイロードを仮定する場合、ｇＮＢはＳＣ１９５２のようないくつかのＳＣがＣＳＩ(ＣＳＩパート２)送信の代わりにデータ送信のために使用されると仮定する。しかしながら、データがＣＳＩ(ＣＳＩパート２)以前にＳＣにマッピングされるため、唯一の結果は、ｇＮＢがＳＣ１９５２でデータシンボルであるＣＳＩ(ＣＳＩパート２)シンボルを受信し、データ多重化のために使用される残りのＳＣでｇＮＢはデータシンボルを正確に受信することである。ＨＡＲＱ-ＡＣＫ及びＲＩ/ＣＲＩ(又はＣＳＩパート１)に対するＳＣへのマッピングが図１３と同一である場合、ＣＳＩ(ＣＳＩパート２)コーディングされた変調シンボルのＳＣに対する類似したマッピングが適用される。
【０１６２】
図２０は、本発明の実施形態によるＰＵＳＣＨ送信のＣＳＩのサブキャリアへのマッピングのための第２のアプローチ２０００の一例を示す。図２０に示す第２のアプローチ２０００の実施形態は、単に例示のためのものである。他の実施形態が本発明の範囲から逸脱しない範囲で使用可能である。
ＵＥは、１４個のシンボルを通じて、そして
【数１６３】
2020501456.tif 000166
個のＳＣを通じてスロットでｇＮＢにＰＵＳＣＨを送信する。ＵＥは、
【数１６４】
2020501456.tif 000167
個のＳＣを通じて第１のスロットシンボルでＤＭＲＳ２０１０を送信する。ＳＣにＨＡＲＱ-ＡＣＫ２０２０及びＲＩ/ＣＲＩ(又はＣＳＩパート１)２０３０をマッピングした後、例えば図１５のように、ＵＥは、データをＳＣ２０４０にマッピングする。最後に、ＵＥは、ＣＳＩ(ＣＳＩパート２)をＳＣ２０５０にマッピングする。図１９に類似したコメントがｇＮＢとＵＥが異なるＣＳＩ(ＣＳＩパート２)ペイロードを考慮するときのケースに対して適用される。
【０１６３】
ＵＣＩ多重化が、例えば図１７のように、すべての利用可能なＰＵＳＣＨシンボルにわたって存在する場合、ＣＳＩ(ＣＳＩパート２)コーディングされた変調シンボルのＰＵＳＣＨＳＣへのマッピングはＨＡＲＱ-ＡＣＫ又はＲＩ/ＣＲＩ(ＣＳＩパート１)コーディングされた変調シンボルに対するマッピングの直接的な拡張であり(ＵＥはまずＨＡＲＱ-ＡＣＫ、ＲＩ/ＣＲＩ、又はデータコーディングされた変調シンボルをＳＣにマッピングする)、したがって、該当する説明は簡略性のために省略する。
【０１６４】
ＵＣＩは、一般的にデータ情報より低いターゲットＢＬＥＲに関連される。与えられた受信器及びコヒーレント(coherent)復調に対して、ＢＬＥＲは、順次に関連されるＤＭＲＳ  ＳＩＮＲに依存し、ＵＣＩコーディングされた変調シンボルに対するコードレート及びＳＩＮＲに依存するチャンネル推定正確度に依存する。コードレートは与えられたＵＣＩペイロードに対してより多くのＵＣＩコーディングされた変調シンボルを割り当てることによって減少する。ＤＭＲＳ  ＳＩＮＲは、ＤＭＲＳ送信電力により決定される。ＤＭＲＳ  ＳＩＮＲを増加させるための第１のアプローチは、ＵＥがＵＣＩ又はデータ送信電力に比べてＤＭＲＳ送信電力を増加させることである。例えば、ＵＬ  ＤＣＩフォーマットは、ＵＥがＵＣＩ又はデータ情報送信電力に関してＤＭＲＳ送信電力に対する電力オフセットを決定するためのＤＭＲＳ電力オフセットフィールドを含む。
【０１６５】
第１のアプローチの制限は、基本的に電力も制限される低いＳＩＮＲを持つＵＥに対して有利である。他の制限はＤＭＲＳ送信電力の増加によるＤＭＲＳ ＳＩＮＲ増加は、ＤＭＲＳが同一のスロットシンボルに位置するため、干渉同期セルでＵＥからの各ＤＭＲＳ送信電力の増加により除去されることである。ＤＭＲＳ  ＳＩＮＲを増加させる第２のアプローチは、追加的なＤＭＲＳシンボルを含めることであり、これは、ＰＵＳＣＨ送信をスケジューリングするＤＣＩフォーマットに含まれている‘追加的ＤＭＲＳ’フィールドにより指示される。
【０１６６】
追加的なＤＭＲＳの主な目的は、ＵＣＩ  ＢＬＥＲを改善させることであり、追加的なＤＭＲＳは、ＵＣＩが送信されるＳＣ上に、あるいはＵＣＩが送信されるＳＣを含むＲＢ上に制限され、全体ＰＵＳＣＨ送信ＢＷにわたる範囲である必要はない。ＤＣＩフォーマットに含まれているフィールドは、ＰＵＳＣＨ送信ＢＷにわたる、あるいはただＳＣのみにわたる追加的なＤＭＲＳ範囲(extent)であるか、あるいはＵＣＩコーディングされた変調シンボルのマッピングのために使用されるＳＣを含むＲＢであるかを指示する。
【０１６７】
例えば、データＭＣＳが所定のＭＣＳ未満である場合、あるいはＵＬ  ＤＣＩフォーマットに含まれているフィールドがデフォルトＤＭＲＳ送信のサイクリックシフトに対する予め定められた値を指示する場合(デフォルトＤＭＲＳがＺＣシーケンスに基づくと仮定する場合)のように暗黙的シグナリングを通じてＰＵＳＣＨでＵＣＩが多重化される場合にＵＥが追加的なＤＭＲＳを送信することも可能である。ＵＥは、ＰＵＳＣＨ送信の一部である中間あるいは最後のスロットシンボルのような一つ以上の予め定められたスロットシンボルで追加的なＤＭＲＳを送信する。ＯＦＤＭ波形がＰＵＳＣＨ送信のために使用される場合、追加的なＤＭＲＳは、ＢＷで制限され、同一のスロットシンボルにデータと多重化される。ＤＦＴ-Ｓ-ＯＦＤＭ波形がＰＵＳＣＨ送信のために使用される場合、追加的なＤＭＲＳはＤＦＴ-Ｓ-ＯＦＤＭ波形に対する単一キャリア特徴を維持するためにスロットシンボルでデータと多重化することなく、スロットシンボルで全体ＰＵＳＣＨ  ＢＷを通じて送信する。
【０１６８】
図２１は、本発明の実施形態によるＵＣＩがＰＵＳＣＨ送信時に多重化される場合に追加的なＤＭＲＳの存在２１００の例示を示す。図２１に示す追加的なＤＭＲＳの存在２１００の実施形態は、単に例示のためのものである。他の実施形態が本発明の範囲から逸脱しない範囲で使用可能である。
【０１６９】
ＵＥは、スロットで複数のＳＣ(又はＲＢ)を通じてＰＵＳＣＨを送信する。ＵＣＩコーディングされた変調シンボルをＳＣにマッピングするためのＵＣＩ多重化構造は重要でなく、図２０でのＵＣＩ多重化構造が参照として使用される。ＵＥは、すべてのＰＵＳＣＨ  ＳＣを通じて第１のスロットシンボルでデフォルトＤＭＲＳ２１１０を送信する(デフォルトＤＭＲＳ送信はＰＵＳＣＨ送信ＢＷをスパン(span)する間にＰＵＳＣＨ  ＳＣのいくつかに存在できる)。ＵＥは、関連されるＵＬ  ＤＣＩフォーマットにより指示される場合、あるいはＵＥがスロットシンボル２１２０で予め定義されている規則に基づいて暗黙的に決定する場合、ＰＵＳＣＨでＵＣＩ多重化のためのＳＣのセットを決定し、追加的なＤＭＲＳを送信する。
【０１７０】
追加的なＤＭＲＳは、ＵＣＩがマッピングされる(しかし、異なるシンボルで)ＳＣで少なくとも送信される。追加的なＤＭＲＳは、ＵＣＩ  ＳＣを含む整数個のＲＢを通じるＳＣのような所定のＳＣを通じて送信できる。これは、ＤＭＲＳが１２，２４のような予め定められた長さのうち一つを持つことが要求されるＺＣシーケンスにより構成される場合に必須である。ＵＥが追加的なＤＭＲＳを送信するか否かを決定した後、ＵＥは、ＳＣにＨＡＲＱ-ＡＣＫ(存在する場合)２１３０、ＲＩ/ＣＲＩ(存在する場合)２１４０、データ２１５０、及びＣＳＩ  ２１６０コーディングされた情報シンボルのマッピングを進行できる。
【０１７１】
送信ＢＷ又は送信電力のようなデータＴＢの初期送信を伝送するＰＵＳＣＨのパラメータでＵＣＩコーディングされた変調シンボルの個数の決定に対するリンクを防止するために、ＵＣＩコーディングされた変調シンボルの個数は現在のＰＵＳＣＨ送信に基づいて決定され、可変性(variability）は、
【数１６５】
2020501456.tif 000168
値を伝送するＵＬ  ＤＣＩフォーマットに含まれているフィールドを通じてアドレスされるデータＴＢのＨＡＲＱ再送信(初期送信を包含)のうちターゲットＢＬＥＲである。
ＵＥは、＜式４＞のようにＨＡＲＱ-ＡＣＫに対するレイヤ別コーディングされた変調シンボルの個数
【数１６６】
2020501456.tif 000169
を決定することができる。
【０１７２】
【数１６７】
2020501456.tif 000170
【数１６８】
2020501456.tif 000171
【数１６９】
2020501456.tif 000172
【０１７３】
【数１７０】
2020501456.tif 000173
【数１７１】
2020501456.tif 000174
【０１７４】
【数１７２】
2020501456.tif 000175
【数１７３】
2020501456.tif 000176
【０１７５】
ＣＳＩ(又はＣＳＩパート２)を含み、データを含まないＰＵＳＣＨ送信でＨＡＲＱ-ＡＣＫ又はＲＩ/ＣＲＩ(又はＣＳＩパート１)に対するディメンショニング(dimensioning）を改善させるために、本発明は、関連されるＵＬ  ＤＣＩフォーマットが明示的又は暗黙的にＣＳＩ送信のためのＭＣＳを提供することを考慮する。ＣＳＩ送信のみのために設定されるＭＣＳは、例えばＱＡＭ６４又はＱＡＭ２５６を含めないことで、あるいは特定コードレート(スペクトル効率性)値を含めないことで、データ送信のためのＭＣＳセットのサブセットであり得る。６４ＱＡＭ又は２５６ＱＡＭのようなより高い次数変調がＵＣＩに対してサポートされない場合、そしてＵＣＩがＰＵＳＣＨでデータと多重化される場合、ＵＣＩはデータに対する変調次数がＵＣＩに対する最大サポート可能な変調次数より高く、ＵＣＩがＵＣＩに対する最も高いサポート可能な次数に該当する変調で送信されない一つのデータと同一の変調で送信される。
【０１７６】
ただＵＣＩのみを含む(そしてデータを含まない)ＰＵＳＣＨ送信をスケジューリングするＵＬ  ＤＣＩフォーマットでの明示的指示は、ＵＥにＡ-ＣＳＩ要求フィールドを通じてＵＬ  ＤＣＩフォーマットでＣＳＩ報告がトリガされる場合にＵＥがデータを送信できるか否かを示す１個のビットを含む“ＵＣＩ-ｏｎｌｙ”フィールドを通じてなされることができる。明示的指示は、これとは違って、Ａ-ＣＳＩ要求フィールドの値がマッピングされる状態のうち一部に“ＵＣＩ-ｏｎｌｙ”コンポーネントを含めることで提供される。
【０１７７】
暗黙的指示は、Ａ-ＣＳＩ要求フィールドのポジティブ指示と共に、ただＵＣＩのみに関連されるＰＵＳＣＨで送信されることを指示するＵＬ  ＤＣＩフォーマットに含まれている他のフィールドの値を予約することによって提供される。例えば、ＰＵＳＣＨで送信されるＤＭＲＳがＺＣシーケンスの送信に基づき、ＵＬ  ＤＣＩフォーマットに含まれているフィールドがＺＣシーケンスに対するサイクリックシフト値を指示するために使用される場合、フィールドの値は但しＵＣＩのみがスケジューリングされるＰＵＳＣＨで送信されることを指示するために予約できる。
【０１７８】
ＵＥにＵＬ  ＤＣＩフォーマットで関連されるＰＵＳＣＨ送信がただＵＣＩのみを(少なくともＡ-ＣＳＩ)含むことが指示される場合、ＵＬ  ＤＣＩフォーマットに含まれているＭＣＳフィールドは、Ａ-ＣＳＩ送信に対するＭＣＳに対応できる。指示されるＭＣＳ値に基づいて、ＵＥは、＜式７＞のようにＵＥがＨＡＲＱ-ＡＣＫコーディングされた変調シンボルの個数を決定するときに使用するＣＳＩビットの個数
【数１７４】
2020501456.tif 000177
と、＜式８＞のようにＲＩ/ＣＲＩ(又はＣＳＩパート１)コーディングされた変調シンボルの個数及び＜式９＞のようにＣＳＩ(又はＣＳＩパート２)コーディングされた変調シンボルの個数を決定できる。
【０１７９】
【数１７５】
2020501456.tif 000178
【０１８０】
【数１７６】
2020501456.tif 000179
【０１８１】
【数１７７】
2020501456.tif 000180
【０１８２】
ＨＡＲＱ-ＡＣＫに対して、
【数１７８】
2020501456.tif 000181
【０１８３】
ＵＥがＣＳＩ(ＣＳＩパート２)送信以前にあるいはＣＳＩ(ＣＳＩパート２)送信と同時にｇＮＢに送信するＲＩ/ＣＳＩ値によってＣＳＩ(ＣＳＩパート２)ペイロードを決定するため、ｇＮＢがＲＩ値を正確に検出しない場合、ｇＮＢとＵＥとの間には曖昧さが存在する。例えば、ＣＳＩ(ＣＳＩパート２)ペイロードは、一般的に関連されるランクがより大きいときより大きい。ｇＮＢは、関連されるペイロードに対する１個を超える仮説によってＣＳＩ(ＣＳＩパート２)コードワードを検出することを試みることができる。例えば、ｇＮＢがＲＩに対して最後に検出された値から決定されるペイロードによってＣＳＩ(ＣＳＩパート２)コードワードを検出しない場合、ｇＮＢは、異なるＣＳＩ(ＣＳＩパート２)ペイロードに該当する異なるＲＩ値を仮定してＣＳＩ(ＣＳＩパート２)コードワードを再び復号化できる。しかしながら、ＲＩ又はＣＳＩが複数のセル、又は複数のＣＳＩプロセス、又は複数のＣＳＩセットに該当する場合、該当する仮説の個数は可能なＣＳＩ(ＣＳＩパート２)ペイロードに対する増加した組み合わせによって増加するようになる。
【０１８４】
ｇＮＢがＣＳＩ(ＣＳＩパート２)ペイロードを不正確に推定する場合、ｇＮＢはＵＥがＣＳＩ(ＣＳＩパート２)送信のために使用するＰＵＳＣＨでのＳＣの個数も不正確に推定し、したがってＵＥがデータ送信に使用するＳＣの個数も不正確に推定する。その後、ｇＮＢは、特にデータコーディングされた変調シンボルの開始位置がＣＳＩ(ＣＳＩパート２)コーディングされた変調シンボルの個数に従って変更される場合、データに対するソフトバッファ損傷を招くデータコーディングされた変調シンボルとしてＣＳＩ(ＣＳＩパート２)コーディングされた変調シンボルを含める。したがって、ｇＮＢがＲＩ値を正確に検出するか(あるいはＣＳＩパート１を正確に検出するか)否かを決定する手段を提供することが有利である。上記のような手段は、一般的に符号化以前に情報コードワードに対する巡回冗長検査(ＣＲＣ）の包含と関連される。
【０１８５】
復号化以後のＣＲＣチェックが関連情報コードワードの不正確なあるいは正確な検出を確認する効率的な方式であっても、テールバイティング畳み込みコード(ＴＢＣＣ)又はポーラーコードのような関連される符号化方法は、情報コードワードに対するペイロードが十分に大きい場合のみ、例えば１０個のビットより多い場合にのみ効率的である。しかしながら、ＵＥが複数のセルに対してＲＩ(又はＣＳＩパート１）を報告する場合でも、全体ＲＩ(又はＣＳＩパート１)ペイロードは、たびたび１０個のビットであるか、あるいはそのより小さく、これは、情報コードワードに対する正確なあるいは不正確な復号化出力を確認するＣＲＣ保護を使用する符号化方法に対する適用可能性を制限する。
【０１８６】
さらに、ＵＥは、ＴＢの複数のＣＢに対して、あるいはＵＥがＰＤＳＣＨ送信を受信するように構成される複数のＤＬセルに対して、あるいはＵＥがＰＤＳＣＨ送信を受信するように構成される複数のスロットに対してＨＡＲＱ-ＡＣＫ情報を報告できる。その結果、ＨＡＲＱ-ＡＣＫ情報コードワードはセルにわたって、あるいはスロットにわたってＣＢ又はＴＢの各受信に対して数十個のあるいは数百個のビットを含むことができる。ｇＮＢによるＨＡＲＱ-ＡＣＫ情報コードワードの不正確な検出は、すべてのデータＣＢの再スケジューリング及び再送信を必要とする。リンク適応時のエラーによって、あるいはショートタームフェージング(short-term  fading）のようなチャンネル変化によって、あるいは送信電力制御エラーによって低いターゲットＢＬＥＲがＨＡＲＱ-ＡＣＫ情報コードワードに対して設定される場合でも、実際にＨＡＲＱ-ＡＣＫコードワードに対する実際ＢＬＥＲがターゲットＢＬＥＲより非常に大きい状況がたびたび発生する。
【０１８７】
したがって、ｇＮＢがＨＡＲＱ-ＡＣＫ情報コードワードを不正確に検出する場合、ｇＮＢがＵＥにデータＣＢの再送信を再スケジューリングするすべてのＰＤＣＣＨ及びＰＤＳＣＨを再送信する代わりに、ｇＮＢがＵＥからＨＡＲＱ-ＡＣＫ情報コードワードの再送信をトリガすることが有利であり、これは、ＤＬスペクトル効率性及び処理量損失及び再スケジューリングに関連される平均通信待ち時間の増加を減少させるためである。
【０１８８】
ＵＥがＰＵＳＣＨ送信にＵＣＩを多重化する場合、ｇＮＢでのＵＣＩに対するターゲットＢＬＥＲはｇＮＢによりＵＣＩ多重化のためのＰＵＳＣＨに十分の個数のＳＣを割り当てることによって達成できる。これは、一般的に機能的アプローチであっても、例えばＵＣＩペイロードが大きい場合、ＵＣＩ送信のために大きい個数のＳＣをたびたび必要とし、それによってこれは、ＵＥに対する電力制限を招く可能性があるため、ＰＵＳＣＨ送信に対するＢＷ割り当てを増加させることが常に可能なことではない。したがって、ＯＦＤＭを使用するデータ情報の送信のための高いコードレートを防止するために、ＰＵＳＣＨ送信時のＵＣＩ多重化に割り当てられるＳＣの個数を含めることが有利であり、これは各データＢＬＥＲが一例としてコードレートが、特にＱＡＭベースの変調に対して０.６より高い場合に格段に増加するためである。
【０１８９】
ＳＣの割り当てられた個数がターゲットＢＬＥＲを達成するためのノミナル(nominal)個数より小さい場合でもＵＣＩコードレートは一般的に十分に低いため、ターゲットＵＣＩ  ＢＬＥＲは、ＵＣＩ送信電力を増加させることによっていまだに達成されている。その後、ＰＵＳＣＨシンボルに対する同一の総送信電力を維持するために、データ情報に対する送信電力が減少する。しかしながら、より多くのＳＣがＰＵＳＣＨ送信時にデータ情報と多重化するのに利用可能なので、十分に低いコードレートがデータコーディングされた変調シンボルに対するより低い送信電力にもかかわらず改善されたデータＢＬＥＲを招くデータ情報に対して維持されうる。
【０１９０】
ｇＮＢは、複数のスロットを通じてＵＥからのＰＵＳＣＨ送信が発生するようにスケジューリングできる。ＰＵＳＣＨ送信は、複数のスロット全部で同一のデータＴＢを伝送するか、あるいは複数のスロットの各々で異なるデータＴＢを伝送する。ＵＥがＰＵＳＣＨ送信にＵＣＩを多重化する場合、多重化は、例えば各スロットが異なるデータＴＢを伝送する場合に１個のスロットでのみ、あるいは一例として複数のスロット全部で同一のデータＴＢを伝送するが場合、複数のスロット全部にわたって発生する。複数のスロットでＰＵＳＣＨ送信をスケジューリングするＵＬ  ＤＣＩフォーマットが複数のスロットの各々でのデータ送信に対して同一のＭＣＳを指示し、複数のスロットの各々でＰＵＳＣＨは異なるデータＴＢを伝送し、複数のスロットの各々で同一の送信電力を使用する場合に、データＴＢに対する受信信頼性は、ＵＣＩがＰＵＳＣＨで多重化するか否かに依存する。したがって、ＵＣＩ多重化がないスロットよりはＵＣＩ多重化があるスロットで多重スロットＰＵＳＣＨ送信のパラメータに対する異なる調整を有することが有利である。
【０１９１】
いくつかの実施形態において、所定値を超えるＵＣＩペイロードに適用可能な符号化方法を使用して所定値より小さいかあるいは等しいＵＣＩペイロードの符号化をサポートする必要がある。
【０１９２】
いくつかの実施形態において、ｇＮＢがＵＥからＨＡＲＱ-ＡＣＫコードワードの再送信をスケジューリングすることを可能にすることに対するもう一つの必要性がある。
【０１９３】
いくつかの実施形態において、コードブロックグループ別にＨＡＲＱ-ＡＣＫ情報の送信を可能にすることに対するもう一つの必要性がある。
【０１９４】
いくつかの実施形態において、ＵＣＩ又はＳＲＳ多重化のないスロットよりＵＣＩ又はＳＲＳ多重化があるスロットでＵＥからのＰＵＳＣＨ送信のパラメータに対して異なる調整を適用する必要がある。
【０１９５】
以下で、簡略性のために、データ情報が一つ以上のデータＣＢを含む一つのデータＴＢを用いて伝送されると仮定する。実施形態の関連説明は１個を超えるデータＴＢがサポートされるケースで直接拡張されうる。また、ＰＵＳＣＨ送信をスケジューリングするＤＣＩフォーマットはＵＬ  ＤＣＩフォーマットと称され、これに対してＰＤＳＣＨ送信をスケジューリングするＤＣＩフォーマットはＤＬ  ＤＣＩフォーマットと称される。
【０１９６】
一部の実施形態において、小さい個数の情報ビットをより大きい個数の情報ビットを持つコードワードにマッピングすることがコードワードに添付されるＣＲＣの演算を可能にし、受信器でコードワードの正確な又は不正確な決定が可能にするようにするために考慮される。
【０１９７】
ＨＡＲＱ-ＡＣＫ又はＲＩ/ＣＲＩ(ＣＳＩパート１)に対して１２個の情報ビットより小さいことと同一の個数のオリジナル情報ビットが１２個の情報ビットのような予め定められたより大きい個数の情報ビットを有するコードワードにマッピングされる。その次に、コードワードに対するＣＲＣが獲得され、ＣＲＣはコードワードに添付され、その後に出力が、例えばＴＢＣＣ又はポーラーコードを用いて符号化される。ＨＡＲＱ-ＡＣＫ又はＲＩ/ＣＲＩ(ＣＳＩパート１)コードワードに対するＣＲＣ保護を使用することは、本開示の次の実施形態で説明されるように、コードワードに対するより高いＢＬＥＲを有する動作と、コードワードに対する再送信のスケジューリングを可能にする。
【０１９８】
オリジナル情報ビットのコードワードに対するマッピングは、重要ではないが、マッピングの一例は次のようである。
【数１７９】
2020501456.tif 000182
【数１８０】
2020501456.tif 000183
【０１９９】
図２２は、本発明の実施形態によるオリジナル情報ペイロードより長い長さを有するコードワードの使用によるオリジナル情報ペイロードに対するマッピング及び符号化プロセス２２００を示す。図２２に示すマッピング及び符号化プロセス２２００の実施形態は、単に例示のためのものである。他の実施形態が本発明の範囲から逸脱することなく使われることができる。
【０２００】
ＵＥは、例えばＨＡＲＱ-ＡＣＫ情報又はＲＩ/ＣＲＩ(ＣＳＩパート１)に対するＩｏ個のオリジナル情報ビットを生成する(２２１０)。ＵＥは、所定の値を有するＩｃｗ-Ｉｏ個のビットをＩｏ個のオリジナル情報ビットに添付して(Ｉｏ及びＩｃｗ-Ｉｏ個のビットに対する異なる組合せを有することも可能である) Ｉｃｗ個のビットのコードワードを形成する(２２２０)。ＵＥは、Ｉｃｗ個のビットのコードワードに対するＬ個のビットのＣＲＣを演算し(２２３０)、Ｌ個のビットをＩｃｗ個のビットに添付する(２２４０)。ＴＢＣＣ又はポーラエンコーダのようなエンコーダ２２５０は、次にＩｃｗ＋Ｌ個のビットをエンコードし、変調器２２６０、エンコードされたビットを変調し、ＳＣマッパ２２７０は、エンコードされた変調シンボルをＳＣにマッピングして送信器２２８０はその結果信号を送信する。
【０２０１】
図２３は、本発明の実施形態によるオリジナル情報ペイロードより長い長さを有するコードワードの使用を通じるオリジナル情報ペイロードに対する復号化及びデ-マッピングプロセス２３００の一例を示す。図２３に示す復号化及びデマッピングプロセス２３００の実施形態は、単に例示のためのものである。他の実施形態が本発明の範囲から逸脱されない範囲で使用することが可能である。
【０２０２】
ｇＮＢ受信器２３１０は、信号を受信し、デマッパ２３２０は、コーディングされた変調シンボルをデマッピングし、復調器２３３０は変調された受信シンボルを復調してコーディングされた情報ビットで生成し、デコーダ２３４０は、コーディングされた情報ビットを復号化してＩｃｗ＋Ｌ個の推定されたコードワードビット及びＣＲＣビットを生成する。ＣＲＣ抽出ユニット２３５０は、コードワードに対してＩｃｗ個のビットを抽出し、ＣＲＣに対してＬ個のビットを抽出する。Ｉｃｗ個のビットがＩｏ個のオリジナル情報ビット２３８０を抽出する情報抽出ユニット(制御器)２３７０に提供される。受信器は、ＣＲＣチェック２３９０を実行し、あるいはＩｃｗ-Ｉｏ個のビットに対する値を検査して(２３９５)コードワードが正確に復号化されたか否かを決定できる。ＣＲＣチェックがポジティブであるか、Ｉｃｗ-Ｉｏ個のビットの値が予め定められた値である場合、受信器は、Ｉｏ個のビットが有効であると考慮し、そうでない場合、受信器は、Ｉｏ個のビットが有効でないと考慮される。
【０２０３】
Ｉｏ＝２、Ｉｃｗ＝１２のように、Ｉｏの値がＩｃｗの値より格段に小さい場合、受信器がＩｃｗ個のビットを正確に復号化したか否かを決定するために受信器がチェックする所定値を有するＩｃｗ-Ｉｏ＝１０個のビットが存在するため、符号化されたコードワードに追加的なＣＲＣビットを含めることを防止することが可能である。例えば、復号化が実際に不正確であり、ビットエラーがランダムである場合、復号化されたＩｃｗ-Ｉｏ個のビットが予め定められたＩｃｗ-Ｉｏ個のビットと同一の確率は
【数１８１】
2020501456.tif 000184
であり、あるいはＩｃｗ-Ｉｏ＝１０に対して１/１０２４である。１％のような比較的小さいコードワードＢＬＥＲに対して、Ｉｃｗ-Ｉｏ個のビットの所定の値に対して復号化されたＩｃｗ-Ｉｏ個のビットの値をチェックすることによって提供される追加的な保護は、相対的に小さいコードワードＢＬＥＲが
【数１８２】
2020501456.tif 000185
の係数で不正確な受信器の決定をさらにスケールするので十分である。一例として、Ｉｏ＝８、Ｉｃｗ＝１２のように、Ｉｏの値がＩｃｗの値より格段に小さくない場合、ＣＲＣビットが符号化されたコードワードに付加できる。ＣＲＣビットの個数は、Ｌ＝８のように予め定められ、あるいは一例として３＜Ｉｃｗ-Ｉｏ≦７に対してＬ＝４のように、０＜Ｉｃｗ-Ｉｏ≦３に対してはＬ＝８のように(そして、７＜Ｉｃｗ-Ｉｏ≦１１に対してＬ＝０のように)Ｉｃｗ-Ｉｏの値に依存する。
【０２０４】
いくつかの実施形態において、ｇＮＢによるＵＥからの一つ以上のＨＡＲＱ-ＡＣＫコードワードに対する送信をスケジューリングすることが考慮される。
【０２０５】
ＨＡＲＱ-ＡＣＫコードワードの送信をスケジューリングする第１の側面は、上記のようなｇＮＢからＵＥへのスケジューリングを指示するシグナリングを定義するものである。シグナリングは、明示的又は暗黙的でありうる。例えば、明示的シグナリングは、ＵＥが復号化するように構成されるＤＬ  ＤＣＩフォーマット及びＵＬ  ＤＣＩフォーマットのうち一つ又は二つ共に“ＨＡＲＱ-ＡＣＫ報告要求”フィールドを含めることでなされる。すべてのＨＡＲＱプロセスに対するＨＡＲＱ-ＡＣＫに該当することと、ＨＡＲＱ-ＡＣＫコードワードサイズが予め定められた場合、“ＨＡＲＱ-ＡＣＫ報告”フィールドは１個の２進エレメントを含み、ここで一例としてＵＥは“ＨＡＲＱ-ＡＣＫ報告要求”フィールド値が“０”である場合にＨＡＲＱ-ＡＣＫコードワードを送信し、“ＨＡＲＱ-ＡＣＫ報告要求”フィールド値が“１”である場合にはＨＡＲＱ-ＡＣＫコードワードを送信しない。暗黙的シグナリングは、ＨＡＲＱ-ＡＣＫコードワードのスケジューリングを指示するＤＣＩフォーマットに含まれる他のフィールドの状態を予約することによってなされる。例えば、ＤＭＲＳ送信がＺＣシーケンスを使用する場合、サイクリックシフト値を指示するＤＣＩフォーマットに含まれているフィールドは、ＨＡＲＱ-ＡＣＫコードワードのスケジューリングを指示する予約された値を有し、上記ケースで、サイクリックシフト値は０(ゼロ）のようなデフォルト値でありうる。
【０２０６】
ＨＡＲＱ-ＡＣＫ報告を有するＨＡＲＱプロセスの個数に対する増加した粒度(granularity)が必要である場合、“ＨＡＲＱ-ＡＣＫ報告要求”フィールドは、２個のビットのようなより多くの個数のビットを有し、ここで“００”状態はＨＡＲＱ-ＡＣＫコードワードの送信がないことを指し、“０１”、“１０”、又は“１１”状態は、各々ＤＣＩフォーマット送信に関連されるサービングセルに対するＨＡＲＱプロセスの第１のセット、第２のセット、あるいは第３のセットの送信を指示できる。第１、第２、及び第３のセットは、上位レイヤシグナリングを通じてサービングｇＮＢによりＵＥで構成される。ＵＥがＤＬキャリアアグリゲーションで動作するように構成される場合、ＨＡＲＱプロセスは、“ＨＡＲＱ-ＡＣＫ報告要求”フィールドを含むＤＬ  ＤＣＩフォーマットからスケジューリングされたＰＤＳＣＨ送信のセルと関連されるＨＡＲＱプロセスであり得る。
【０２０７】
第２の側面は、ＨＡＲＱ-ＡＣＫコードワードの再送信をスケジューリングするためのもである。ＵＥからの送信のためにスケジューリングされるＨＡＲＱ-ＡＣＫコードワードは、以前のスロットでＵＥが送信したＨＡＲＱ-ＡＣＫコードワードと同一である。最も早い以前のスロットは、例えば、ＨＡＲＱ-ＡＣＫコードワードスケジューリングのスロット以前の２個のスロットであるスロットとなるようにするようにシステム動作で定義され、あるいはｇＮＢからＵＥに対して構成される。その後、ＨＡＲＱ-ＡＣＫコードワードの送信は、ＨＡＲＱ-ＡＣＫコードワードの初期送信と同一のコンテンツを有する同一のＨＡＲＱ-ＡＣＫコードワードの再送信である。これは、ｇＮＢが符号化されたデータ情報のＨＡＲＱ再送信に対するソフト合成(soft  combining）を適用することと同様に、復号化以前の符号化されたＨＡＲＱ-ＡＣＫコードワードシンボルに対してソフト合成を適用することを可能にする。
【０２０８】
ＤＣＩフォーマットは、複数のＨＡＲＱ-ＡＣＫコードワードのうち、以前のスロットでＵＥが送信したＨＡＲＱ-ＡＣＫコードワードを指示する“ＨＡＲＱ-ＡＣＫコードワードインジケータ”フィールドを含む。例えば、“ＨＡＲＱ-ＡＣＫコードワードインジケータ”フィールドは、２個のビットを含み、ここで“００”、“０１”、“１１”の値は、各々ＵＥにより送信された４番目の最後、又は３番目の最後、又は２番目の最後、あるいは最後のＨＡＲＱ-ＡＣＫコードワードを指示する。“ＨＡＲＱ-ＡＣＫコードワードインジケータ”フィールドが複数のＨＡＲＱ-ＡＣＫコードワードの送信を指示することも可能である。一例として、“ＨＡＲＱ-ＡＣＫコードワードインジケータ”フィールドは、２個のビットを含み、ここで“００”、“０１”、“１０”、及び“１１”の値は、各々ＵＥにより送信される３番目の最後、あるいは２番目の最後、あるいは最後の、あるいは３番目の最後、２番目の最後、及び最後のすべてのＨＡＲＱ-ＡＣＫコードワードの再送信を指示する。ｇＮＢでＨＡＲＱ-ＡＣＫコードワードに対する以前の送信とソフト合成することを可能なようにするために、ＵＥが同時に複数のＨＡＲＱ-ＡＣＫコードワードを送信する場合、ＵＥは、複数のＨＡＲＱ-ＡＣＫコードワードを別に符号化する。
【０２０９】
さらに、“ＨＡＲＱ-ＡＣＫコードワードインジケータ”フィールドは、ＨＡＲＱ-ＡＣＫコードワード送信のトリガリングがないことを指示する一つの状態を予約することによって“ＨＡＲＱ-ＡＣＫ報告”フィールドで動作する。例えば、“ＨＡＲＱ-ＡＣＫコードワードインジケータ”フィールドは、２個のビットを含み、ここで、“０１”、“１０”、及び“１１”の値は、各々ＵＥにより送信される３番目の最後、あるいは２番目の最後、あるいは最後のＨＡＲＱ-ＡＣＫコードワードの再送信を指示し、これに対して“００”の値はＨＡＲＱ-ＡＣＫコードワードの再送信がないことを指示する。ＨＡＲＱ-ＡＣＫコードワードがすべてのＨＡＲＱプロセスに対してＨＡＲＱ-ＡＣＫ情報を常に含まない場合により多くの状態が予約できる。“ＨＡＲＱ-ＡＣＫコードワードインジケータ”フィールドがＵＬ  ＤＣＩフォーマットに含まれる場合、ＵＥは、関連されたＰＵＳＣＨ送信にＨＡＲＱ-ＡＣＫコードワードを多重化する。ＰＵＳＣＨ送信は、データＴＢを含むか、あるいはデータＴＢを含まないことができ、各指示はＵＬ  ＤＣＩフォーマットに含まれている対応するフィールドを通じて明示的であり、あるいはＵＬ  ＤＣＩフォーマットに含まれている一つ以上の予め定められたフィールドに対する所定値を用いて暗黙的であり得る。
【０２１０】
例えば、“ＨＡＲＱ-ＡＣＫ報告”フィールドがＵＬ  ＤＣＩフォーマットに含まれる場合、“ＨＡＲＱ-ＡＣＫ報告”フィールドは、関連されたＰＵＳＣＨ送信がデータ情報を含まないという明示的インジケータとして動作可能である。一方、ＤＬＤＣＩフォーマット又はＵＬ  ＤＣＩフォーマットに含まれている明示的な追加“ＨＡＲＱ-ＡＣＫコードワードインジケータ”は、ＤＬ  ＤＣＩフォーマット又はＵＬ  ＤＣＩフォーマットが、ＵＥが“ＨＡＲＱ-ＡＣＫ報告”フィールドがＨＡＲＱ-ＡＣＫコードワード送信を指示する場合、ＵＥからのデータ送信をスケジューリングしない場合に省略可能である。その後に、例えば、ＨＡＲＱプロセス番号フィールドのような、ＤＬＤＣＩフォーマット又はＵＬ  ＤＣＩフォーマットに含まれている一つ以上の他の既存フィールドは再解析され、“ＨＡＲＱ-ＡＣＫコードワードインジケータ”フィールドで機能することができる。
【０２１１】
図２４は、本発明の実施形態によるＨＡＲＱ-ＡＣＫコードワード再送信のためのスケジューリング２４００の一例を示す。図２４に示すスケジューリング２４００の実施形態は、単に例示のためのものである。他の実施形態は、本発明の範囲から逸脱しない範囲で使用されうる。
【０２１２】
ＵＥは、２番目の最後のスロットで送信されるＨＡＲＱ-ＡＣＫコードワードの再送信を指示する“ＨＡＲＱ-ＡＣＫコードワードインジケータ”値を有するＤＣＩフォーマットを検出する(２４１０)。ＵＥがスロット０(２４２０)、スロット２(２４２２)、スロット４(２４２４)、及びスロット６(９２６) でＨＡＲＱ-ＡＣＫコードワードを送信するとしても、スロット６はＵＥがＤＣＩフォーマットを検出するスロット７(２４１８)以前の少なくとも２個のスロット(ＵＥに対して構成されるシステム動作で明示される)でないため、２番目の最後のスロットは、スロット４でなくスロット２である。ＤＣＩフォーマットの検出の際に、ＵＥは、ＵＥが２番目の最後のスロット(スロット２)で送信したＨＡＲＱ-ＡＣＫコードワードをその以後のスロットで再送信する(２４３０)。
【０２１３】
ＵＥからＨＡＲＱ-ＡＣＫコードワードの送信をスケジューリングすることに対する第３の側面は、各送信タイミング及びリソースを定義するものである。ＨＡＲＱ-ＡＣＫコードワードの送信がデータ情報と多重化されるか、あるいは多重化されないＵＬ  ＤＣＩフォーマットによりトリガされる場合、ＨＡＲＱ-ＡＣＫコードワードに対する送信タイミング及びリソースは、ＵＬ  ＤＣＩフォーマットがＰＵＳＣＨ送信に対して指示する送信タイミング及びリソースである。ＨＡＲＱ-ＡＣＫコードワードの送信がＤＬＤＣＩフォーマットによりトリガされる場合、送信タイミング及び関連されるリソースを指示するＤＬＤＣＩフォーマットのフィールドは、ＵＥにより再解析されてＵＬ  ＤＣＩフォーマットの該当するフィールドとして動作できる。ＤＬ  ＤＣＩフォーマットに含まれている送信タイミングフィールド及びリソース割当フィールドがＵＬ  ＤＣＩフォーマットに含まれている各フィールドと同一でないとき、ＨＡＲＱ-ＡＣＫコードワード送信のために要求されないＤＬ  ＤＣＩフォーマットに含まれている他のフィールドからのビットを用いてフィールドに対するビットの個数を減少させ、あるいはフィールドに対するビットの個数を増加させ、それによって追加的な調整が行われる。
【０２１４】
いくつかの実施形態において、コードブロックグループの正確な又は不正確な検出に対応してＨＡＲＱ-ＡＣＫ情報に対するサポートを可能にするシグナリングメカニズムが本開示によって考慮される。
【０２１５】
ＨＡＲＱ-ＡＣＫ情報は、ＴＢより微細な粒度で大きさが決定され(dimensioned)、各ＨＡＲＱプロセスに対してデータＴＢに含まれているデータＣＢのグループに対応する。
一例として、(データ)ＴＢごとに(データ)ＣＢの個数
【数１８３】
2020501456.tif 000186
として決定され、ここで、ＴＢＳはビット単位のＴＢサイズであり、ＣＢＳmaxはビット単位の予め定められた最大ＣＢサイズである。ＣＢのグループ(ＣＢ-グループ又はＣＢＧ)別ＣＢの最大個数
【数１８４】
2020501456.tif 000187
はｇＮＢによりＵＥに対して構成される。ＴＢサイズが異なるスロット又は異なるセルでＰＤＳＣＨ送信に対して変更される可能性があるので、ＴＢごとのＣＢＧの個数も変更され、それによってＴＢ別ＨＡＲＱ-ＡＣＫ情報ビットの個数も変更されることがある。
【数１８５】
2020501456.tif 000188
(したがって、ＨＡＲＱ-ＡＣＫビットの個数は、ＣＢの個数がＣＢＧ別ＣＢの個数より少ない場合に減少する)。異なるＴＢが異なるＨＡＲＱプロセスに関連され、異なる個数のＣＢＧを含むため、各ＴＢに対する各ＨＡＲＱプロセスはＴＢに含まれているＣＢＧの個数と同一の、異なる個数のＨＡＲＱ-ＡＣＫ情報ビットと関連される。
【０２１６】
ＵＥは、明示的に、ｇＮＢからの各シグナリングにより、あるいはｇＮＢからの他のシグナリングにより暗黙的にＨＡＲＱ-ＡＣＫコードワード長を決定できる。明示的シグナリングに対して、ｇＮＢは、
【数１８６】
2020501456.tif 000189
個のＨＡＲＱ-ＡＣＫ情報ビットを含むＨＡＲＱ-ＡＣＫコードワード長でＵＥを構成できる。この構成は、上位レイヤシグナリングにより、あるいはＤＣＩフォーマットに含まれる“ＨＡＲＱ-ＡＣＫコードワード長”フィールドによりなされうる。例えば、２ビットの“ＨＡＲＱ-ＡＣＫコードワード長”フィールドは、１、２、４、又は８のＨＡＲＱ-ＡＣＫコードワード長を指示できる。ＨＡＲＱ-ＡＣＫコードワード長に対する構成は、ＣＢＧの個数に対する構成と均等である。ＤＬ  ＣＡで構成されるＵＥに対して、ＨＡＲＱ-ＡＣＫコードワード長は、構成されたＤＬセルの個数によりスケールされるか、あるいはＤＬセルごとに別に構成される。ＵＥは、ＨＡＲＱ-ＡＣＫコードワードを２進数ゼロ(０)のような“ＮＡＣＫ”値で初期化し、その以後、データＣＢに対する復号化結果に基づいた実際のＨＡＲＱ-ＡＣＫ値をＨＡＲＱ-ＡＣＫコードワードに追加入力する。したがって、単一セルに対して、
【数１８７】
2020501456.tif 000190
のビットは“ＮＡＣＫ”値を有する。
【０２１７】
暗黙的シグナリングに対して、ＵＥは、ＤＬ  ＤＣＩフォーマットの検出後にＨＡＲＱ-ＡＣＫコードワード長さを決定する。ＤＬ  ＤＣＩフォーマットは、ＣＢＧの個数を指示する“ＣＢＧカウンタ”フィールドを含み、ここでＣＢＧの個数はＴＢの送信と関連するスロットインデックス又はＤＬセルインデックスの昇順に基づいてＴＢブロック内でまず順次に増加してから、ＴＢにわたって増加する。ＴＢごとに複数のＧＢＧが存在し、ＵＥが連続的なインデックスを有するスロット又はＤＬセルでＴＢの送信をスケジューリングする複数のＤＬ  ＤＣＩフォーマットを検出できないので、ＵＥがイベントを識別することを可能にするために、ＣＢＧカウンタフィールドは、ＵＥがＨＡＲＱ-ＡＣＫコードワードに含まれているＨＡＲＱ-ＡＣＫ情報ビットの適した配列を決定するためにＵＥが受信しない所定個数のＣＢＧを明らかに識別できる範囲を有することが要求される。
【０２１８】
他の例において、ｇＮＢは、ＵＥにＴＢ別に最大個数のＣＢＧ、あるいは均等にＴＢ別に最大個数
【数１８８】
2020501456.tif 000191
【数１８９】
2020501456.tif 000192
の構成は、セルごとに独立的である。以後、ＣＢＧカウンタフィールドは、ＵＥが連続的なインデックスを有するスロット又はＤＬセルでＴＢの送信をスケジューリングする最大
【数１９０】
2020501456.tif 000193
個のＤＣＩフォーマットの検出に失敗する場合、ＵＥがＨＡＲＱ-ＡＣＫコードワードに含まれているＨＡＲＱ-ＡＣＫ情報ビットの適合した配列を決定することが可能なように
【数１９１】
2020501456.tif 000194
個のビットを必要とする。
【数１９２】
2020501456.tif 000195
ＣＢＧカウンタに対するビットの個数を決定するアプローチに関係なく、ビットのこの個数は、ＨＡＲＱ-ＡＣＫ情報がＣＢＧ別でなくＴＢ別に提供される場合に
【数１９３】
2020501456.tif 000196
個のＤＣＩフォーマットを識別するのに使用されるＤＬ割り当てインデックス(ＤＡＩ)フィールドに含まれるビットの数より大きくなる必要がある。
【数１９４】
2020501456.tif 000197
【数１９５】
2020501456.tif 000198
追加的な
【数１９６】
2020501456.tif 000199
個のＮＤＩビット包含は、ＵＥにより送信されるＨＡＲＱ-ＡＣＫ情報とｇＮＢにより検出されるＨＡＲＱ-ＡＣＫ情報との間に曖昧さが存在しないとき、ＤＣＩフォーマットで省略される(そして、データＴＢに対したＮＤＩのみが含まれる)。これは、ＵＥにより送信されるＨＡＲＱ-ＡＣＫコードワードがｇＮＢがＨＡＲＱ-ＡＣＫコードワードの正確な又は不正確な受信を識別できるケースのようにＣＲＣで保護されるときに発生する。ｇＮＢがＨＡＲＱ-ＡＣＫコードワードを不正確に受信する場合、ｇＮＢは、(ａ)ＤＬ  ＤＣＩフォーマットに含まれているＴＢに対するＮＤＩビットをトグル(toggle)しないことによって、(ｂ)同一のＣＧＢの以前送信をスケジューリングする以前のＤＬ  ＤＣＩフォーマットのようなリダンダンシバージョン(ＲＶ)に対して同一の値を指示することで、(ｃ)ＣＢＧの以前送信をスケジューリングする以前ＤＬ  ＤＣＩフォーマットのような同一のＨＡＲＱプロセス番号を指示することによって、ＤＬ  ＤＣＩフォーマットを通じてＰＤＳＣＨでのＣＢＧの送信を指示することができる。
【０２１９】
ＵＥが以前のＤＬ  ＤＣＩフォーマットのようなＴＢに対する同一のＮＤＩ値、同一のＲＶ値、同一のＨＡＲＱプロセス番号を有するＤＬ  ＤＣＩフォーマットを検出する場合、ＵＥは、ＤＬ  ＤＣＩフォーマットが以前のＤＬ  ＤＣＩフォーマットと同一のＣＢＧをスケジューリングすると解析できる。ｇＮＢがＨＡＲＱ-ＡＣＫコードワードを正確に受信する場合、ｇＮＢは、(ａ)ＤＬ  ＤＣＩフォーマットに含まれているＴＢに対するＮＤＩビットトグルしないことによって、(ｂ)新たなＣＢＧの以前の送信をスケジューリングする以前のＤＬ  ＤＣＩフォーマットのようなＲＶに対する次の値を指示することによって、(ｃ)ＣＢＧの以前の送信をスケジューリングする以前のＤＬ  ＤＣＩフォーマットのような同一のＨＡＲＱプロセス番号を指示することによって、ＤＬ  ＤＣＩフォーマットを通じてＰＤＳＣＨでＣＢＧの送信を指示できる。再送信が要求されるＣＢＧが存在しない場合、ｇＮＢは、(ａ)ＤＬ  ＤＣＩフォーマットに含まれているＴＢに対するＮＤＩビットをトグルすることによって、(ｂ)ＤＬ  ＤＣＩフォーマットに含まれているＲＶに対する第１の値を指示することによって、(ｃ)ＨＡＲＱプロセス番号を指示することによってＤＬ  ＤＣＩフォーマットを通じてＨＡＲＱプロセス番号に対する新規データＴＢをスケジューリングできる。ＲＶ値に対する以前の条件は、スキップされ、ｇＮＢの実現で残ることがある。
【０２２０】
ＵＬ  ＤＣＩフォーマットは、ＵＥが再送信する必要があるＣＢＧを指示するために追加的な
【数１９７】
2020501456.tif 000200
個のＮＤＩビットを含む。ｇＮＢは、ｇＮＢからＵＥへのデータＴＢの送信らに対する
【数１９８】
2020501456.tif 000201
に構成する。
【０２２１】
構成されるＨＡＲＱ-ＡＣＫコードワード長は、ＵＥがｇＮＢにより送信される少なくとも一つのＤＬ  ＤＣＩフォーマットとスロットあるいはＤＬセルの最大インデックスより大きいインデックスを有するそれぞれの少なくとも一つのスロット又はＤＬセルで各々少なくとも一つのＴＢそれぞれのスケジューリング送信を検出しない場合に発生する曖昧さを防ぐのに有利であり、ここでＵＥは、ＵＥが検出する各ＤＬ  ＤＣＩフォーマットによりスケジューリングされるＴＢを受信し、ＵＥは、ＴＢに対して同一のＨＡＲＱ-ＡＣＫコードワードでＨＡＲＱ-ＡＣＫ情報を送信することが期待される。ｇＮＢが、ＵＥが少なくとも一つのＤＬ  ＤＣＩフォーマットを検出することに失敗したと認識できないため、ｇＮＢは、ＵＥがＨＡＲＱ-ＡＣＫコードワードに各データＴＢに対するＨＡＲＱ-ＡＣＫ情報を含まないことを認識せず、それによってｇＮＢがＵＥにＨＡＲＱ-ＡＣＫコードワード長を構成しない限り、ｇＮＢとＵＥは、ＨＡＲＱ-ＡＣＫコードワードに対する異なる長さを考慮する。
【０２２２】
ＵＥに対する一つ以上のＴＢの送信をスケジューリングするＤＬ  ＤＣＩフォーマットは、
【数１９９】
2020501456.tif 000202
個のビットで示し、ＤＬ  ＤＣＩフォーマットによりスケジューリングされるＴＢの受信に応答してＵＥが生成する複数のＨＡＲＱ-ＡＣＫ情報ビットのうち第１のＨＡＲＱ-ＡＣＫ情報ビットに対する位置を指示する“ＨＡＲＱ-ＡＣＫコードワード位置”フィールドを含む。ＨＡＲＱ-ＡＣＫコードワード位置フィールドは、“ＣＢＧカウンタ”フィールドと類似した機能を提供し、ＤＬ  ＤＣＩフォーマットは、これら２個のフィールドのうちいずれか一つを含む。
【０２２３】
他の例において、ＴＢ別ＨＡＲＱ-ＡＣＫ情報ビットの個数
【数２００】
2020501456.tif 000203
は、対応する“ＨＡＲＱ-ＡＣＫ情報ビット個数”フィールドにＤＬ  ＤＣＩフォーマットでシグナリングされる。同一のＤＬ  ＤＣＩフォーマットが複数のスロットで複数のＴＢの送信をスケジューリングする場合、同一の値の
【数２０１】
2020501456.tif 000204
がＤＬ  ＤＣＩがＣＢＧカウンタフィールドを含まないとき、ＴＢごとに適用される。ＤＬ  ＤＣＩフォーマットで
【数２０２】
2020501456.tif 000205
値をシグナリングすることは、シグナリングがｇＮＢスケジューラが異なるインスタンスで異なるＴＢサイズで異なる個数のＴＢに対する送信をスケジューリング可能にするためにＨＡＲＱ-ＡＣＫコードワードサイズ
【数２０３】
2020501456.tif 000206
が予め構成される場合に有利である。また、ＤＬ  ＤＣＩフォーマットで
【数２０４】
2020501456.tif 000207
値をシグナリングすることは、ＤＬ  ＤＣＩフォーマットに
【数２０５】
2020501456.tif 000208
フィールドを含める必要がないため、ＨＡＲＱ-ＡＣＫコードワードがＣＲＣビットを含む場合に適用され、それによってＤＬ  ＤＣＩフォーマットに対する可変サイズを有することなく、
【数２０６】
2020501456.tif 000209
のダイナミックに決定された値を有することができる。
【数２０７】
2020501456.tif 000210
【数２０８】
2020501456.tif 000211
ＵＥがＣＢＧに含まれているすべてのデータＣＢを正確に検出する場合、ＵＥは、ＡＣＫ値(２進数１）を生成し、そうでない場合、ＮＡＣＫ値を生成する。したがって、ＤＬ  ＤＣＩフォーマットは、ＴＢ別ＣＢＧの個数及びＨＡＲＱ-ＡＣＫコードワードに含まれている関連ＨＡＲＱ-ＡＣＫ情報ビットに対する位置を指示できる。
【０２２４】
図２５は、本発明の実施形態によるデータコードブロック２５００のデータコードブロックグループへの適応的分割及び所定長さのＨＡＲＱ-ＡＣＫコードワードの各適応的生成の一例を示す。図２５に示すデータコードブロック２５００の適応的分割の実施形態は、単に例示のためのものである。他の実施形態が本発明の範囲から逸脱されない範囲で使用されうる。
【０２２５】
ＵＥは、ｇＮＢから送信され、第１のスロットで又は第１のセル上で第１のＨＡＲＱプロセスに対する第１のＴＢの受信をスケジューリングし、ＵＥからの
【数２０９】
2020501456.tif 000212
個のＨＡＲＱ-ＡＣＫ情報ビットの生成を指示する第１のＤＬ ＤＣＩフォーマット及びＨＡＲＱ-ＡＣＫ情報ビットの個数
【数２１０】
2020501456.tif 000213
の連続的な配置のための開始位置であるＨＡＲＱ-ＡＣＫコードワードに含まれている第１のエレメントを検出する。ＵＥは、第１のデータＴＢのＣＢを４個のＣＢＧ２５１０に分割し、“ＡＣＫ”(Ａ)または“ＮＡＣＫ”(Ｎ)の値を有する４個の各ＨＡＲＱ-ＡＣＫ情報ビットを生成し、これらをＨＡＲＱ-ＡＣＫコードワードに含まれている最初の４個のエレメント２５１５に配置する。
【０２２６】
ＵＥはｇＮＢから送信され、第２のスロットであるいは第２のセル上で第２のＨＡＲＱプロセスに対する第２のＴＢの受信をスケジューリングし、ＵＥからの
【数２１１】
2020501456.tif 000214
個のＨＡＲＱ-ＡＣＫ情報ビットの生成を指示する第２のＤＬ  ＤＣＩフォーマット及びＨＡＲＱ-ＡＣＫ情報ビット
【数２１２】
2020501456.tif 000215
の連続的な配置に対する開始位置であるＨＡＲＱ-ＡＣＫコードワードに含まれている第５のエレメントを検出することができない。第２のＤＬ  ＤＣＩフォーマットは、第２のデータＴＢのＣＢの２個のＣＢＧ２５２０への分割及びＨＡＲＱ-ＡＣＫコードワードの各々に含まれている第５及び第６のエレメント２５２５の配置を有する２個の各ＨＡＲＱ-ＡＣＫ情報ビットの生成を指示する。
【０２２７】
ＵＥは、ｇＮＢから送信され、第３のスロットであるいは第３のセル上で第３のＨＡＲＱプロセスに対する第３のＴＢの受信をスケジューリングし、
【数２１３】
2020501456.tif 000216
開始位置であるＨＡＲＱ-ＡＣＫコードワードに含まれている第７のエレメントを検出する。ＵＥは、第３のＴＢのＣＢを２個のＣＢＧ２５３０に分割し、２個の各ＨＡＲＱ-ＡＣＫ情報ビットを生成し、これらをＨＡＲＱ-ＡＣＫコードワードに含まれている第７及び第８のエレメント２５３５に配置する。
【数２１４】
2020501456.tif 000217
【０２２８】
図２６は、本発明の実施形態によるＰＵＳＣＨに含まれているデータ情報及びＵＣＩのための受信器のブロック２６００を示す。図２６に示す受信器ブロック２６００の実施形態は、単に例示のためのものである。他の実施形態が本発明の範囲から逸脱しない範囲で使用可能である。
【０２２９】
ＵＥはＤＬ ＤＣＩフォーマットを検出し、例えばＨＡＲＱ-ＡＣＫ情報ビットの個数フィールドから又は
【数２１５】
2020501456.tif 000218
の上位レイヤ構成からＴＢに対するＨＡＲＱ-ＡＣＫ情報ビットの個数
【数２１６】
2020501456.tif 000219
を決定するために一例としてリソース割当フィールド又はＭＣＳフィールドからＴＢサイズを決定する(２６１０)。ＴＢサイズから、
【数２１７】
2020501456.tif 000220
【数２１８】
2020501456.tif 000221
【０２３０】
ＨＡＲＱ-ＡＣＫコードワード長が関連ＤＬ  ＤＣＩフォーマットでのシグナリングからダイナミックに決定される場合、ＨＡＲＱ-ＡＣＫコードワード長に対する曖昧さは、ＵＥがｇＮＢにより送信され、スロット又はＤＬセルの最も大きいインデックスより大きいインデックスを有する少なくとも一つのスロットまたはＤＬセルのうち少なくとも一つのＴＢの送信を各々スケジューリングする少なくとも一つのＤＬ  ＤＣＩフォーマットを検出しない場合に発生する。ここで、ＵＥは、ＵＥが検出するＤＬ  ＤＣＩフォーマットによりスケジューリングされるＴＢを受信し、ＵＥは、ＴＢに対して同一のＨＡＲＱ-ＡＣＫコードワードでＨＡＲＱ-ＡＣＫ情報を送信すると期待される。ｇＮＢは、ＵＥが少なくとも一つのＤＬ  ＤＣＩフォーマットを検出しないことを認識できないため、ｇＮＢは、ＵＥがＨＡＲＱ-ＡＣＫコードワードに各データＴＢに対するＨＡＲＱ-ＡＣＫ情報を含まないことを認識せず、従ってｇＮＢとＵＥはＨＡＲＱ-ＡＣＫコードワードに対して異なる長さを考慮する。
【数２１９】
2020501456.tif 000222
【０２３１】
ＨＡＲＱ-ＡＣＫコードワード長に対する暗黙的構成は、増加した受信信頼性又は減少したセル間干渉あるいは減少したＵＬリソース消費を招くＨＡＲＱ-ＡＣＫコードワードでの冗長情報を防止する場合に有利である。さらに、ＵＥがＴＢの代わりにＣＢＧに対するＨＡＲＱ-ＡＣＫを送信する場合、ＨＡＲＱ-ＡＣＫコードワード長の暗黙的構成は、ｇＮＢが予め定められたＨＡＲＱ-ＡＣＫコードワード長に限定されないため、ＵＥに対するスケジューリングがスロットにわたって進行され、それによってｇＮＢがＴＢ別ＨＡＲＱ-ＡＣＫ情報ビットの個数を実際に任意に選択することを可能にする。
【０２３２】
一部実施形態において、データＴＢ又はデータＣＢに対するコードレートに対する調整は、ＨＡＲＱ-ＡＣＫのようなＵＣＩがＰＵＳＣＨ送信でデータと多重化されるときに考慮される。
【０２３３】
ＵＣＩがＰＵＳＣＨ送信で多重化される場合、いくつかのＳＣ(又はＲＥ）がＵＣＩ送信のために使用され、データ送信のために有用でないため、有効データコードレートが増加する。ＵＬ  ＤＣＩフォーマットがＵＥからの単一データＴＢの送信をスケジューリングするため、ｇＮＢスケジューラは、ＵＣＩ多重化が存在せず、ＵＣＩコーディングされた変調シンボルの個数でのオーバーディメンション(over-dimensioning）がＵＬ  ＤＣＩフォーマットを通じて各
【数２２０】
2020501456.tif 000223
値を調整することによって緩和される場合、データＴＢに対するターゲットＢＬＥＲを達成するために必要なことより低いＭＣＳをＵＥに指示することで、データＴＢに対する有効コードレートに対する増加を考慮する。
【０２３４】
ＵＬ  ＤＣＩフォーマットが複数のスロットを通じてＵＥから複数のデータＴＢ等の送信をスケジューリングするとき、ＵＬ  ＤＣＩフォーマットは、ＵＣＩ多重化なしにＰＵＳＣＨでデータＴＢに対するＭＣＳ値及びＵＣＩ多重化を有するＰＵＳＣＨでデータＴＢ送信に対するＭＣＳ値を別に指示するか、あるいは例えばＵＣＩ多重化なしにＰＵＳＣＨでデータＴＢ送信に関する単一ＭＣＳ値を指示する必要があり、ＵＥは、ＰＵＳＣＨに含まれているＵＣＩコーディングされた変調シンボルの個数に従ってＵＣＩ多重化を有するＰＵＳＣＨでデータＴＢ送信に対するＭＣＳ値(又はＴＢＳ値）を調整できる。前者のアプローチは、複数のＭＣＳフィールドを提供するＵＬ  ＤＣＩフォーマットのサイズを増加させつつロバストな動作を提供する。
【０２３５】
後者のアプローチは、ＵＣＩ多重化を有するＰＵＳＣＨでデータＴＢ送信に対するＭＣＳ値、又はデータＴＢサイズ、あるいは送信電力を調整するメカニズムを設定することによって前者のアプローチの短所を防止する。他の方式は、関連されたＵＣＩ冗長ペナルティ(penalty)に対して、複数のスロットにわたってＵＣＩコーディングされた変調シンボルの送信を分散させ、ＵＬ  ＤＣＩフォーマットにより指示されるＭＣＳ値はすべての複数のスロットでデータ情報の送信に対して適用可能である。
【０２３６】
ＵＣＩ多重化を有するＰＵＳＣＨでデータＴＢ送信に対するＭＣＳ値は関連されるコードレートを調整することによって調整される。＜表２＞は、ＵＬ  ＤＣＩフォーマットでＭＣＳインデックスの変調次数、ＴＢＳインデックス、及びコードレートに対する関連一例を示す。ＴＢＳインデックスの実際ＴＢＳに対するマッピングは、ＰＵＳＣＨ送信に対する複数のＲＢ及びスロットシンボルも考慮する別のキ表により提供される。
【０２３７】
【表２】
2020501456.tif 000224
【数２２１】
2020501456.tif 000225
【数２２２】
2020501456.tif 000226
第１の実施形態では、コードレートのみが調整されるが、これに反して第２の実施形態では変調次数及びコードが両方とも調整される。ＵＣＩ多重化に加えて、ＰＵＳＣＨでのデータ送信に対するコードレートはスロットでのデータ送信に対して利用可能なＳＣからＳＲＳ送信のために使用されるＳＣをディカウントすることで、類似した方式で、存在する場合、ＳＲＳ多重化に対して調整されうる。
【０２３８】
図２７は、本発明の実施形態によるＵＣＩ多重化によるコードレートでの増加を考慮するためのＵＥがＵＬ  ＤＣＩフォーマットでシグナリングされたＭＣＳインデックスを調整し、調整されたＭＣＳインデックスを決定するプロセス２７００の例を示す。図２７に示すプロセス２７００の実施形態は、ただ例示のためのものである。他の実施形態が本発明の範囲から逸脱しない範囲で使用可能である。
【０２３９】
ＵＥは、第１の値
【数２２３】
2020501456.tif 000227
を有するＭＣＳフィールドを含むＵＬ  ＤＣＩフォーマットを検出し、例えば予め定められたマッピング表に基づき、ＵＥは、ＰＵＳＣＨでのデータ送信に対する第１のコードレート
【数２２４】
2020501456.tif 000228
を決定する(２７１０)。さらに、ＵＥは、ＵＣＩコーディングされた変調シンボルの個数及びＰＵＳＣＨにＵＣＩコーディングされた変調シンボルの個数を多重化するためのＳＣの各個数を決定する(２７２０)。ＰＵＳＣＨにＵＣＩを多重化するためのＵＥによる決定は、ＵＥがＰＵＳＣＨ送信のスロットと同一のスロットでＵＣＩを送信しようとする場合、ＰＵＳＣＨにＵＣＩを多重化するためにＵＬ  ＤＣＩフォーマットに含まれている関連されるフィールド、あるいはＵＥに対する上位レイヤ構成によりなされる。
【０２４０】
ＵＣＩコーディングされた変調シンボルの個数及びＵＣＩ多重化がないデータ送信に対して利用可能なＳＣの個数に従って、ＵＥは、データ送信のために使用される利用可能なＳＣの個数を減少させるＵＣＩ多重化によるデータコードレート増加係数
【数２２５】
2020501456.tif 000229
を決定する(２７３０)。ＵＥは、その次にＵＣＩ多重化のために使用されるＳＣを除き、その後にデータ送信に対する結果コードレート
【数２２６】
2020501456.tif 000230
最後に、ＵＥは、
【数２２７】
2020501456.tif 000231
値を用いてＰＵＳＣＨ送信のためのＵＬ  ＤＣＩフォーマットによりスケジューリングされるデータＴＢに対するコーディング及び変調パラメータを決定する。ＵＥは、
【数２２８】
2020501456.tif 000232
に従ってＰＵＳＣＨ送信電力を調整する。
【０２４１】
ＰＵＳＣＨでの送信のためのデータＴＢＳは、ＰＵＳＣＨ送信をスケジューリングするＵＬ  ＤＣＩフォーマットに含まれているＭＣＳインデックスフィールドから、データ送信に対して利用可能なＲＳ送信のために利用可能なスロットＳＣ/シンボルを除いたスロットＳＣ/シンボルのような周波数ドメインでの基準個数のＲＢ及び時間ドメインでの基準個数のスロットシンボルから決定される。例えば、１２個のＳＣを含むＲＢ及び１４個のシンボルを含むスロットに対して、総２４個のＳＣがＤＭＲＳ送信のために仮定され、残りの１４ｘ１２-２４＝１４４個のＳＣがデータ送信のために有用であると仮定される。したがって、基準個数のＳＣはスロットでのＵＣＩ多重化又はＳＲＳ送信を考慮しない。
【０２４２】
ＵＬ  ＤＣＩフォーマットによりスケジューリングされるＰＵＳＣＨでの送信のためのデータＴＢＳは、(ａ)ＴＢＳインデックス及び(ｂ)ＰＵＳＣＨに対する時間/周波数リソース割り当てから決定される。ＴＢＳインデックスは、ＭＣＳインデックスを提供するＵＬ  ＤＣＩフォーマット及び一例として＜表２＞に示したようなＭＣＳインデックス及びＴＢＳインデックス間の予め定められたマッピングにより決定される。＜表３＞は、ＰＵＳＣＨ送信のためのＴＢＳインデックス及び時間/周波数リソース割り当てのＴＢＳ値に対する関連例(マッピング）を示す。最初の１０個の
【数２２９】
2020501456.tif 000233
個の値及び最大１０個のＰＵＳＣＨ  ＲＢは含まれるば、その関連性は、より多くの
【数２３０】
2020501456.tif 000234
個の値又はＰＵＳＣＨ  ＲＢに直接拡張されうる。一例として、時間リソース割り当ては、ＤＭＲＳ送信のために使用される２個のシンボルを有する１４個のシンボルの１個のスロットであり、周波数リソース割り当ては複数のＲＢである。
【０２４３】
【表３】
2020501456.tif 000235
ＵＣＩ又はＳＲＳあるいはＰＵＣＣＨがＰＵＳＣＨ送信のいくつかのＳＣ又はシンボルで多重化される場合、データＴＢＳ値は同一の
【数２３１】
2020501456.tif 000236
値に対するデータ送信のために利用可能なＳＣの個数での減少を反映するために調整される。スロットシンボルの個数は
【数２３２】
2020501456.tif 000237
で示し、ＲＢ別ＳＣの個数は
【数２３３】
2020501456.tif 000238
で示すＤＭＲＳ送信のために使用されるスロット別及びＲＢ別ＳＣの個数は
【数２３４】
2020501456.tif 000239
で示す。
【数２３５】
2020501456.tif 000240
の値は、異なるスロットでのＰＵＳＣＨ送信に対して又は異なるＵＥからのＰＵＳＣＨ送信に対して異なることができる。
【数２３６】
2020501456.tif 000241
【数２３７】
2020501456.tif 000242
【数２３８】
2020501456.tif 000243
【数２３９】
2020501456.tif 000244
ＵＥは、決定されたＴＢＳに従ってＰＵＳＣＨ送信電力を調整することができる。
【０２４４】
図２８は、本発明の実施形態によるＰＵＳＣＨでＵＣＩ又はＳＲＳ多重化によるコードレートでの増加を考慮するためのデータＴＢＳを決定するためにＵＥがＵＬ  ＤＣＩフォーマットでシグナリングされたＲＢの個数を調整するプロセス２８０００の例を示す。図２８に示すプロセス２８００の実施形態は、ただ例示のためのものである。他の実施形態は、本発明の範囲から逸脱しない範囲で使用されうる。
【０２４５】
ＵＥは、一つ以上のスロットで一つ以上のデータＴＢを伝送するＰＵＳＣＨ送信をスケジューリングするＵＬ  ＤＣＩフォーマットを検出する。スロットは、
【数２４０】
2020501456.tif 000245
個のシンボルを含む。ＵＬ  ＤＣＩフォーマットは、ＰＵＳＣＨ送信に対する
【数２４１】
2020501456.tif 000246
個のＲＢを提供する周波数リソース割当フィールドを含み、ここでＲＢは
【数２４２】
2020501456.tif 000247
例えば、＜表２＞のような予め定められたマッピングに基づいて、ＵＥはＴＢＳインデックス
【数２４３】
2020501456.tif 000248
を決定する(２８２０)。ＲＢ別に
【数２４４】
2020501456.tif 000249
個のＳＣがＤＭＲＳ送信のために使われる。また、ＵＥは、存在する場合、ＵＣＩコーディングされた変調シンボルの個数を決定し、存在する場合にＰＵＳＣＨでＵＣＩコーディングされた変調シンボルの個数を多重化するための各ＳＣの個数
【数２４５】
2020501456.tif 000250
とＳＲＳ送信を多重化するためのＳＣの個数
【数２４６】
2020501456.tif 000251
を決定する(２８３０)。
【０２４６】
ＵＣＩ又はＳＲＳの多重化によるＴＢＳ決定を調整するために、ＵＥは、ＲＢの新たな個数を
【数２４７】
2020501456.tif 000252
として決定する(２８４０)。
【数２４８】
2020501456.tif 000253
として決定することも可能である。ＲＢのあらｔな個数及び
【数２４９】
2020501456.tif 000254
値に基づいてＵＥは、ＵＬ  ＤＣＩフォーマットにより指示されるＲＢの個数を通じてＰＵＳＣＨでの送信のためのＴＢＳを決定する(２８５０)。
【０２４７】
ＵＬ  ＤＣＩフォーマットは、ＵＬ  ＤＣＩフォーマットが各値に設定された“ＣＳＩ-ｏｎｌｙ”フィールド又は“ＨＡＲＱ-ＡＣＫ-ｏｎｌｙ”フィールドを含む場合、第１のスロットのように、スロットで唯一ＵＣＩ送信(UCI-only transmission）をスケジューリングできる。その後、ＵＥは、ＵＬ  ＤＣＩフォーマットがスロットで唯一ＵＣＩ送信をスケジューリングすると解析し、ＵＬ  ＤＣＩフォーマットを残りのスロットでデータ送信、そして可能な他のＵＣＩ送信をスケジューリングすると解析できる。
【０２４８】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【０２４９】
本願の詳細な説明の任意の特定エレメント、ステップ、又は機能が特許請求の範囲に含まれなければならない必須的エレメントであると意味すると読まれてはならないことである。特許される主題の範囲は、但し請求項のみにより定義される。
【符号の説明】
【０２５０】
１００  無線ネットワーク
１０２  基地局
１１１−１１６  ユーザー装置
１２０  カバレッジ領域
１２５  カバレッジ領域
１３０  ネットワーク
２０５  アンテナ
２１０  送受信器
２１５  送信（ＴＸ）処理回路
２２０  受信（ＲＸ）処理回路
２２５  制御器／プロセッサ
２３０  メモリ
２３５  インターフェース
３０５  アンテナ
３１０  送受信器
３１５  処理回路
３２０  マイクロホン
３２５  処理回路
３３０  スピーカ
３４０  プロセッサ
３４５  インターフェース
３５０  タッチスクリーン
３５５  ディスプレイ
３６０  メモリ
３６１  オペレーティングシステム
３６２  アプリケーション
４００  送信経路回路
４５０  受信経路回路
５００  スロット構造
６００  スロット構造
７００  送信器構造
７１０  データビット
７２０  エンコーダ
７３０  レートマッチャー
７４０  変調器
８００  受信器構造
８２０  フィルタ
８４０  フィルタ
８５０  デマッピングユニット
８７０  レートデマッチャー
８８０  デコーダ
９００  送信器ブロック構成図
９０５  シンボル
９１０  データシンボル
９８０  電力増幅器（ＰＡ）
１０１０  受信信号
１０２０  フィルタ
１０３０  ユニット
１０４０  選択器ユニット
１０７０  デマルチプレクサ
１０９０  データシンボル
１０９５  シンボル
１３２０  第２のスロットシンボル
【図１】
2020501456.tif 000255
【図２】
2020501456.tif 000256
【図３】
2020501456.tif 000257
【図４Ａ】
2020501456.tif 000258
【図４Ｂ】
2020501456.tif 000259
【図５】
2020501456.tif 000260
【図６】
2020501456.tif 000261
【図７】
2020501456.tif 000262
【図８】
2020501456.tif 000263
【図９】
2020501456.tif 000264
【図１０】
2020501456.tif 000265
【図１１】
2020501456.tif 000266
【図１２】
2020501456.tif 000267
【図１３】
2020501456.tif 000268
【図１４】
2020501456.tif 000269
【図１５】
2020501456.tif 000270
【図１６】
2020501456.tif 000271
【図１７】
2020501456.tif 000272
【図１８】
2020501456.tif 000273
【図１９】
2020501456.tif 000274
【図２０】
2020501456.tif 000275
【図２１】
2020501456.tif 000276
【図２２】
2020501456.tif 000277
【図２３】
2020501456.tif 000278
【図２４】
2020501456.tif 000279
【図２５】
2020501456.tif 000280
【図２６】
2020501456.tif 000281
【図２７】
2020501456.tif 000282
【図２８】
2020501456.tif 000283
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
方法であって、
複数個のインデックスのセットを含む構成情報を受信し、前記複数個のセットは、複数個のアップリンク制御情報（ＵＣＩ）タイプの各々に対応し
物理アップリンク共有チャンネル（ＰＵＳＣＨ）の送信をスケジューリングするダウンリンク制御情報（ＤＣＩ）フォーマットを受信し、前記ＤＣＩフォーマットは、前記複数個のセットの各々から前記インデックスの中の一つのインデックスを指示するベータオフセットインジケータフィールドを含み、
前記ベータオフセットインジケータフィールドに基づいて、前記複数個のＵＣＩタイプの中の少なくとも一つのＵＣＩタイプを多重化（multiplexing）し、
前記少なくとも一つのＵＣＩタイプに対する多重化に基づいて、前記ＰＵＳＣＨにおけるＵＣＩでアップリンクデータを送信することを特徴とする方法。
【請求項２】
前記複数個のセットの各々は４個のインデックスセットを含み、
前記ベータオフセットインジケータフィールドは、前記複数個のセットの各々から前記４個のインデックスの中で同一の順序に位置する一つのインデックスを指示することを特徴とする請求項１に記載の方法。
【請求項３】
前記複数個のＵＣＩタイプは、ハイブリッド自動再送要求確認応答（ＨＡＲＱ−ＡＣＫ）、チャンネル状態情報（ＣＳＩ）パート１、又はＣＳＩパート２の中の少なくとも一つを含むことを特徴とする請求項１に記載の方法。
【請求項４】
前記ベータオフセットインジケータフィールドは、００、０１、１０、又は１１で構成されることを特徴とする請求項１に記載の方法。
【請求項５】
前記ＤＣＩフォーマットの情報ビットの個数が１２ビットより少ない場合、ペイロードサイズが１２に等しくなるまで前記ＤＣＩフォーマットに０が追加されることを特徴とする請求項１に記載の方法。
【請求項６】
前記ベータオフセットインジケータフィールドにより指示された前記一つのインデックスに基づいて、前記少なくとも一つのＵＣＩタイプの多重化のために変調されたエンコーディングされたシンボルの個数を決定することを特徴とする請求項１に記載の方法。
【請求項７】
方法であって、
複数個のインデックスのセットを含む構成情報を送信し、前記複数個のセットは、複数個のアップリンク制御情報（ＵＣＩ）タイプの各々に対応し、
物理アップリンク共有チャンネル（ＰＵＳＣＨ）の受信をスケジュールするダウンリンク制御情報（ＤＣＩ）フォーマットを送信し、前記ＤＣＩフォーマットは、前記複数個のセットの各々から前記インデックスの中の一つのインデックスを指示するベータオフセットインジケータフィールドを含み、
前記ＰＵＳＣＨにおけるＵＣＩでアップリンクデータを受信し、
前記ベータオフセットインジケータフィールドにより指示された前記一つのインデックスに基づいて、少なくとも一つのＵＣＩタイプの多重化のために変調されたエンコーディングされたシンボルの個数が決定されることを特徴とする方法。
【請求項８】
前記複数個のセットの各々は、４個のインデックスセットを含み、
前記ベータオフセットインジケータフィールドは、前記複数個のセットの各々から前記４個のインデックスの中で同一の順序に位置する一つのインデックスを指示することを特徴とする請求項７に記載の方法。
【請求項９】
前記複数個のＵＣＩタイプは、ハイブリッド自動再送要求確認応答（ＨＡＲＱ−ＡＣＫ）、チャンネル状態情報（ＣＳＩ）パート１、又はＣＳＩパート２の中の少なくとも一つを含むことを特徴とする請求項７に記載の方法。
【請求項１０】
前記ベータオフセットインジケータフィールドは、００、０１、１０、又は１１で構成されることを特徴とする請求項７に記載の方法。
【請求項１１】
前記ＤＣＩフォーマットの情報ビットの個数が１２ビットより少ない場合、ペイロードサイズが１２に等しくなるまで前記ＤＣＩフォーマットに０が追加されることを特徴とする請求項７に記載の方法。
【請求項１２】
装置であって、
複数個のインデックスのセットを含む構成情報を受信し、前記複数個のセットは、複数個のアップリンク制御情報（ＵＣＩ）タイプの各々に対応し、物理アップリンク共有チャンネル（ＰＵＳＣＨ）の送信をスケジュールするダウンリンク制御情報（ＤＣＩ）フォーマットを受信し、前記ＤＣＩフォーマットは、前記複数個のセットの各々から前記インデックスの中の一つのインデックスを指示するベータオフセットインジケータフィールドを含む受信器と、
前記ベータオフセットインジケータフィールドに基づいて、前記複数個のＵＣＩタイプの中の少なくとも一つのＵＣＩタイプを多重化（multiplexing）するプロセッサと、
前記少なくとも一つのＵＣＩタイプに対する多重化に基づいて、前記ＰＵＳＣＨにおけるＵＣＩでアップリンクデータを送信する送信器と、を含むことを特徴とする装置。
【請求項１３】
請求項２乃至請求項６に記載の何れか一項に記載の方法によって具現されることを特徴とする請求項１２に記載の装置。
【請求項１４】
装置であって、
複数個のインデックスのセットを含む構成情報を送信し、前記複数個のセットは、複数個のアップリンク制御情報（ＵＣＩ）タイプの各々に対応し、物理アップリンク共有チャンネル（ＰＵＳＣＨ）の受信をスケジュールするダウンリンク制御情報（ＤＣＩ）フォーマットを送信し、前記ＤＣＩフォーマットは、前記複数個のセットの各々から前記インデックスの中の一つのインデックスを指示するベータオフセットインジケータフィールドを含む送信器と、
前記ＰＵＳＣＨにおけるＵＣＩでアップリンクデータを受信する受信器と、を含み、
前記ベータオフセットインジケータフィールドにより指示された前記一つのインデックスに基づいて、少なくとも一つのＵＣＩタイプの多重化のために変調されたエンコーディングされたシンボルの個数が決定されることを特徴とする装置。
【請求項１５】
請求項８乃至請求項１１に記載の何れか一項に記載の方法によって具現されることを特徴とする請求項１４に記載の装置。
【国際調査報告】
2020501456.tif 000284
2020501456.tif 000285
2020501456.tif 000286